(57)【要約】【課題】既存蒸気タービン発電は静翼を具備して、物理基礎の運動エネルギ＝質量×速度の２乗に比例するを利用０接近にし、竜巻の巨大化等地球温暖化を加速している。【解決手段】理論最良で質量×速度の２乗に比例するを利用可能な全動翼とし、竪型２段圧縮機１２Ｔ又は横型２段圧縮機１２Ｕ連結竪型酸素製造機１４Ｈ＋竪型蒸気水発電機２１Ｚ発電等として、落差製造用の重力発電建物１２製作とし、柱管１２Ｂを比重大物質上昇装置２Ｆ兼用として、逆浸透水５２Ｄを最上部に上昇保存比重大物質加速機６Ｗで噴射し、超臨界圧力水蒸気５Ｈで逆浸透水５２Ｄを噴射加速して真空中の重力加速度加速で発電して、同一流路面積既存蒸気タービン最終翼群の１８００万倍発電量のタービン翼群８Ｆ等実験が必要な倍率とし、製造物全部極秘運用の運用利益率抜群世界一永遠や給料世界一等として、世界規模でＣＯ２排気０海水温度上昇０の地球温暖化防止にする。【選択図】図２
2016205222.tif 000002
【特許請求の範囲】
【請求項１】
内側動翼群（６０ｃ）動翼を６０枚以下として外側動翼群（６０ｄ）動翼を６０枚以下として竪型蒸気水発電機（２１Ｚ）の垂直揚水発電とした各種エネルギ保存サイクル合体機関及び合体方法。
【請求項２】
内側動翼群（６０ｃ）動翼を５７枚以下として外側動翼群（６０ｄ）動翼を５７枚以下として竪型蒸気水発電機（２１Ｚ）の垂直揚水発電とした各種エネルギ保存サイクル合体機関及び合体方法。
【請求項３】
内側動翼群（６０ｃ）動翼を５４枚以下として外側動翼群（６０ｄ）動翼を５４枚以下として竪型蒸気水発電機（２１Ｚ）の垂直揚水発電とした各種エネルギ保存サイクル合体機関及び合体方法。
【請求項４】
内側動翼群（６０ｃ）動翼を５１枚以下として外側動翼群（６０ｄ）動翼を５１枚以下として竪型蒸気水発電機（２１Ｚ）の垂直揚水発電とした各種エネルギ保存サイクル合体機関及び合体方法。
【請求項５】
内側動翼群（６０ｃ）動翼を４８枚以下として外側動翼群（６０ｄ）動翼を４８枚以下として竪型蒸気水発電機（２１Ｚ）の垂直揚水発電とした各種エネルギ保存サイクル合体機関及び合体方法。
【請求項６】
内側動翼群（６０ｃ）動翼を４５枚以下として外側動翼群（６０ｄ）動翼を４５枚以下として竪型蒸気水発電機（２１Ｚ）の垂直揚水発電とした各種エネルギ保存サイクル合体機関及び合体方法。
【請求項７】
内側動翼群（６０ｃ）動翼を４２枚以下として外側動翼群（６０ｄ）動翼を４２枚以下として竪型蒸気水発電機（２１Ｚ）の垂直揚水発電とした各種エネルギ保存サイクル合体機関及び合体方法。
【請求項８】
内側動翼群（６０ｃ）動翼を３９枚以下として外側動翼群（６０ｄ）動翼を３９枚以下として竪型蒸気水発電機（２１Ｚ）の垂直揚水発電とした各種エネルギ保存サイクル合体機関及び合体方法。
【請求項９】
内側動翼群（６０ｃ）動翼を３６枚以下として外側動翼群（６０ｄ）動翼を３６枚以下として竪型蒸気水発電機（２１Ｚ）の垂直揚水発電とした各種エネルギ保存サイクル合体機関及び合体方法。
【請求項１０】
内側動翼群（６０ｃ）動翼を３３枚以下として外側動翼群（６０ｄ）動翼を３３枚以下として竪型蒸気水発電機（２１Ｚ）の垂直揚水発電とした各種エネルギ保存サイクル合体機関及び合体方法。
【請求項１１】
内側動翼群（６０ｃ）動翼を３０枚以下として外側動翼群（６０ｄ）動翼を３０枚以下として竪型蒸気水発電機（２１Ｚ）の垂直揚水発電とした各種エネルギ保存サイクル合体機関及び合体方法。
【請求項１２】
内側動翼群（６０ｃ）動翼を６０枚以下として外側動翼群（６０ｄ）動翼を６０枚以下として夫々の段を１鋳造部品として竪型蒸気水発電機（２１Ｚ）の垂直揚水発電とした各種エネルギ保存サイクル合体機関及び合体方法。
【請求項１３】
内側動翼群（６０ｃ）動翼を５７枚以下として外側動翼群（６０ｄ）動翼を５７枚以下として夫々の段を１鋳造部品として竪型蒸気水発電機（２１Ｚ）の垂直揚水発電とした各種エネルギ保存サイクル合体機関及び合体方法。
【請求項１４】
内側動翼群（６０ｃ）動翼を５４枚以下として外側動翼群（６０ｄ）動翼を５４枚以下として夫々の段を１鋳造部品として竪型蒸気水発電機（２１Ｚ）の垂直揚水発電とした各種エネルギ保存サイクル合体機関及び合体方法。
【請求項１５】
内側動翼群（６０ｃ）動翼を５１枚以下として外側動翼群（６０ｄ）動翼を５１枚以下として夫々の段を１鋳造部品として竪型蒸気水発電機（２１Ｚ）の垂直揚水発電とした各種エネルギ保存サイクル合体機関及び合体方法。
【請求項１６】
内側動翼群（６０ｃ）動翼を４８枚以下として外側動翼群（６０ｄ）動翼を４８枚以下として夫々の段を１鋳造部品として竪型蒸気水発電機（２１Ｚ）の垂直揚水発電とした各種エネルギ保存サイクル合体機関及び合体方法。
【請求項１７】
内側動翼群（６０ｃ）動翼を４５枚以下として外側動翼群（６０ｄ）動翼を４５枚以下として夫々の段を１鋳造部品として竪型蒸気水発電機（２１Ｚ）の垂直揚水発電とした各種エネルギ保存サイクル合体機関及び合体方法。
【請求項１８】
内側動翼群（６０ｃ）動翼を４２枚以下として外側動翼群（６０ｄ）動翼を４２枚以下として夫々の段を１鋳造部品として竪型蒸気水発電機（２１Ｚ）の垂直揚水発電とした各種エネルギ保存サイクル合体機関及び合体方法。
【請求項１９】
内側動翼群（６０ｃ）動翼を３９枚以下として外側動翼群（６０ｄ）動翼を３９枚以下として夫々の段を１鋳造部品として竪型蒸気水発電機（２１Ｚ）の垂直揚水発電とした各種エネルギ保存サイクル合体機関及び合体方法。
【請求項２０】
内側動翼群（６０ｃ）動翼を３６枚以下として外側動翼群（６０ｄ）動翼を３６枚以下として夫々の段を１鋳造部品として竪型蒸気水発電機（２１Ｚ）の垂直揚水発電とした各種エネルギ保存サイクル合体機関及び合体方法。
【請求項２１】
内側動翼群（６０ｃ）動翼を３３枚以下として外側動翼群（６０ｄ）動翼を３３枚以下として夫々の段を１鋳造部品として竪型蒸気水発電機（２１Ｚ）の垂直揚水発電とした各種エネルギ保存サイクル合体機関及び合体方法。
【請求項２２】
内側動翼群（６０ｃ）動翼を３０枚以下として外側動翼群（６０ｄ）動翼を３０枚以下として夫々の段を１鋳造部品として竪型蒸気水発電機（２１Ｚ）の垂直揚水発電とした各種エネルギ保存サイクル合体機関及び合体方法。
【請求項２３】
内側動翼群（６０ｃ）動翼を６０枚以下として外側動翼群（６０ｄ）動翼を６０枚以下として夫々の段を１鋳造部品として二重反転機関立型旋盤（１０Ｂ）で加工して竪型蒸気水発電機（２１Ｚ）の垂直揚水発電とした各種エネルギ保存サイクル合体機関及び合体方法。
【請求項２４】
内側動翼群（６０ｃ）動翼を５７枚以下として外側動翼群（６０ｄ）動翼を５７枚以下として夫々の段を１鋳造部品として二重反転機関立型旋盤（１０Ｂ）で加工して竪型蒸気水発電機（２１Ｚ）の垂直揚水発電とした各種エネルギ保存サイクル合体機関及び合体方法。
【請求項２５】
内側動翼群（６０ｃ）動翼を５４枚以下として外側動翼群（６０ｄ）動翼を５４枚以下として夫々の段を１鋳造部品として二重反転機関立型旋盤（１０Ｂ）で加工して竪型蒸気水発電機（２１Ｚ）の垂直揚水発電とした各種エネルギ保存サイクル合体機関及び合体方法。
【請求項２６】
内側動翼群（６０ｃ）動翼を５１枚以下として外側動翼群（６０ｄ）動翼を５１枚以下として夫々の段を１鋳造部品として二重反転機関立型旋盤（１０Ｂ）で加工して竪型蒸気水発電機（２１Ｚ）の垂直揚水発電とした各種エネルギ保存サイクル合体機関及び合体方法。
【請求項２７】
内側動翼群（６０ｃ）動翼を４８枚以下として外側動翼群（６０ｄ）動翼を４８枚以下として夫々の段を１鋳造部品として二重反転機関立型旋盤（１０Ｂ）で加工して竪型蒸気水発電機（２１Ｚ）の垂直揚水発電とした各種エネルギ保存サイクル合体機関及び合体方法。
【請求項２８】
内側動翼群（６０ｃ）動翼を４５枚以下として外側動翼群（６０ｄ）動翼を４５枚以下として夫々の段を１鋳造部品として二重反転機関立型旋盤（１０Ｂ）で加工して竪型蒸気水発電機（２１Ｚ）の垂直揚水発電とした各種エネルギ保存サイクル合体機関及び合体方法。
【請求項２９】
内側動翼群（６０ｃ）動翼を４２枚以下として外側動翼群（６０ｄ）動翼を４２枚以下として夫々の段を１鋳造部品として二重反転機関立型旋盤（１０Ｂ）で加工して竪型蒸気水発電機（２１Ｚ）の垂直揚水発電とした各種エネルギ保存サイクル合体機関及び合体方法。
【請求項３０】
内側動翼群（６０ｃ）動翼を３９枚以下として外側動翼群（６０ｄ）動翼を３９枚以下として夫々の段を１鋳造部品として二重反転機関立型旋盤（１０Ｂ）で加工して竪型蒸気水発電機（２１Ｚ）の垂直揚水発電とした各種エネルギ保存サイクル合体機関及び合体方法。
【請求項３１】
内側動翼群（６０ｃ）動翼を３６枚以下として外側動翼群（６０ｄ）動翼を３６枚以下として夫々の段を１鋳造部品として二重反転機関立型旋盤（１０Ｂ）で加工して竪型蒸気水発電機（２１Ｚ）の垂直揚水発電とした各種エネルギ保存サイクル合体機関及び合体方法。
【請求項３２】
内側動翼群（６０ｃ）動翼を３３枚以下として外側動翼群（６０ｄ）動翼を３３枚以下として夫々の段を１鋳造部品として二重反転機関立型旋盤（１０Ｂ）で加工して竪型蒸気水発電機（２１Ｚ）の垂直揚水発電とした各種エネルギ保存サイクル合体機関及び合体方法。
【請求項３３】
内側動翼群（６０ｃ）動翼を３０枚以下として外側動翼群（６０ｄ）動翼を３０枚以下として夫々の段を１鋳造部品として二重反転機関立型旋盤（１０Ｂ）で加工して竪型蒸気水発電機（２１Ｚ）の垂直揚水発電とした各種エネルギ保存サイクル合体機関及び合体方法。
【請求項３４】
内側動翼群（６０ｃ）動翼を６０枚以下として外側動翼群（６０ｄ）動翼を６０枚以下として夫々の段を１鋳造部品として二重反転機関立型旋盤（１０Ｂ）とタービン翼用研削盤（１０Ｆ）で加工して竪型蒸気水発電機（２１Ｚ）の垂直揚水発電とした各種エネルギ保存サイクル合体機関及び合体方法。
【請求項３５】
内側動翼群（６０ｃ）動翼を５７枚以下として外側動翼群（６０ｄ）動翼を５７枚以下として夫々の段を１鋳造部品として二重反転機関立型旋盤（１０Ｂ）とタービン翼用研削盤（１０Ｆ）で加工して竪型蒸気水発電機（２１Ｚ）の垂直揚水発電とした各種エネルギ保存サイクル合体機関及び合体方法。
【請求項３６】
内側動翼群（６０ｃ）動翼を５４枚以下として外側動翼群（６０ｄ）動翼を５４枚以下として夫々の段を１鋳造部品として二重反転機関立型旋盤（１０Ｂ）とタービン翼用研削盤（１０Ｆ）で加工して竪型蒸気水発電機（２１Ｚ）の垂直揚水発電とした各種エネルギ保存サイクル合体機関及び合体方法。
【請求項３７】
内側動翼群（６０ｃ）動翼を５１枚以下として外側動翼群（６０ｄ）動翼を５１枚以下として夫々の段を１鋳造部品として二重反転機関立型旋盤（１０Ｂ）とタービン翼用研削盤（１０Ｆ）で加工して竪型蒸気水発電機（２１Ｚ）の垂直揚水発電とした各種エネルギ保存サイクル合体機関及び合体方法。
【請求項３８】
内側動翼群（６０ｃ）動翼を４８枚以下として外側動翼群（６０ｄ）動翼を４８枚以下として夫々の段を１鋳造部品として二重反転機関立型旋盤（１０Ｂ）とタービン翼用研削盤（１０Ｆ）で加工して竪型蒸気水発電機（２１Ｚ）の垂直揚水発電とした各種エネルギ保存サイクル合体機関及び合体方法。
【請求項３９】
内側動翼群（６０ｃ）動翼を４５枚以下として外側動翼群（６０ｄ）動翼を４５枚以下として夫々の段を１鋳造部品として二重反転機関立型旋盤（１０Ｂ）とタービン翼用研削盤（１０Ｆ）で加工して竪型蒸気水発電機（２１Ｚ）の垂直揚水発電とした各種エネルギ保存サイクル合体機関及び合体方法。
【請求項４０】
内側動翼群（６０ｃ）動翼を４２枚以下として外側動翼群（６０ｄ）動翼を４２枚以下として夫々の段を１鋳造部品として二重反転機関立型旋盤（１０Ｂ）とタービン翼用研削盤（１０Ｆ）で加工して竪型蒸気水発電機（２１Ｚ）の垂直揚水発電とした各種エネルギ保存サイクル合体機関及び合体方法。
【請求項４１】
内側動翼群（６０ｃ）動翼を３９枚以下として外側動翼群（６０ｄ）動翼を３９枚以下として夫々の段を１鋳造部品として二重反転機関立型旋盤（１０Ｂ）とタービン翼用研削盤（１０Ｆ）で加工して竪型蒸気水発電機（２１Ｚ）の垂直揚水発電とした各種エネルギ保存サイクル合体機関及び合体方法。
【請求項４２】
内側動翼群（６０ｃ）動翼を３６枚以下として外側動翼群（６０ｄ）動翼を３６枚以下として夫々の段を１鋳造部品として二重反転機関立型旋盤（１０Ｂ）とタービン翼用研削盤（１０Ｆ）で加工して竪型蒸気水発電機（２１Ｚ）の垂直揚水発電とした各種エネルギ保存サイクル合体機関及び合体方法。
【請求項４３】
内側動翼群（６０ｃ）動翼を３３枚以下として外側動翼群（６０ｄ）動翼を３３枚以下として夫々の段を１鋳造部品として二重反転機関立型旋盤（１０Ｂ）とタービン翼用研削盤（１０Ｆ）で加工して竪型蒸気水発電機（２１Ｚ）の垂直揚水発電とした各種エネルギ保存サイクル合体機関及び合体方法。
【請求項４４】
内側動翼群（６０ｃ）動翼を３０枚以下として外側動翼群（６０ｄ）動翼を３０枚以下として夫々の段を１鋳造部品として二重反転機関立型旋盤（１０Ｂ）とタービン翼用研削盤（１０Ｆ）で加工して竪型蒸気水発電機（２１Ｚ）の垂直揚水発電とした各種エネルギ保存サイクル合体機関及び合体方法。
【請求項４５】
内側動翼群（６０ｃ）動翼を６０枚以下として外側動翼群（６０ｄ）動翼を６０枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して竪型蒸気水発電機（２１Ｚ）の垂直揚水発電とした各種エネルギ保存サイクル合体機関及び合体方法。
【請求項４６】
内側動翼群（６０ｃ）動翼を５７枚以下として外側動翼群（６０ｄ）動翼を５７枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して竪型蒸気水発電機（２１Ｚ）の垂直揚水発電とした各種エネルギ保存サイクル合体機関及び合体方法。
【請求項４７】
内側動翼群（６０ｃ）動翼を５４枚以下として外側動翼群（６０ｄ）動翼を５４枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して竪型蒸気水発電機（２１Ｚ）の垂直揚水発電とした各種エネルギ保存サイクル合体機関及び合体方法。
【請求項４８】
内側動翼群（６０ｃ）動翼を５１枚以下として外側動翼群（６０ｄ）動翼を５１枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して竪型蒸気水発電機（２１Ｚ）の垂直揚水発電とした各種エネルギ保存サイクル合体機関及び合体方法。
【請求項４９】
内側動翼群（６０ｃ）動翼を４８枚以下として外側動翼群（６０ｄ）動翼を４８枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して竪型蒸気水発電機（２１Ｚ）の垂直揚水発電とした各種エネルギ保存サイクル合体機関及び合体方法。
【請求項５０】
内側動翼群（６０ｃ）動翼を４５枚以下として外側動翼群（６０ｄ）動翼を４５枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して竪型蒸気水発電機（２１Ｚ）の垂直揚水発電とした各種エネルギ保存サイクル合体機関及び合体方法。
【請求項５１】
内側動翼群（６０ｃ）動翼を４２枚以下として外側動翼群（６０ｄ）動翼を４２枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して竪型蒸気水発電機（２１Ｚ）の垂直揚水発電とした各種エネルギ保存サイクル合体機関及び合体方法。
【請求項５２】
内側動翼群（６０ｃ）動翼を３９枚以下として外側動翼群（６０ｄ）動翼を３９枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して竪型蒸気水発電機（２１Ｚ）の垂直揚水発電とした各種エネルギ保存サイクル合体機関及び合体方法。
【請求項５３】
内側動翼群（６０ｃ）動翼を３６枚以下として外側動翼群（６０ｄ）動翼を３６枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して竪型蒸気水発電機（２１Ｚ）の垂直揚水発電とした各種エネルギ保存サイクル合体機関及び合体方法。
【請求項５４】
内側動翼群（６０ｃ）動翼を３３枚以下として外側動翼群（６０ｄ）動翼を３３枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して竪型蒸気水発電機（２１Ｚ）の垂直揚水発電とした各種エネルギ保存サイクル合体機関及び合体方法。
【請求項５５】
内側動翼群（６０ｃ）動翼を３０枚以下として外側動翼群（６０ｄ）動翼を３０枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して竪型蒸気水発電機（２１Ｚ）の垂直揚水発電とした各種エネルギ保存サイクル合体機関及び合体方法。
【請求項５６】
内側動翼群（６０ｃ）動翼を６０枚以下として外側動翼群（６０ｄ）動翼を６０枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して各種磁気利用し軸受荷重０接近の外側軸装置（６０Ｂ）発電外軸回転子（１３Ａ）発電＋内側軸装置（６０Ａ）発電内軸回転子（１３Ｂ）発電にして竪型蒸気水発電機（２１Ｚ）の垂直揚水発電とした各種エネルギ保存サイクル合体機関及び合体方法。
【請求項５７】
内側動翼群（６０ｃ）動翼を５７枚以下として外側動翼群（６０ｄ）動翼を５７枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して各種磁気利用し軸受荷重０接近の外側軸装置（６０Ｂ）発電外軸回転子（１３Ａ）発電＋内側軸装置（６０Ａ）発電内軸回転子（１３Ｂ）発電にして竪型蒸気水発電機（２１Ｚ）の垂直揚水発電とした各種エネルギ保存サイクル合体機関及び合体方法。
【請求項５８】
内側動翼群（６０ｃ）動翼を５４枚以下として外側動翼群（６０ｄ）動翼を５４枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して各種磁気利用し軸受荷重０接近の外側軸装置（６０Ｂ）発電外軸回転子（１３Ａ）発電＋内側軸装置（６０Ａ）発電内軸回転子（１３Ｂ）発電にして竪型蒸気水発電機（２１Ｚ）の垂直揚水発電とした各種エネルギ保存サイクル合体機関及び合体方法。
【請求項５９】
内側動翼群（６０ｃ）動翼を５１枚以下として外側動翼群（６０ｄ）動翼を５１枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して各種磁気利用し軸受荷重０接近の外側軸装置（６０Ｂ）発電外軸回転子（１３Ａ）発電＋内側軸装置（６０Ａ）発電内軸回転子（１３Ｂ）発電にして竪型蒸気水発電機（２１Ｚ）の垂直揚水発電とした各種エネルギ保存サイクル合体機関及び合体方法。
【請求項６０】
内側動翼群（６０ｃ）動翼を４８枚以下として外側動翼群（６０ｄ）動翼を４８枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して各種磁気利用し軸受荷重０接近の外側軸装置（６０Ｂ）発電外軸回転子（１３Ａ）発電＋内側軸装置（６０Ａ）発電内軸回転子（１３Ｂ）発電にして竪型蒸気水発電機（２１Ｚ）の垂直揚水発電とした各種エネルギ保存サイクル合体機関及び合体方法。
【請求項６１】
内側動翼群（６０ｃ）動翼を４５枚以下として外側動翼群（６０ｄ）動翼を４５枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して各種磁気利用し軸受荷重０接近の外側軸装置（６０Ｂ）発電外軸回転子（１３Ａ）発電＋内側軸装置（６０Ａ）発電内軸回転子（１３Ｂ）発電にして竪型蒸気水発電機（２１Ｚ）の垂直揚水発電とした各種エネルギ保存サイクル合体機関及び合体方法。
【請求項６２】
内側動翼群（６０ｃ）動翼を４２枚以下として外側動翼群（６０ｄ）動翼を４２枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して各種磁気利用し軸受荷重０接近の外側軸装置（６０Ｂ）発電外軸回転子（１３Ａ）発電＋内側軸装置（６０Ａ）発電内軸回転子（１３Ｂ）発電にして竪型蒸気水発電機（２１Ｚ）の垂直揚水発電とした各種エネルギ保存サイクル合体機関及び合体方法。
【請求項６３】
内側動翼群（６０ｃ）動翼を３９枚以下として外側動翼群（６０ｄ）動翼を３９枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して各種磁気利用し軸受荷重０接近の外側軸装置（６０Ｂ）発電外軸回転子（１３Ａ）発電＋内側軸装置（６０Ａ）発電内軸回転子（１３Ｂ）発電にして竪型蒸気水発電機（２１Ｚ）の垂直揚水発電とした各種エネルギ保存サイクル合体機関及び合体方法。
【請求項６４】
内側動翼群（６０ｃ）動翼を３６枚以下として外側動翼群（６０ｄ）動翼を３６枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して各種磁気利用し軸受荷重０接近の外側軸装置（６０Ｂ）発電外軸回転子（１３Ａ）発電＋内側軸装置（６０Ａ）発電内軸回転子（１３Ｂ）発電にして竪型蒸気水発電機（２１Ｚ）の垂直揚水発電とした各種エネルギ保存サイクル合体機関及び合体方法。
【請求項６５】
内側動翼群（６０ｃ）動翼を３３枚以下として外側動翼群（６０ｄ）動翼を３３枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して各種磁気利用し軸受荷重０接近の外側軸装置（６０Ｂ）発電外軸回転子（１３Ａ）発電＋内側軸装置（６０Ａ）発電内軸回転子（１３Ｂ）発電にして竪型蒸気水発電機（２１Ｚ）の垂直揚水発電とした各種エネルギ保存サイクル合体機関及び合体方法。
【請求項６６】
内側動翼群（６０ｃ）動翼を３０枚以下として外側動翼群（６０ｄ）動翼を３０枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して各種磁気利用し軸受荷重０接近の外側軸装置（６０Ｂ）発電外軸回転子（１３Ａ）発電＋内側軸装置（６０Ａ）発電内軸回転子（１３Ｂ）発電にして竪型蒸気水発電機（２１Ｚ）の垂直揚水発電とした各種エネルギ保存サイクル合体機関及び合体方法。
【請求項６７】
内側動翼群（６０ｃ）動翼を６０枚以下として外側動翼群（６０ｄ）動翼を６０枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して各種磁気利用し軸受荷重０接近の外側軸装置（６０Ｂ）発電外軸回転子（１３Ａ）発電＋内側軸装置（６０Ａ）発電内軸回転子（１３Ｂ）二重反転発電にして竪型蒸気水発電機（２１Ｚ）の垂直揚水発電とした各種エネルギ保存サイクル合体機関及び合体方法。
【請求項６８】
内側動翼群（６０ｃ）動翼を５７枚以下として外側動翼群（６０ｄ）動翼を５７枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して各種磁気利用し軸受荷重０接近の外側軸装置（６０Ｂ）発電外軸回転子（１３Ａ）発電＋内側軸装置（６０Ａ）発電内軸回転子（１３Ｂ）二重反転発電にして竪型蒸気水発電機（２１Ｚ）の垂直揚水発電とした各種エネルギ保存サイクル合体機関及び合体方法。
【請求項６９】
内側動翼群（６０ｃ）動翼を５４枚以下として外側動翼群（６０ｄ）動翼を５４枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して各種磁気利用し軸受荷重０接近の外側軸装置（６０Ｂ）発電外軸回転子（１３Ａ）発電＋内側軸装置（６０Ａ）発電内軸回転子（１３Ｂ）二重反転発電にして竪型蒸気水発電機（２１Ｚ）の垂直揚水発電とした各種エネルギ保存サイクル合体機関及び合体方法。
【請求項７０】
内側動翼群（６０ｃ）動翼を５１枚以下として外側動翼群（６０ｄ）動翼を５１枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して各種磁気利用し軸受荷重０接近の外側軸装置（６０Ｂ）発電外軸回転子（１３Ａ）発電＋内側軸装置（６０Ａ）発電内軸回転子（１３Ｂ）二重反転発電にして竪型蒸気水発電機（２１Ｚ）の垂直揚水発電とした各種エネルギ保存サイクル合体機関及び合体方法。
【請求項７１】
内側動翼群（６０ｃ）動翼を４８枚以下として外側動翼群（６０ｄ）動翼を４８枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して各種磁気利用し軸受荷重０接近の外側軸装置（６０Ｂ）発電外軸回転子（１３Ａ）発電＋内側軸装置（６０Ａ）発電内軸回転子（１３Ｂ）二重反転発電にして竪型蒸気水発電機（２１Ｚ）の垂直揚水発電とした各種エネルギ保存サイクル合体機関及び合体方法。
【請求項７２】
内側動翼群（６０ｃ）動翼を４５枚以下として外側動翼群（６０ｄ）動翼を４５枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して各種磁気利用し軸受荷重０接近の外側軸装置（６０Ｂ）発電外軸回転子（１３Ａ）発電＋内側軸装置（６０Ａ）発電内軸回転子（１３Ｂ）二重反転発電にして竪型蒸気水発電機（２１Ｚ）の垂直揚水発電とした各種エネルギ保存サイクル合体機関及び合体方法。
【請求項７３】
内側動翼群（６０ｃ）動翼を４２枚以下として外側動翼群（６０ｄ）動翼を４２枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して各種磁気利用し軸受荷重０接近の外側軸装置（６０Ｂ）発電外軸回転子（１３Ａ）発電＋内側軸装置（６０Ａ）発電内軸回転子（１３Ｂ）二重反転発電にして竪型蒸気水発電機（２１Ｚ）の垂直揚水発電とした各種エネルギ保存サイクル合体機関及び合体方法。
【請求項７４】
内側動翼群（６０ｃ）動翼を３９枚以下として外側動翼群（６０ｄ）動翼を３９枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して各種磁気利用し軸受荷重０接近の外側軸装置（６０Ｂ）発電外軸回転子（１３Ａ）発電＋内側軸装置（６０Ａ）発電内軸回転子（１３Ｂ）二重反転発電にして竪型蒸気水発電機（２１Ｚ）の垂直揚水発電とした各種エネルギ保存サイクル合体機関及び合体方法。
【請求項７５】
内側動翼群（６０ｃ）動翼を３６枚以下として外側動翼群（６０ｄ）動翼を３６枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して各種磁気利用し軸受荷重０接近の外側軸装置（６０Ｂ）発電外軸回転子（１３Ａ）発電＋内側軸装置（６０Ａ）発電内軸回転子（１３Ｂ）二重反転発電にして竪型蒸気水発電機（２１Ｚ）の垂直揚水発電とした各種エネルギ保存サイクル合体機関及び合体方法。
【請求項７６】
内側動翼群（６０ｃ）動翼を３３枚以下として外側動翼群（６０ｄ）動翼を３３枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して各種磁気利用し軸受荷重０接近の外側軸装置（６０Ｂ）発電外軸回転子（１３Ａ）発電＋内側軸装置（６０Ａ）発電内軸回転子（１３Ｂ）二重反転発電にして竪型蒸気水発電機（２１Ｚ）の垂直揚水発電とした各種エネルギ保存サイクル合体機関及び合体方法。
【請求項７７】
内側動翼群（６０ｃ）動翼を３０枚以下として外側動翼群（６０ｄ）動翼を３０枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して各種磁気利用し軸受荷重０接近の外側軸装置（６０Ｂ）発電外軸回転子（１３Ａ）発電＋内側軸装置（６０Ａ）発電内軸回転子（１３Ｂ）二重反転発電にして竪型蒸気水発電機（２１Ｚ）の垂直揚水発電とした各種エネルギ保存サイクル合体機関及び合体方法。
【請求項７８】
内側動翼群（６０ｃ）動翼を６０枚以下として外側動翼群（６０ｄ）動翼を６０枚以下として竪型蒸気比重大物質発電機（２１Ｙ）の垂直揚水発電とした各種エネルギ保存サイクル合体機関及び合体方法。
【請求項７９】
内側動翼群（６０ｃ）動翼を５７枚以下として外側動翼群（６０ｄ）動翼を５７枚以下として竪型蒸気比重大物質発電機（２１Ｙ）の垂直揚水発電とした各種エネルギ保存サイクル合体機関及び合体方法。
【請求項８０】
内側動翼群（６０ｃ）動翼を５４枚以下として外側動翼群（６０ｄ）動翼を５４枚以下として竪型蒸気比重大物質発電機（２１Ｙ）の垂直揚水発電とした各種エネルギ保存サイクル合体機関及び合体方法。
【請求項８１】
内側動翼群（６０ｃ）動翼を５１枚以下として外側動翼群（６０ｄ）動翼を５１枚以下として竪型蒸気比重大物質発電機（２１Ｙ）の垂直揚水発電とした各種エネルギ保存サイクル合体機関及び合体方法。
【請求項８２】
内側動翼群（６０ｃ）動翼を４８枚以下として外側動翼群（６０ｄ）動翼を４８枚以下として竪型蒸気比重大物質発電機（２１Ｙ）の垂直揚水発電とした各種エネルギ保存サイクル合体機関及び合体方法。
【請求項８３】
内側動翼群（６０ｃ）動翼を４５枚以下として外側動翼群（６０ｄ）動翼を４５枚以下として竪型蒸気比重大物質発電機（２１Ｙ）の垂直揚水発電とした各種エネルギ保存サイクル合体機関及び合体方法。
【請求項８４】
内側動翼群（６０ｃ）動翼を４２枚以下として外側動翼群（６０ｄ）動翼を４２枚以下として竪型蒸気比重大物質発電機（２１Ｙ）の垂直揚水発電とした各種エネルギ保存サイクル合体機関及び合体方法。
【請求項８５】
内側動翼群（６０ｃ）動翼を３９枚以下として外側動翼群（６０ｄ）動翼を３９枚以下として竪型蒸気比重大物質発電機（２１Ｙ）の垂直揚水発電とした各種エネルギ保存サイクル合体機関及び合体方法。
【請求項８６】
内側動翼群（６０ｃ）動翼を３６枚以下として外側動翼群（６０ｄ）動翼を３６枚以下として竪型蒸気比重大物質発電機（２１Ｙ）の垂直揚水発電とした各種エネルギ保存サイクル合体機関及び合体方法。
【請求項８７】
内側動翼群（６０ｃ）動翼を３３枚以下として外側動翼群（６０ｄ）動翼を３３枚以下として竪型蒸気比重大物質発電機（２１Ｙ）の垂直揚水発電とした各種エネルギ保存サイクル合体機関及び合体方法。
【請求項８８】
内側動翼群（６０ｃ）動翼を３０枚以下として外側動翼群（６０ｄ）動翼を３０枚以下として竪型蒸気比重大物質発電機（２１Ｙ）の垂直揚水発電とした各種エネルギ保存サイクル合体機関及び合体方法。
【請求項８９】
内側動翼群（６０ｃ）動翼を６０枚以下として外側動翼群（６０ｄ）動翼を６０枚以下として夫々の段を１鋳造部品として竪型蒸気比重大物質発電機（２１Ｙ）の垂直揚水発電とした各種エネルギ保存サイクル合体機関及び合体方法。
【請求項９０】
内側動翼群（６０ｃ）動翼を５７枚以下として外側動翼群（６０ｄ）動翼を５７枚以下として夫々の段を１鋳造部品として竪型蒸気比重大物質発電機（２１Ｙ）の垂直揚水発電とした各種エネルギ保存サイクル合体機関及び合体方法。
【請求項９１】
内側動翼群（６０ｃ）動翼を５４枚以下として外側動翼群（６０ｄ）動翼を５４枚以下として夫々の段を１鋳造部品として竪型蒸気比重大物質発電機（２１Ｙ）の垂直揚水発電とした各種エネルギ保存サイクル合体機関及び合体方法。
【請求項９２】
内側動翼群（６０ｃ）動翼を５１枚以下として外側動翼群（６０ｄ）動翼を５１枚以下として夫々の段を１鋳造部品として竪型蒸気比重大物質発電機（２１Ｙ）の垂直揚水発電とした各種エネルギ保存サイクル合体機関及び合体方法。
【請求項９３】
内側動翼群（６０ｃ）動翼を４８枚以下として外側動翼群（６０ｄ）動翼を４８枚以下として夫々の段を１鋳造部品として竪型蒸気比重大物質発電機（２１Ｙ）の垂直揚水発電とした各種エネルギ保存サイクル合体機関及び合体方法。
【請求項９４】
内側動翼群（６０ｃ）動翼を４５枚以下として外側動翼群（６０ｄ）動翼を４５枚以下として夫々の段を１鋳造部品として竪型蒸気比重大物質発電機（２１Ｙ）の垂直揚水発電とした各種エネルギ保存サイクル合体機関及び合体方法。
【請求項９５】
内側動翼群（６０ｃ）動翼を４２枚以下として外側動翼群（６０ｄ）動翼を４２枚以下として夫々の段を１鋳造部品として竪型蒸気比重大物質発電機（２１Ｙ）の垂直揚水発電とした各種エネルギ保存サイクル合体機関及び合体方法。
【請求項９６】
内側動翼群（６０ｃ）動翼を３９枚以下として外側動翼群（６０ｄ）動翼を３９枚以下として夫々の段を１鋳造部品として竪型蒸気比重大物質発電機（２１Ｙ）の垂直揚水発電とした各種エネルギ保存サイクル合体機関及び合体方法。
【請求項９７】
内側動翼群（６０ｃ）動翼を３６枚以下として外側動翼群（６０ｄ）動翼を３６枚以下として夫々の段を１鋳造部品として竪型蒸気比重大物質発電機（２１Ｙ）の垂直揚水発電とした各種エネルギ保存サイクル合体機関及び合体方法。
【請求項９８】
内側動翼群（６０ｃ）動翼を３３枚以下として外側動翼群（６０ｄ）動翼を３３枚以下として夫々の段を１鋳造部品として竪型蒸気比重大物質発電機（２１Ｙ）の垂直揚水発電とした各種エネルギ保存サイクル合体機関及び合体方法。
【請求項９９】
内側動翼群（６０ｃ）動翼を３０枚以下として外側動翼群（６０ｄ）動翼を３０枚以下として夫々の段を１鋳造部品として竪型蒸気比重大物質発電機（２１Ｙ）の垂直揚水発電とした各種エネルギ保存サイクル合体機関及び合体方法。
【請求項１００】
内側動翼群（６０ｃ）動翼を６０枚以下として外側動翼群（６０ｄ）動翼を６０枚以下として夫々の段を１鋳造部品として二重反転機関立型旋盤（１０Ｂ）で加工して竪型蒸気比重大物質発電機（２１Ｙ）の垂直揚水発電とした各種エネルギ保存サイクル合体機関及び合体方法。
【請求項１０１】
内側動翼群（６０ｃ）動翼を５７枚以下として外側動翼群（６０ｄ）動翼を５７枚以下として夫々の段を１鋳造部品として二重反転機関立型旋盤（１０Ｂ）で加工して竪型蒸気比重大物質発電機（２１Ｙ）の垂直揚水発電とした各種エネルギ保存サイクル合体機関及び合体方法。
【請求項１０２】
内側動翼群（６０ｃ）動翼を５４枚以下として外側動翼群（６０ｄ）動翼を５４枚以下として夫々の段を１鋳造部品として二重反転機関立型旋盤（１０Ｂ）で加工して竪型蒸気比重大物質発電機（２１Ｙ）の垂直揚水発電とした各種エネルギ保存サイクル合体機関及び合体方法。
【請求項１０３】
内側動翼群（６０ｃ）動翼を５１枚以下として外側動翼群（６０ｄ）動翼を５１枚以下として夫々の段を１鋳造部品として二重反転機関立型旋盤（１０Ｂ）で加工して竪型蒸気比重大物質発電機（２１Ｙ）の垂直揚水発電とした各種エネルギ保存サイクル合体機関及び合体方法。
【請求項１０４】
内側動翼群（６０ｃ）動翼を４８枚以下として外側動翼群（６０ｄ）動翼を４８枚以下として夫々の段を１鋳造部品として二重反転機関立型旋盤（１０Ｂ）で加工して竪型蒸気比重大物質発電機（２１Ｙ）の垂直揚水発電とした各種エネルギ保存サイクル合体機関及び合体方法。
【請求項１０５】
内側動翼群（６０ｃ）動翼を４５枚以下として外側動翼群（６０ｄ）動翼を４５枚以下として夫々の段を１鋳造部品として二重反転機関立型旋盤（１０Ｂ）で加工して竪型蒸気比重大物質発電機（２１Ｙ）の垂直揚水発電とした各種エネルギ保存サイクル合体機関及び合体方法。
【請求項１０６】
内側動翼群（６０ｃ）動翼を４２枚以下として外側動翼群（６０ｄ）動翼を４２枚以下として夫々の段を１鋳造部品として二重反転機関立型旋盤（１０Ｂ）で加工して竪型蒸気比重大物質発電機（２１Ｙ）の垂直揚水発電とした各種エネルギ保存サイクル合体機関及び合体方法。
【請求項１０７】
内側動翼群（６０ｃ）動翼を３９枚以下として外側動翼群（６０ｄ）動翼を３９枚以下として夫々の段を１鋳造部品として二重反転機関立型旋盤（１０Ｂ）で加工して竪型蒸気比重大物質発電機（２１Ｙ）の垂直揚水発電とした各種エネルギ保存サイクル合体機関及び合体方法。
【請求項１０８】
内側動翼群（６０ｃ）動翼を３６枚以下として外側動翼群（６０ｄ）動翼を３６枚以下として夫々の段を１鋳造部品として二重反転機関立型旋盤（１０Ｂ）で加工して竪型蒸気比重大物質発電機（２１Ｙ）の垂直揚水発電とした各種エネルギ保存サイクル合体機関及び合体方法。
【請求項１０９】
内側動翼群（６０ｃ）動翼を３３枚以下として外側動翼群（６０ｄ）動翼を３３枚以下として夫々の段を１鋳造部品として二重反転機関立型旋盤（１０Ｂ）で加工して竪型蒸気比重大物質発電機（２１Ｙ）の垂直揚水発電とした各種エネルギ保存サイクル合体機関及び合体方法。
【請求項１１０】
内側動翼群（６０ｃ）動翼を３０枚以下として外側動翼群（６０ｄ）動翼を３０枚以下として夫々の段を１鋳造部品として二重反転機関立型旋盤（１０Ｂ）で加工して竪型蒸気比重大物質発電機（２１Ｙ）の垂直揚水発電とした各種エネルギ保存サイクル合体機関及び合体方法。
【請求項１１１】
内側動翼群（６０ｃ）動翼を６０枚以下として外側動翼群（６０ｄ）動翼を６０枚以下として夫々の段を１鋳造部品として二重反転機関立型旋盤（１０Ｂ）とタービン翼用研削盤（１０Ｆ）で加工して竪型蒸気比重大物質発電機（２１Ｙ）の垂直揚水発電とした各種エネルギ保存サイクル合体機関及び合体方法。
【請求項１１２】
内側動翼群（６０ｃ）動翼を５７枚以下として外側動翼群（６０ｄ）動翼を５７枚以下として夫々の段を１鋳造部品として二重反転機関立型旋盤（１０Ｂ）とタービン翼用研削盤（１０Ｆ）で加工して竪型蒸気比重大物質発電機（２１Ｙ）の垂直揚水発電とした各種エネルギ保存サイクル合体機関及び合体方法。
【請求項１１３】
内側動翼群（６０ｃ）動翼を５４枚以下として外側動翼群（６０ｄ）動翼を５４枚以下として夫々の段を１鋳造部品として二重反転機関立型旋盤（１０Ｂ）とタービン翼用研削盤（１０Ｆ）で加工して竪型蒸気比重大物質発電機（２１Ｙ）の垂直揚水発電とした各種エネルギ保存サイクル合体機関及び合体方法。
【請求項１１４】
内側動翼群（６０ｃ）動翼を５１枚以下として外側動翼群（６０ｄ）動翼を５１枚以下として夫々の段を１鋳造部品として二重反転機関立型旋盤（１０Ｂ）とタービン翼用研削盤（１０Ｆ）で加工して竪型蒸気比重大物質発電機（２１Ｙ）の垂直揚水発電とした各種エネルギ保存サイクル合体機関及び合体方法。
【請求項１１５】
内側動翼群（６０ｃ）動翼を４８枚以下として外側動翼群（６０ｄ）動翼を４８枚以下として夫々の段を１鋳造部品として二重反転機関立型旋盤（１０Ｂ）とタービン翼用研削盤（１０Ｆ）で加工して竪型蒸気比重大物質発電機（２１Ｙ）の垂直揚水発電とした各種エネルギ保存サイクル合体機関及び合体方法。
【請求項１１６】
内側動翼群（６０ｃ）動翼を４５枚以下として外側動翼群（６０ｄ）動翼を４５枚以下として夫々の段を１鋳造部品として二重反転機関立型旋盤（１０Ｂ）とタービン翼用研削盤（１０Ｆ）で加工して竪型蒸気比重大物質発電機（２１Ｙ）の垂直揚水発電とした各種エネルギ保存サイクル合体機関及び合体方法。
【請求項１１７】
内側動翼群（６０ｃ）動翼を４２枚以下として外側動翼群（６０ｄ）動翼を４２枚以下として夫々の段を１鋳造部品として二重反転機関立型旋盤（１０Ｂ）とタービン翼用研削盤（１０Ｆ）で加工して竪型蒸気比重大物質発電機（２１Ｙ）の垂直揚水発電とした各種エネルギ保存サイクル合体機関及び合体方法。
【請求項１１８】
内側動翼群（６０ｃ）動翼を３９枚以下として外側動翼群（６０ｄ）動翼を３９枚以下として夫々の段を１鋳造部品として二重反転機関立型旋盤（１０Ｂ）とタービン翼用研削盤（１０Ｆ）で加工して竪型蒸気比重大物質発電機（２１Ｙ）の垂直揚水発電とした各種エネルギ保存サイクル合体機関及び合体方法。
【請求項１１９】
内側動翼群（６０ｃ）動翼を３６枚以下として外側動翼群（６０ｄ）動翼を３６枚以下として夫々の段を１鋳造部品として二重反転機関立型旋盤（１０Ｂ）とタービン翼用研削盤（１０Ｆ）で加工して竪型蒸気比重大物質発電機（２１Ｙ）の垂直揚水発電とした各種エネルギ保存サイクル合体機関及び合体方法。
【請求項１２０】
内側動翼群（６０ｃ）動翼を３３枚以下として外側動翼群（６０ｄ）動翼を３３枚以下として夫々の段を１鋳造部品として二重反転機関立型旋盤（１０Ｂ）とタービン翼用研削盤（１０Ｆ）で加工して竪型蒸気比重大物質発電機（２１Ｙ）の垂直揚水発電とした各種エネルギ保存サイクル合体機関及び合体方法。
【請求項１２１】
内側動翼群（６０ｃ）動翼を３０枚以下として外側動翼群（６０ｄ）動翼を３０枚以下として夫々の段を１鋳造部品として二重反転機関立型旋盤（１０Ｂ）とタービン翼用研削盤（１０Ｆ）で加工して竪型蒸気比重大物質発電機（２１Ｙ）の垂直揚水発電とした各種エネルギ保存サイクル合体機関及び合体方法。
【請求項１２２】
内側動翼群（６０ｃ）動翼を６０枚以下として外側動翼群（６０ｄ）動翼を６０枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して竪型蒸気比重大物質発電機（２１Ｙ）の垂直揚水発電とした各種エネルギ保存サイクル合体機関及び合体方法。
【請求項１２３】
内側動翼群（６０ｃ）動翼を５７枚以下として外側動翼群（６０ｄ）動翼を５７枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して竪型蒸気比重大物質発電機（２１Ｙ）の垂直揚水発電とした各種エネルギ保存サイクル合体機関及び合体方法。
【請求項１２４】
内側動翼群（６０ｃ）動翼を５４枚以下として外側動翼群（６０ｄ）動翼を５４枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して竪型蒸気比重大物質発電機（２１Ｙ）の垂直揚水発電とした各種エネルギ保存サイクル合体機関及び合体方法。
【請求項１２５】
内側動翼群（６０ｃ）動翼を５１枚以下として外側動翼群（６０ｄ）動翼を５１枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して竪型蒸気比重大物質発電機（２１Ｙ）の垂直揚水発電とした各種エネルギ保存サイクル合体機関及び合体方法。
【請求項１２６】
内側動翼群（６０ｃ）動翼を４８枚以下として外側動翼群（６０ｄ）動翼を４８枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して竪型蒸気比重大物質発電機（２１Ｙ）の垂直揚水発電とした各種エネルギ保存サイクル合体機関及び合体方法。
【請求項１２７】
内側動翼群（６０ｃ）動翼を４５枚以下として外側動翼群（６０ｄ）動翼を４５枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して竪型蒸気比重大物質発電機（２１Ｙ）の垂直揚水発電とした各種エネルギ保存サイクル合体機関及び合体方法。
【請求項１２８】
内側動翼群（６０ｃ）動翼を４２枚以下として外側動翼群（６０ｄ）動翼を４２枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して竪型蒸気比重大物質発電機（２１Ｙ）の垂直揚水発電とした各種エネルギ保存サイクル合体機関及び合体方法。
【請求項１２９】
内側動翼群（６０ｃ）動翼を３９枚以下として外側動翼群（６０ｄ）動翼を３９枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して竪型蒸気比重大物質発電機（２１Ｙ）の垂直揚水発電とした各種エネルギ保存サイクル合体機関及び合体方法。
【請求項１３０】
内側動翼群（６０ｃ）動翼を３６枚以下として外側動翼群（６０ｄ）動翼を３６枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して竪型蒸気比重大物質発電機（２１Ｙ）の垂直揚水発電とした各種エネルギ保存サイクル合体機関及び合体方法。
【請求項１３１】
内側動翼群（６０ｃ）動翼を３３枚以下として外側動翼群（６０ｄ）動翼を３３枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して竪型蒸気比重大物質発電機（２１Ｙ）の垂直揚水発電とした各種エネルギ保存サイクル合体機関及び合体方法。
【請求項１３２】
内側動翼群（６０ｃ）動翼を３０枚以下として外側動翼群（６０ｄ）動翼を３０枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して竪型蒸気比重大物質発電機（２１Ｙ）の垂直揚水発電とした各種エネルギ保存サイクル合体機関及び合体方法。
【請求項１３３】
内側動翼群（６０ｃ）動翼を６０枚以下として外側動翼群（６０ｄ）動翼を６０枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して各種磁気利用し軸受荷重０接近の外側軸装置（６０Ｂ）発電外軸回転子（１３Ａ）発電＋内側軸装置（６０Ａ）発電内軸回転子（１３Ｂ）二重反転発電する竪型蒸気比重大物質発電機（２１Ｙ）の垂直揚水発電とした各種エネルギ保存サイクル合体機関及び合体方法。
【請求項１３４】
内側動翼群（６０ｃ）動翼を５７枚以下として外側動翼群（６０ｄ）動翼を５７枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して各種磁気利用し軸受荷重０接近の外側軸装置（６０Ｂ）発電外軸回転子（１３Ａ）発電＋内側軸装置（６０Ａ）発電内軸回転子（１３Ｂ）二重反転発電する竪型蒸気比重大物質発電機（２１Ｙ）の垂直揚水発電とした各種エネルギ保存サイクル合体機関及び合体方法。
【請求項１３５】
内側動翼群（６０ｃ）動翼を５４枚以下として外側動翼群（６０ｄ）動翼を５４枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して各種磁気利用し軸受荷重０接近の外側軸装置（６０Ｂ）発電外軸回転子（１３Ａ）発電＋内側軸装置（６０Ａ）発電内軸回転子（１３Ｂ）二重反転発電する竪型蒸気比重大物質発電機（２１Ｙ）の垂直揚水発電とした各種エネルギ保存サイクル合体機関及び合体方法。
【請求項１３６】
内側動翼群（６０ｃ）動翼を５１枚以下として外側動翼群（６０ｄ）動翼を５１枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して各種磁気利用し軸受荷重０接近の外側軸装置（６０Ｂ）発電外軸回転子（１３Ａ）発電＋内側軸装置（６０Ａ）発電内軸回転子（１３Ｂ）二重反転発電する竪型蒸気比重大物質発電機（２１Ｙ）の垂直揚水発電とした各種エネルギ保存サイクル合体機関及び合体方法。
【請求項１３７】
内側動翼群（６０ｃ）動翼を４８枚以下として外側動翼群（６０ｄ）動翼を４８枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して各種磁気利用し軸受荷重０接近の外側軸装置（６０Ｂ）発電外軸回転子（１３Ａ）発電＋内側軸装置（６０Ａ）発電内軸回転子（１３Ｂ）二重反転発電する竪型蒸気比重大物質発電機（２１Ｙ）の垂直揚水発電とした各種エネルギ保存サイクル合体機関及び合体方法。
【請求項１３８】
内側動翼群（６０ｃ）動翼を４５枚以下として外側動翼群（６０ｄ）動翼を４５枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して各種磁気利用し軸受荷重０接近の外側軸装置（６０Ｂ）発電外軸回転子（１３Ａ）発電＋内側軸装置（６０Ａ）発電内軸回転子（１３Ｂ）二重反転発電する竪型蒸気比重大物質発電機（２１Ｙ）の垂直揚水発電とした各種エネルギ保存サイクル合体機関及び合体方法。
【請求項１３９】
内側動翼群（６０ｃ）動翼を４２枚以下として外側動翼群（６０ｄ）動翼を４２枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して各種磁気利用し軸受荷重０接近の外側軸装置（６０Ｂ）発電外軸回転子（１３Ａ）発電＋内側軸装置（６０Ａ）発電内軸回転子（１３Ｂ）二重反転発電する竪型蒸気比重大物質発電機（２１Ｙ）の垂直揚水発電とした各種エネルギ保存サイクル合体機関及び合体方法。
【請求項１４０】
内側動翼群（６０ｃ）動翼を３９枚以下として外側動翼群（６０ｄ）動翼を３９枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して各種磁気利用し軸受荷重０接近の外側軸装置（６０Ｂ）発電外軸回転子（１３Ａ）発電＋内側軸装置（６０Ａ）発電内軸回転子（１３Ｂ）二重反転発電する竪型蒸気比重大物質発電機（２１Ｙ）の垂直揚水発電とした各種エネルギ保存サイクル合体機関及び合体方法。
【請求項１４１】
内側動翼群（６０ｃ）動翼を３６枚以下として外側動翼群（６０ｄ）動翼を３６枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して各種磁気利用し軸受荷重０接近の外側軸装置（６０Ｂ）発電外軸回転子（１３Ａ）発電＋内側軸装置（６０Ａ）発電内軸回転子（１３Ｂ）二重反転発電する竪型蒸気比重大物質発電機（２１Ｙ）の垂直揚水発電とした各種エネルギ保存サイクル合体機関及び合体方法。
【請求項１４２】
内側動翼群（６０ｃ）動翼を３３枚以下として外側動翼群（６０ｄ）動翼を３３枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して各種磁気利用し軸受荷重０接近の外側軸装置（６０Ｂ）発電外軸回転子（１３Ａ）発電＋内側軸装置（６０Ａ）発電内軸回転子（１３Ｂ）二重反転発電する竪型蒸気比重大物質発電機（２１Ｙ）の垂直揚水発電とした各種エネルギ保存サイクル合体機関及び合体方法。
【請求項１４３】
内側動翼群（６０ｃ）動翼を３０枚以下として外側動翼群（６０ｄ）動翼を３０枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して各種磁気利用し軸受荷重０接近の外側軸装置（６０Ｂ）発電外軸回転子（１３Ａ）発電＋内側軸装置（６０Ａ）発電内軸回転子（１３Ｂ）二重反転発電する竪型蒸気比重大物質発電機（２１Ｙ）の垂直揚水発電とした各種エネルギ保存サイクル合体機関及び合体方法。
【請求項１４４】
内側動翼群（６０ｃ）動翼を６０枚以下として外側動翼群（６０ｄ）動翼を６０枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して各種磁気利用し軸受荷重０接近の外側軸装置（６０Ｂ）発電外軸回転子（１３Ａ）発電＋内側軸装置（６０Ａ）発電内軸回転子（１３Ｂ）夫々で発電する竪型蒸気比重大物質発電機（２１Ｙ）の垂直揚水発電とした各種エネルギ保存サイクル合体機関及び合体方法。
【請求項１４５】
内側動翼群（６０ｃ）動翼を５７枚以下として外側動翼群（６０ｄ）動翼を５７枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して各種磁気利用し軸受荷重０接近の外側軸装置（６０Ｂ）発電外軸回転子（１３Ａ）発電＋内側軸装置（６０Ａ）発電内軸回転子（１３Ｂ）夫々で発電する竪型蒸気比重大物質発電機（２１Ｙ）の垂直揚水発電とした各種エネルギ保存サイクル合体機関及び合体方法。
【請求項１４６】
内側動翼群（６０ｃ）動翼を５４枚以下として外側動翼群（６０ｄ）動翼を５４枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して各種磁気利用し軸受荷重０接近の外側軸装置（６０Ｂ）発電外軸回転子（１３Ａ）発電＋内側軸装置（６０Ａ）発電内軸回転子（１３Ｂ）夫々で発電する竪型蒸気比重大物質発電機（２１Ｙ）の垂直揚水発電とした各種エネルギ保存サイクル合体機関及び合体方法。
【請求項１４７】
内側動翼群（６０ｃ）動翼を５１枚以下として外側動翼群（６０ｄ）動翼を５１枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して各種磁気利用し軸受荷重０接近の外側軸装置（６０Ｂ）発電外軸回転子（１３Ａ）発電＋内側軸装置（６０Ａ）発電内軸回転子（１３Ｂ）夫々で発電する竪型蒸気比重大物質発電機（２１Ｙ）の垂直揚水発電とした各種エネルギ保存サイクル合体機関及び合体方法。
【請求項１４８】
内側動翼群（６０ｃ）動翼を４８枚以下として外側動翼群（６０ｄ）動翼を４８枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して各種磁気利用し軸受荷重０接近の外側軸装置（６０Ｂ）発電外軸回転子（１３Ａ）発電＋内側軸装置（６０Ａ）発電内軸回転子（１３Ｂ）夫々で発電する竪型蒸気比重大物質発電機（２１Ｙ）の垂直揚水発電とした各種エネルギ保存サイクル合体機関及び合体方法。
【請求項１４９】
内側動翼群（６０ｃ）動翼を４５枚以下として外側動翼群（６０ｄ）動翼を４５枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して各種磁気利用し軸受荷重０接近の外側軸装置（６０Ｂ）発電外軸回転子（１３Ａ）発電＋内側軸装置（６０Ａ）発電内軸回転子（１３Ｂ）夫々で発電する竪型蒸気比重大物質発電機（２１Ｙ）の垂直揚水発電とした各種エネルギ保存サイクル合体機関及び合体方法。
【請求項１５０】
内側動翼群（６０ｃ）動翼を４２枚以下として外側動翼群（６０ｄ）動翼を４２枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して各種磁気利用し軸受荷重０接近の外側軸装置（６０Ｂ）発電外軸回転子（１３Ａ）発電＋内側軸装置（６０Ａ）発電内軸回転子（１３Ｂ）夫々で発電する竪型蒸気比重大物質発電機（２１Ｙ）の垂直揚水発電とした各種エネルギ保存サイクル合体機関及び合体方法。
【請求項１５１】
内側動翼群（６０ｃ）動翼を３９枚以下として外側動翼群（６０ｄ）動翼を３９枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して各種磁気利用し軸受荷重０接近の外側軸装置（６０Ｂ）発電外軸回転子（１３Ａ）発電＋内側軸装置（６０Ａ）発電内軸回転子（１３Ｂ）夫々で発電する竪型蒸気比重大物質発電機（２１Ｙ）の垂直揚水発電とした各種エネルギ保存サイクル合体機関及び合体方法。
【請求項１５２】
内側動翼群（６０ｃ）動翼を３６枚以下として外側動翼群（６０ｄ）動翼を３６枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して各種磁気利用し軸受荷重０接近の外側軸装置（６０Ｂ）発電外軸回転子（１３Ａ）発電＋内側軸装置（６０Ａ）発電内軸回転子（１３Ｂ）夫々で発電する竪型蒸気比重大物質発電機（２１Ｙ）の垂直揚水発電とした各種エネルギ保存サイクル合体機関及び合体方法。
【請求項１５３】
内側動翼群（６０ｃ）動翼を３３枚以下として外側動翼群（６０ｄ）動翼を３３枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して各種磁気利用し軸受荷重０接近の外側軸装置（６０Ｂ）発電外軸回転子（１３Ａ）発電＋内側軸装置（６０Ａ）発電内軸回転子（１３Ｂ）夫々で発電する竪型蒸気比重大物質発電機（２１Ｙ）の垂直揚水発電とした各種エネルギ保存サイクル合体機関及び合体方法。
【請求項１５４】
内側動翼群（６０ｃ）動翼を３０枚以下として外側動翼群（６０ｄ）動翼を３０枚以下として夫々の段を１鋳造部品として二重反転機関立型旋盤（１０Ｂ）とタービン翼用研削盤（１０Ｆ）で加工して外側軸装置（６０Ｂ）等夫々を仮組立して二重反転機関立型旋盤（１０Ｂ）で保持超高速バランス調整加工して各種磁気利用し軸受荷重０接近の外側軸装置（６０Ｂ）発電外軸回転子（１３Ａ）発電＋内側軸装置（６０Ａ）発電内軸回転子（１３Ｂ）夫々で発電する竪型蒸気比重大物質発電機（２１Ｙ）の垂直揚水発電とした各種エネルギ保存サイクル合体機関及び合体方法。
【請求項１５５】
内側出力翼群（５３Ｂ）出力翼を６０枚以下として外側出力翼群（５３Ａ）出力翼を６０枚以下として二重反転圧縮機（３ｓ）具備水蒸気製造機（１１ｓ）とした各種エネルギ保存サイクル合体機関及び合体方法。
【請求項１５６】
内側出力翼群（５３Ｂ）出力翼を５７枚以下として外側出力翼群（５３Ａ）出力翼を５７枚以下として二重反転圧縮機（３ｓ）具備水蒸気製造機（１１ｓ）とした各種エネルギ保存サイクル合体機関及び合体方法。
【請求項１５７】
内側出力翼群（５３Ｂ）出力翼を５４枚以下として外側出力翼群（５３Ａ）出力翼を５４枚以下として二重反転圧縮機（３ｓ）具備水蒸気製造機（１１ｓ）とした各種エネルギ保存サイクル合体機関及び合体方法。
【請求項１５８】
内側出力翼群（５３Ｂ）出力翼を５１枚以下として外側出力翼群（５３Ａ）出力翼を５１枚以下として二重反転圧縮機（３ｓ）具備水蒸気製造機（１１ｓ）とした各種エネルギ保存サイクル合体機関及び合体方法。
【請求項１５９】
内側出力翼群（５３Ｂ）出力翼を４８枚以下として外側出力翼群（５３Ａ）出力翼を４８枚以下として二重反転圧縮機（３ｓ）具備水蒸気製造機（１１ｓ）とした各種エネルギ保存サイクル合体機関及び合体方法。
【請求項１６０】
内側出力翼群（５３Ｂ）出力翼を４５枚以下として外側出力翼群（５３Ａ）出力翼を４５枚以下として二重反転圧縮機（３ｓ）具備水蒸気製造機（１１ｓ）とした各種エネルギ保存サイクル合体機関及び合体方法。
【請求項１６１】
内側出力翼群（５３Ｂ）出力翼を４２枚以下として外側出力翼群（５３Ａ）出力翼を４２枚以下として二重反転圧縮機（３ｓ）具備水蒸気製造機（１１ｓ）とした各種エネルギ保存サイクル合体機関及び合体方法。
【請求項１６２】
内側出力翼群（５３Ｂ）出力翼を３９枚以下として外側出力翼群（５３Ａ）出力翼を３９枚以下として二重反転圧縮機（３ｓ）具備水蒸気製造機（１１ｓ）とした各種エネルギ保存サイクル合体機関及び合体方法。
【請求項１６３】
内側出力翼群（５３Ｂ）出力翼を３６枚以下として外側出力翼群（５３Ａ）出力翼を３６枚以下として二重反転圧縮機（３ｓ）具備水蒸気製造機（１１ｓ）とした各種エネルギ保存サイクル合体機関及び合体方法。
【請求項１６４】
内側出力翼群（５３Ｂ）出力翼を３３枚以下として外側出力翼群（５３Ａ）出力翼を３３枚以下として二重反転圧縮機（３ｓ）具備水蒸気製造機（１１ｓ）とした各種エネルギ保存サイクル合体機関及び合体方法。
【請求項１６５】
内側出力翼群（５３Ｂ）出力翼を３０枚以下として外側出力翼群（５３Ａ）出力翼を３０枚以下として二重反転圧縮機（３ｓ）具備水蒸気製造機（１１ｓ）とした各種エネルギ保存サイクル合体機関及び合体方法。
【請求項１６６】
内側出力翼群（５３Ｂ）出力翼を６０枚以下として外側出力翼群（５３Ａ）出力翼を６０枚以下として夫々の段を１鋳造部品として二重反転圧縮機（３ｓ）具備水蒸気製造機（１１ｓ）とした各種エネルギ保存サイクル合体機関及び合体方法。
【請求項１６７】
内側出力翼群（５３Ｂ）出力翼を５７枚以下として外側出力翼群（５３Ａ）出力翼を５７枚以下として夫々の段を１鋳造部品として二重反転圧縮機（３ｓ）具備水蒸気製造機（１１ｓ）とした各種エネルギ保存サイクル合体機関及び合体方法。
【請求項１６８】
内側出力翼群（５３Ｂ）出力翼を５４枚以下として外側出力翼群（５３Ａ）出力翼を５４枚以下として夫々の段を１鋳造部品として二重反転圧縮機（３ｓ）具備水蒸気製造機（１１ｓ）とした各種エネルギ保存サイクル合体機関及び合体方法。
【請求項１６９】
内側出力翼群（５３Ｂ）出力翼を５１枚以下として外側出力翼群（５３Ａ）出力翼を５１枚以下として夫々の段を１鋳造部品として二重反転圧縮機（３ｓ）具備水蒸気製造機（１１ｓ）とした各種エネルギ保存サイクル合体機関及び合体方法。
【請求項１７０】
内側出力翼群（５３Ｂ）出力翼を４８枚以下として外側出力翼群（５３Ａ）出力翼を４８枚以下として夫々の段を１鋳造部品として二重反転圧縮機（３ｓ）具備水蒸気製造機（１１ｓ）とした各種エネルギ保存サイクル合体機関及び合体方法。
【請求項１７１】
内側出力翼群（５３Ｂ）出力翼を４５枚以下として外側出力翼群（５３Ａ）出力翼を４５枚以下として夫々の段を１鋳造部品として二重反転圧縮機（３ｓ）具備水蒸気製造機（１１ｓ）とした各種エネルギ保存サイクル合体機関及び合体方法。
【請求項１７２】
内側出力翼群（５３Ｂ）出力翼を４２枚以下として外側出力翼群（５３Ａ）出力翼を４２枚以下として夫々の段を１鋳造部品として二重反転圧縮機（３ｓ）具備水蒸気製造機（１１ｓ）とした各種エネルギ保存サイクル合体機関及び合体方法。
【請求項１７３】
内側出力翼群（５３Ｂ）出力翼を３９枚以下として外側出力翼群（５３Ａ）出力翼を３９枚以下として夫々の段を１鋳造部品として二重反転圧縮機（３ｓ）具備水蒸気製造機（１１ｓ）とした各種エネルギ保存サイクル合体機関及び合体方法。
【請求項１７４】
内側出力翼群（５３Ｂ）出力翼を３６枚以下として外側出力翼群（５３Ａ）出力翼を３６枚以下として夫々の段を１鋳造部品として二重反転圧縮機（３ｓ）具備水蒸気製造機（１１ｓ）とした各種エネルギ保存サイクル合体機関及び合体方法。
【請求項１７５】
内側出力翼群（５３Ｂ）出力翼を３３枚以下として外側出力翼群（５３Ａ）出力翼を３３枚以下として夫々の段を１鋳造部品として二重反転圧縮機（３ｓ）具備水蒸気製造機（１１ｓ）とした各種エネルギ保存サイクル合体機関及び合体方法。
【請求項１７６】
内側出力翼群（５３Ｂ）出力翼を３０枚以下として外側出力翼群（５３Ａ）出力翼を３０枚以下として夫々の段を１鋳造部品として二重反転圧縮機（３ｓ）具備水蒸気製造機（１１ｓ）とした各種エネルギ保存サイクル合体機関及び合体方法。
【請求項１７７】
内側出力翼群（５３Ｂ）出力翼を６０枚以下として外側出力翼群（５３Ａ）出力翼を６０枚以下として夫々の段を１鋳造部品として二重反転機関用旋盤（１０Ｃ）で加工して二重反転圧縮機（３ｓ）具備水蒸気製造機（１１ｓ）とした各種エネルギ保存サイクル合体機関及び合体方法。
【請求項１７８】
内側出力翼群（５３Ｂ）出力翼を５７枚以下として外側出力翼群（５３Ａ）出力翼を５７枚以下として夫々の段を１鋳造部品として二重反転機関用旋盤（１０Ｃ）で加工して二重反転圧縮機（３ｓ）具備水蒸気製造機（１１ｓ）とした各種エネルギ保存サイクル合体機関及び合体方法。
【請求項１７９】
内側出力翼群（５３Ｂ）出力翼を５４枚以下として外側出力翼群（５３Ａ）出力翼を５４枚以下として夫々の段を１鋳造部品として二重反転機関用旋盤（１０Ｃ）で加工して二重反転圧縮機（３ｓ）具備水蒸気製造機（１１ｓ）とした各種エネルギ保存サイクル合体機関及び合体方法。
【請求項１８０】
内側出力翼群（５３Ｂ）出力翼を５１枚以下として外側出力翼群（５３Ａ）出力翼を５１枚以下として夫々の段を１鋳造部品として二重反転機関用旋盤（１０Ｃ）で加工して二重反転圧縮機（３ｓ）具備水蒸気製造機（１１ｓ）とした各種エネルギ保存サイクル合体機関及び合体方法。
【請求項１８１】
内側出力翼群（５３Ｂ）出力翼を４８枚以下として外側出力翼群（５３Ａ）出力翼を４８枚以下として夫々の段を１鋳造部品として二重反転機関用旋盤（１０Ｃ）で加工して二重反転圧縮機（３ｓ）具備水蒸気製造機（１１ｓ）とした各種エネルギ保存サイクル合体機関及び合体方法。
【請求項１８２】
内側出力翼群（５３Ｂ）出力翼を４５枚以下として外側出力翼群（５３Ａ）出力翼を４５枚以下として夫々の段を１鋳造部品として二重反転機関用旋盤（１０Ｃ）で加工して二重反転圧縮機（３ｓ）具備水蒸気製造機（１１ｓ）とした各種エネルギ保存サイクル合体機関及び合体方法。
【請求項１８３】
内側出力翼群（５３Ｂ）出力翼を４２枚以下として外側出力翼群（５３Ａ）出力翼を４２枚以下として夫々の段を１鋳造部品として二重反転機関用旋盤（１０Ｃ）で加工して二重反転圧縮機（３ｓ）具備水蒸気製造機（１１ｓ）とした各種エネルギ保存サイクル合体機関及び合体方法。
【請求項１８４】
内側出力翼群（５３Ｂ）出力翼を３９枚以下として外側出力翼群（５３Ａ）出力翼を３９枚以下として夫々の段を１鋳造部品として二重反転機関用旋盤（１０Ｃ）で加工して二重反転圧縮機（３ｓ）具備水蒸気製造機（１１ｓ）とした各種エネルギ保存サイクル合体機関及び合体方法。
【請求項１８５】
内側出力翼群（５３Ｂ）出力翼を３６枚以下として外側出力翼群（５３Ａ）出力翼を３６枚以下として夫々の段を１鋳造部品として二重反転機関用旋盤（１０Ｃ）で加工して二重反転圧縮機（３ｓ）具備水蒸気製造機（１１ｓ）とした各種エネルギ保存サイクル合体機関及び合体方法。
【請求項１８６】
内側出力翼群（５３Ｂ）出力翼を３３枚以下として外側出力翼群（５３Ａ）出力翼を３３枚以下として夫々の段を１鋳造部品として二重反転機関用旋盤（１０Ｃ）で加工して二重反転圧縮機（３ｓ）具備水蒸気製造機（１１ｓ）とした各種エネルギ保存サイクル合体機関及び合体方法。
【請求項１８７】
内側出力翼群（５３Ｂ）出力翼を３０枚以下として外側出力翼群（５３Ａ）出力翼を３０枚以下として夫々の段を１鋳造部品として二重反転機関用旋盤（１０Ｃ）で加工して二重反転圧縮機（３ｓ）具備水蒸気製造機（１１ｓ）とした各種エネルギ保存サイクル合体機関及び合体方法。
【請求項１８８】
内側出力翼群（５３Ｂ）出力翼を６０枚以下として外側出力翼群（５３Ａ）出力翼を６０枚以下として夫々の段を１鋳造部品として二重反転機関用旋盤（１０Ｃ）と出力翼用研削盤（１０Ｅ）で加工して二重反転圧縮機（３ｓ）具備水蒸気製造機（１１ｓ）とした各種エネルギ保存サイクル合体機関及び合体方法。
【請求項１８９】
内側出力翼群（５３Ｂ）出力翼を５７枚以下として外側出力翼群（５３Ａ）出力翼を５７枚以下として夫々の段を１鋳造部品として二重反転機関用旋盤（１０Ｃ）と出力翼用研削盤（１０Ｅ）で加工して二重反転圧縮機（３ｓ）具備水蒸気製造機（１１ｓ）とした各種エネルギ保存サイクル合体機関及び合体方法。
【請求項１９０】
内側出力翼群（５３Ｂ）出力翼を５４枚以下として外側出力翼群（５３Ａ）出力翼を５４枚以下として夫々の段を１鋳造部品として二重反転機関用旋盤（１０Ｃ）と出力翼用研削盤（１０Ｅ）で加工して二重反転圧縮機（３ｓ）具備水蒸気製造機（１１ｓ）とした各種エネルギ保存サイクル合体機関及び合体方法。
【請求項１９１】
内側出力翼群（５３Ｂ）出力翼を５１枚以下として外側出力翼群（５３Ａ）出力翼を５１枚以下として夫々の段を１鋳造部品として二重反転機関用旋盤（１０Ｃ）と出力翼用研削盤（１０Ｅ）で加工して二重反転圧縮機（３ｓ）具備水蒸気製造機（１１ｓ）とした各種エネルギ保存サイクル合体機関及び合体方法。
【請求項１９２】
内側出力翼群（５３Ｂ）出力翼を４８枚以下として外側出力翼群（５３Ａ）出力翼を４８枚以下として夫々の段を１鋳造部品として二重反転機関用旋盤（１０Ｃ）と出力翼用研削盤（１０Ｅ）で加工して二重反転圧縮機（３ｓ）具備水蒸気製造機（１１ｓ）とした各種エネルギ保存サイクル合体機関及び合体方法。
【請求項１９３】
内側出力翼群（５３Ｂ）出力翼を４５枚以下として外側出力翼群（５３Ａ）出力翼を４５枚以下として夫々の段を１鋳造部品として二重反転機関用旋盤（１０Ｃ）と出力翼用研削盤（１０Ｅ）で加工して二重反転圧縮機（３ｓ）具備水蒸気製造機（１１ｓ）とした各種エネルギ保存サイクル合体機関及び合体方法。
【請求項１９４】
内側出力翼群（５３Ｂ）出力翼を４２枚以下として外側出力翼群（５３Ａ）出力翼を４２枚以下として夫々の段を１鋳造部品として二重反転機関用旋盤（１０Ｃ）と出力翼用研削盤（１０Ｅ）で加工して二重反転圧縮機（３ｓ）具備水蒸気製造機（１１ｓ）とした各種エネルギ保存サイクル合体機関及び合体方法。
【請求項１９５】
内側出力翼群（５３Ｂ）出力翼を３９枚以下として外側出力翼群（５３Ａ）出力翼を３９枚以下として夫々の段を１鋳造部品として二重反転機関用旋盤（１０Ｃ）と出力翼用研削盤（１０Ｅ）で加工して二重反転圧縮機（３ｓ）具備水蒸気製造機（１１ｓ）とした各種エネルギ保存サイクル合体機関及び合体方法。
【請求項１９６】
内側出力翼群（５３Ｂ）出力翼を３６枚以下として外側出力翼群（５３Ａ）出力翼を３６枚以下として夫々の段を１鋳造部品として二重反転機関用旋盤（１０Ｃ）と出力翼用研削盤（１０Ｅ）で加工して二重反転圧縮機（３ｓ）具備水蒸気製造機（１１ｓ）とした各種エネルギ保存サイクル合体機関及び合体方法。
【請求項１９７】
内側出力翼群（５３Ｂ）出力翼を３３枚以下として外側出力翼群（５３Ａ）出力翼を３３枚以下として夫々の段を１鋳造部品として二重反転機関用旋盤（１０Ｃ）と出力翼用研削盤（１０Ｅ）で加工して二重反転圧縮機（３ｓ）具備水蒸気製造機（１１ｓ）とした各種エネルギ保存サイクル合体機関及び合体方法。
【請求項１９８】
内側出力翼群（５３Ｂ）出力翼を３０枚以下として外側出力翼群（５３Ａ）出力翼を３０枚以下として夫々の段を１鋳造部品として二重反転機関用旋盤（１０Ｃ）と出力翼用研削盤（１０Ｅ）で加工して二重反転圧縮機（３ｓ）具備水蒸気製造機（１１ｓ）とした各種エネルギ保存サイクル合体機関及び合体方法。
【請求項１９９】
内側出力翼群（５３Ｂ）出力翼を６０枚以下として外側出力翼群（５３Ａ）出力翼を６０枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して二重反転圧縮機（３ｓ）具備水蒸気製造機（１１ｓ）とした各種エネルギ保存サイクル合体機関及び合体方法。
【請求項２００】
内側出力翼群（５３Ｂ）出力翼を５７枚以下として外側出力翼群（５３Ａ）出力翼を５７枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して二重反転圧縮機（３ｓ）具備水蒸気製造機（１１ｓ）とした各種エネルギ保存サイクル合体機関及び合体方法。
【請求項２０１】
内側出力翼群（５３Ｂ）出力翼を５４枚以下として外側出力翼群（５３Ａ）出力翼を５４枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して二重反転圧縮機（３ｓ）具備水蒸気製造機（１１ｓ）とした各種エネルギ保存サイクル合体機関及び合体方法。
【請求項２０２】
内側出力翼群（５３Ｂ）出力翼を５１枚以下として外側出力翼群（５３Ａ）出力翼を５１枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して二重反転圧縮機（３ｓ）具備水蒸気製造機（１１ｓ）とした各種エネルギ保存サイクル合体機関及び合体方法。
【請求項２０３】
内側出力翼群（５３Ｂ）出力翼を４８枚以下として外側出力翼群（５３Ａ）出力翼を４８枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して二重反転圧縮機（３ｓ）具備水蒸気製造機（１１ｓ）とした各種エネルギ保存サイクル合体機関及び合体方法。
【請求項２０４】
内側出力翼群（５３Ｂ）出力翼を４５枚以下として外側出力翼群（５３Ａ）出力翼を４５枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して二重反転圧縮機（３ｓ）具備水蒸気製造機（１１ｓ）とした各種エネルギ保存サイクル合体機関及び合体方法。
【請求項２０５】
内側出力翼群（５３Ｂ）出力翼を４２枚以下として外側出力翼群（５３Ａ）出力翼を４２枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して二重反転圧縮機（３ｓ）具備水蒸気製造機（１１ｓ）とした各種エネルギ保存サイクル合体機関及び合体方法。
【請求項２０６】
内側出力翼群（５３Ｂ）出力翼を３９枚以下として外側出力翼群（５３Ａ）出力翼を３９枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して二重反転圧縮機（３ｓ）具備水蒸気製造機（１１ｓ）とした各種エネルギ保存サイクル合体機関及び合体方法。
【請求項２０７】
内側出力翼群（５３Ｂ）出力翼を３６枚以下として外側出力翼群（５３Ａ）出力翼を３６枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して二重反転圧縮機（３ｓ）具備水蒸気製造機（１１ｓ）とした各種エネルギ保存サイクル合体機関及び合体方法。
【請求項２０８】
内側出力翼群（５３Ｂ）出力翼を３３枚以下として外側出力翼群（５３Ａ）出力翼を３３枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して二重反転圧縮機（３ｓ）具備水蒸気製造機（１１ｓ）とした各種エネルギ保存サイクル合体機関及び合体方法。
【請求項２０９】
内側出力翼群（５３Ｂ）出力翼を３０枚以下として外側出力翼群（５３Ａ）出力翼を３０枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して二重反転圧縮機（３ｓ）具備水蒸気製造機（１１ｓ）とした各種エネルギ保存サイクル合体機関及び合体方法。
【請求項２１０】
内側出力翼群（５３Ｂ）出力翼を６０枚以下として外側出力翼群（５３Ａ）出力翼を６０枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転駆動する二重反転圧縮機（３ｓ）具備水蒸気製造機（１１ｓ）とした各種エネルギ保存サイクル合体機関及び合体方法。
【請求項２１１】
内側出力翼群（５３Ｂ）出力翼を５７枚以下として外側出力翼群（５３Ａ）出力翼を５７枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転駆動する二重反転圧縮機（３ｓ）具備水蒸気製造機（１１ｓ）とした各種エネルギ保存サイクル合体機関及び合体方法。
【請求項２１２】
内側出力翼群（５３Ｂ）出力翼を５４枚以下として外側出力翼群（５３Ａ）出力翼を５４枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転駆動する二重反転圧縮機（３ｓ）具備水蒸気製造機（１１ｓ）とした各種エネルギ保存サイクル合体機関及び合体方法。
【請求項２１３】
内側出力翼群（５３Ｂ）出力翼を５１枚以下として外側出力翼群（５３Ａ）出力翼を５１枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転駆動する二重反転圧縮機（３ｓ）具備水蒸気製造機（１１ｓ）とした各種エネルギ保存サイクル合体機関及び合体方法。
【請求項２１４】
内側出力翼群（５３Ｂ）出力翼を４８枚以下として外側出力翼群（５３Ａ）出力翼を４８枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転駆動する二重反転圧縮機（３ｓ）具備水蒸気製造機（１１ｓ）とした各種エネルギ保存サイクル合体機関及び合体方法。
【請求項２１５】
内側出力翼群（５３Ｂ）出力翼を４５枚以下として外側出力翼群（５３Ａ）出力翼を４５枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転駆動する二重反転圧縮機（３ｓ）具備水蒸気製造機（１１ｓ）とした各種エネルギ保存サイクル合体機関及び合体方法。
【請求項２１６】
内側出力翼群（５３Ｂ）出力翼を４２枚以下として外側出力翼群（５３Ａ）出力翼を４２枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転駆動する二重反転圧縮機（３ｓ）具備水蒸気製造機（１１ｓ）とした各種エネルギ保存サイクル合体機関及び合体方法。
【請求項２１７】
内側出力翼群（５３Ｂ）出力翼を３９枚以下として外側出力翼群（５３Ａ）出力翼を３９枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転駆動する二重反転圧縮機（３ｓ）具備水蒸気製造機（１１ｓ）とした各種エネルギ保存サイクル合体機関及び合体方法。
【請求項２１８】
内側出力翼群（５３Ｂ）出力翼を３６枚以下として外側出力翼群（５３Ａ）出力翼を３６枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転駆動する二重反転圧縮機（３ｓ）具備水蒸気製造機（１１ｓ）とした各種エネルギ保存サイクル合体機関及び合体方法。
【請求項２１９】
内側出力翼群（５３Ｂ）出力翼を３３枚以下として外側出力翼群（５３Ａ）出力翼を３３枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転駆動する二重反転圧縮機（３ｓ）具備水蒸気製造機（１１ｓ）とした各種エネルギ保存サイクル合体機関及び合体方法。
【請求項２２０】
内側出力翼群（５３Ｂ）出力翼を３０枚以下として外側出力翼群（５３Ａ）出力翼を３０枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転駆動する二重反転圧縮機（３ｓ）具備水蒸気製造機（１１ｓ）とした各種エネルギ保存サイクル合体機関及び合体方法。
【請求項２２１】
内側出力翼群（５３Ｂ）出力翼を６０枚以下として外側出力翼群（５３Ａ）出力翼を６０枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転電気駆動する二重反転圧縮機（３ｓ）具備水蒸気製造機（１１ｓ）とした各種エネルギ保存サイクル合体機関及び合体方法。
【請求項２２２】
内側出力翼群（５３Ｂ）出力翼を５７枚以下として外側出力翼群（５３Ａ）出力翼を５７枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転電気駆動する二重反転圧縮機（３ｓ）具備水蒸気製造機（１１ｓ）とした各種エネルギ保存サイクル合体機関及び合体方法。
【請求項２２３】
内側出力翼群（５３Ｂ）出力翼を５４枚以下として外側出力翼群（５３Ａ）出力翼を５４枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転電気駆動する二重反転圧縮機（３ｓ）具備水蒸気製造機（１１ｓ）とした各種エネルギ保存サイクル合体機関及び合体方法。
【請求項２２４】
内側出力翼群（５３Ｂ）出力翼を５１枚以下として外側出力翼群（５３Ａ）出力翼を５１枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転電気駆動する二重反転圧縮機（３ｓ）具備水蒸気製造機（１１ｓ）とした各種エネルギ保存サイクル合体機関及び合体方法。
【請求項２２５】
内側出力翼群（５３Ｂ）出力翼を４８枚以下として外側出力翼群（５３Ａ）出力翼を４８枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転電気駆動する二重反転圧縮機（３ｓ）具備水蒸気製造機（１１ｓ）とした各種エネルギ保存サイクル合体機関及び合体方法。
【請求項２２６】
内側出力翼群（５３Ｂ）出力翼を４５枚以下として外側出力翼群（５３Ａ）出力翼を４５枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転電気駆動する二重反転圧縮機（３ｓ）具備水蒸気製造機（１１ｓ）とした各種エネルギ保存サイクル合体機関及び合体方法。
【請求項２２７】
内側出力翼群（５３Ｂ）出力翼を４２枚以下として外側出力翼群（５３Ａ）出力翼を４２枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転電気駆動する二重反転圧縮機（３ｓ）具備水蒸気製造機（１１ｓ）とした各種エネルギ保存サイクル合体機関及び合体方法。
【請求項２２８】
内側出力翼群（５３Ｂ）出力翼を３９枚以下として外側出力翼群（５３Ａ）出力翼を３９枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転電気駆動する二重反転圧縮機（３ｓ）具備水蒸気製造機（１１ｓ）とした各種エネルギ保存サイクル合体機関及び合体方法。
【請求項２２９】
内側出力翼群（５３Ｂ）出力翼を３６枚以下として外側出力翼群（５３Ａ）出力翼を３６枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転電気駆動する二重反転圧縮機（３ｓ）具備水蒸気製造機（１１ｓ）とした各種エネルギ保存サイクル合体機関及び合体方法。
【請求項２３０】
内側出力翼群（５３Ｂ）出力翼を３３枚以下として外側出力翼群（５３Ａ）出力翼を３３枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転電気駆動する二重反転圧縮機（３ｓ）具備水蒸気製造機（１１ｓ）とした各種エネルギ保存サイクル合体機関及び合体方法。
【請求項２３１】
内側出力翼群（５３Ｂ）出力翼を３０枚以下として外側出力翼群（５３Ａ）出力翼を３０枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転電気駆動する二重反転圧縮機（３ｓ）具備水蒸気製造機（１１ｓ）とした各種エネルギ保存サイクル合体機関及び合体方法。
【請求項２３２】
内側出力翼群（５３Ｂ）出力翼を６０枚以下として外側出力翼群（５３Ａ）出力翼を６０枚以下として竪型２段圧縮機（１２Ｔ）具備水蒸気製造機（１１ｓ）とした各種エネルギ保存サイクル合体機関及び合体方法。
【請求項２３３】
内側出力翼群（５３Ｂ）出力翼を５７枚以下として外側出力翼群（５３Ａ）出力翼を５７枚以下として竪型２段圧縮機（１２Ｔ）具備水蒸気製造機（１１ｓ）とした各種エネルギ保存サイクル合体機関及び合体方法。
【請求項２３４】
内側出力翼群（５３Ｂ）出力翼を５４枚以下として外側出力翼群（５３Ａ）出力翼を５４枚以下として竪型２段圧縮機（１２Ｔ）具備水蒸気製造機（１１ｓ）とした各種エネルギ保存サイクル合体機関及び合体方法。
【請求項２３５】
内側出力翼群（５３Ｂ）出力翼を５１枚以下として外側出力翼群（５３Ａ）出力翼を５１枚以下として竪型２段圧縮機（１２Ｔ）具備水蒸気製造機（１１ｓ）とした各種エネルギ保存サイクル合体機関及び合体方法。
【請求項２３６】
内側出力翼群（５３Ｂ）出力翼を４８枚以下として外側出力翼群（５３Ａ）出力翼を４８枚以下として竪型２段圧縮機（１２Ｔ）具備水蒸気製造機（１１ｓ）とした各種エネルギ保存サイクル合体機関及び合体方法。
【請求項２３７】
内側出力翼群（５３Ｂ）出力翼を４５枚以下として外側出力翼群（５３Ａ）出力翼を４５枚以下として竪型２段圧縮機（１２Ｔ）具備水蒸気製造機（１１ｓ）とした各種エネルギ保存サイクル合体機関及び合体方法。
【請求項２３８】
内側出力翼群（５３Ｂ）出力翼を４２枚以下として外側出力翼群（５３Ａ）出力翼を４２枚以下として竪型２段圧縮機（１２Ｔ）具備水蒸気製造機（１１ｓ）とした各種エネルギ保存サイクル合体機関及び合体方法。
【請求項２３９】
内側出力翼群（５３Ｂ）出力翼を３９枚以下として外側出力翼群（５３Ａ）出力翼を３９枚以下として竪型２段圧縮機（１２Ｔ）具備水蒸気製造機（１１ｓ）とした各種エネルギ保存サイクル合体機関及び合体方法。
【請求項２４０】
内側出力翼群（５３Ｂ）出力翼を３６枚以下として外側出力翼群（５３Ａ）出力翼を３６枚以下として竪型２段圧縮機（１２Ｔ）具備水蒸気製造機（１１ｓ）とした各種エネルギ保存サイクル合体機関及び合体方法。
【請求項２４１】
内側出力翼群（５３Ｂ）出力翼を３３枚以下として外側出力翼群（５３Ａ）出力翼を３３枚以下として竪型２段圧縮機（１２Ｔ）具備水蒸気製造機（１１ｓ）とした各種エネルギ保存サイクル合体機関及び合体方法。
【請求項２４２】
内側出力翼群（５３Ｂ）出力翼を３０枚以下として外側出力翼群（５３Ａ）出力翼を３０枚以下として竪型２段圧縮機（１２Ｔ）具備水蒸気製造機（１１ｓ）とした各種エネルギ保存サイクル合体機関及び合体方法。
【請求項２４３】
内側出力翼群（５３Ｂ）出力翼を６０枚以下として外側出力翼群（５３Ａ）出力翼を６０枚以下として夫々の段を１鋳造部品として竪型２段圧縮機（１２Ｔ）具備水蒸気製造機（１１ｓ）とした各種エネルギ保存サイクル合体機関及び合体方法。
【請求項２４４】
内側出力翼群（５３Ｂ）出力翼を５７枚以下として外側出力翼群（５３Ａ）出力翼を５７枚以下として夫々の段を１鋳造部品として竪型２段圧縮機（１２Ｔ）具備水蒸気製造機（１１ｓ）とした各種エネルギ保存サイクル合体機関及び合体方法。
【請求項２４５】
内側出力翼群（５３Ｂ）出力翼を５４枚以下として外側出力翼群（５３Ａ）出力翼を５４枚以下として夫々の段を１鋳造部品として竪型２段圧縮機（１２Ｔ）具備水蒸気製造機（１１ｓ）とした各種エネルギ保存サイクル合体機関及び合体方法。
【請求項２４６】
内側出力翼群（５３Ｂ）出力翼を５１枚以下として外側出力翼群（５３Ａ）出力翼を５１枚以下として夫々の段を１鋳造部品として竪型２段圧縮機（１２Ｔ）具備水蒸気製造機（１１ｓ）とした各種エネルギ保存サイクル合体機関及び合体方法。
【請求項２４７】
内側出力翼群（５３Ｂ）出力翼を４８枚以下として外側出力翼群（５３Ａ）出力翼を４８枚以下として夫々の段を１鋳造部品として竪型２段圧縮機（１２Ｔ）具備水蒸気製造機（１１ｓ）とした各種エネルギ保存サイクル合体機関及び合体方法。
【請求項２４８】
内側出力翼群（５３Ｂ）出力翼を４５枚以下として外側出力翼群（５３Ａ）出力翼を４５枚以下として夫々の段を１鋳造部品として竪型２段圧縮機（１２Ｔ）具備水蒸気製造機（１１ｓ）とした各種エネルギ保存サイクル合体機関及び合体方法。
【請求項２４９】
内側出力翼群（５３Ｂ）出力翼を４２枚以下として外側出力翼群（５３Ａ）出力翼を４２枚以下として夫々の段を１鋳造部品として竪型２段圧縮機（１２Ｔ）具備水蒸気製造機（１１ｓ）とした各種エネルギ保存サイクル合体機関及び合体方法。
【請求項２５０】
内側出力翼群（５３Ｂ）出力翼を３９枚以下として外側出力翼群（５３Ａ）出力翼を３９枚以下として夫々の段を１鋳造部品として竪型２段圧縮機（１２Ｔ）具備水蒸気製造機（１１ｓ）とした各種エネルギ保存サイクル合体機関及び合体方法。
【請求項２５１】
内側出力翼群（５３Ｂ）出力翼を３６枚以下として外側出力翼群（５３Ａ）出力翼を３６枚以下として夫々の段を１鋳造部品として竪型２段圧縮機（１２Ｔ）具備水蒸気製造機（１１ｓ）とした各種エネルギ保存サイクル合体機関及び合体方法。
【請求項２５２】
内側出力翼群（５３Ｂ）出力翼を３３枚以下として外側出力翼群（５３Ａ）出力翼を３３枚以下として夫々の段を１鋳造部品として竪型２段圧縮機（１２Ｔ）具備水蒸気製造機（１１ｓ）とした各種エネルギ保存サイクル合体機関及び合体方法。
【請求項２５３】
内側出力翼群（５３Ｂ）出力翼を３０枚以下として外側出力翼群（５３Ａ）出力翼を３０枚以下として夫々の段を１鋳造部品として竪型２段圧縮機（１２Ｔ）具備水蒸気製造機（１１ｓ）とした各種エネルギ保存サイクル合体機関及び合体方法。
【請求項２５４】
内側出力翼群（５３Ｂ）出力翼を６０枚以下として外側出力翼群（５３Ａ）出力翼を６０枚以下として夫々の段を１鋳造部品として二重反転機関用旋盤（１０Ｃ）で加工して竪型２段圧縮機（１２Ｔ）具備水蒸気製造機（１１ｓ）とした各種エネルギ保存サイクル合体機関及び合体方法。
【請求項２５５】
内側出力翼群（５３Ｂ）出力翼を５７枚以下として外側出力翼群（５３Ａ）出力翼を５７枚以下として夫々の段を１鋳造部品として二重反転機関用旋盤（１０Ｃ）で加工して竪型２段圧縮機（１２Ｔ）具備水蒸気製造機（１１ｓ）とした各種エネルギ保存サイクル合体機関及び合体方法。
【請求項２５６】
内側出力翼群（５３Ｂ）出力翼を５４枚以下として外側出力翼群（５３Ａ）出力翼を５４枚以下として夫々の段を１鋳造部品として二重反転機関用旋盤（１０Ｃ）で加工して竪型２段圧縮機（１２Ｔ）具備水蒸気製造機（１１ｓ）とした各種エネルギ保存サイクル合体機関及び合体方法。
【請求項２５７】
内側出力翼群（５３Ｂ）出力翼を５１枚以下として外側出力翼群（５３Ａ）出力翼を５１枚以下として夫々の段を１鋳造部品として二重反転機関用旋盤（１０Ｃ）で加工して竪型２段圧縮機（１２Ｔ）具備水蒸気製造機（１１ｓ）とした各種エネルギ保存サイクル合体機関及び合体方法。
【請求項２５８】
内側出力翼群（５３Ｂ）出力翼を４８枚以下として外側出力翼群（５３Ａ）出力翼を４８枚以下として夫々の段を１鋳造部品として二重反転機関用旋盤（１０Ｃ）で加工して竪型２段圧縮機（１２Ｔ）具備水蒸気製造機（１１ｓ）とした各種エネルギ保存サイクル合体機関及び合体方法。
【請求項２５９】
内側出力翼群（５３Ｂ）出力翼を４５枚以下として外側出力翼群（５３Ａ）出力翼を４５枚以下として夫々の段を１鋳造部品として二重反転機関用旋盤（１０Ｃ）で加工して竪型２段圧縮機（１２Ｔ）具備水蒸気製造機（１１ｓ）とした各種エネルギ保存サイクル合体機関及び合体方法。
【請求項２６０】
内側出力翼群（５３Ｂ）出力翼を４２枚以下として外側出力翼群（５３Ａ）出力翼を４２枚以下として夫々の段を１鋳造部品として二重反転機関用旋盤（１０Ｃ）で加工して竪型２段圧縮機（１２Ｔ）具備水蒸気製造機（１１ｓ）とした各種エネルギ保存サイクル合体機関及び合体方法。
【請求項２６１】
内側出力翼群（５３Ｂ）出力翼を３９枚以下として外側出力翼群（５３Ａ）出力翼を３９枚以下として夫々の段を１鋳造部品として二重反転機関用旋盤（１０Ｃ）で加工して竪型２段圧縮機（１２Ｔ）具備水蒸気製造機（１１ｓ）とした各種エネルギ保存サイクル合体機関及び合体方法。
【請求項２６２】
内側出力翼群（５３Ｂ）出力翼を３６枚以下として外側出力翼群（５３Ａ）出力翼を３６枚以下として夫々の段を１鋳造部品として二重反転機関用旋盤（１０Ｃ）で加工して竪型２段圧縮機（１２Ｔ）具備水蒸気製造機（１１ｓ）とした各種エネルギ保存サイクル合体機関及び合体方法。
【請求項２６３】
内側出力翼群（５３Ｂ）出力翼を３３枚以下として外側出力翼群（５３Ａ）出力翼を３３枚以下として夫々の段を１鋳造部品として二重反転機関用旋盤（１０Ｃ）で加工して竪型２段圧縮機（１２Ｔ）具備水蒸気製造機（１１ｓ）とした各種エネルギ保存サイクル合体機関及び合体方法。
【請求項２６４】
内側出力翼群（５３Ｂ）出力翼を３０枚以下として外側出力翼群（５３Ａ）出力翼を３０枚以下として夫々の段を１鋳造部品として二重反転機関用旋盤（１０Ｃ）で加工して竪型２段圧縮機（１２Ｔ）具備水蒸気製造機（１１ｓ）とした各種エネルギ保存サイクル合体機関及び合体方法。
【請求項２６５】
内側出力翼群（５３Ｂ）出力翼を６０枚以下として外側出力翼群（５３Ａ）出力翼を６０枚以下として夫々の段を１鋳造部品として二重反転機関用旋盤（１０Ｃ）と出力翼用研削盤（１０Ｅ）で加工して竪型２段圧縮機（１２Ｔ）具備水蒸気製造機（１１ｓ）とした各種エネルギ保存サイクル合体機関及び合体方法。
【請求項２６６】
内側出力翼群（５３Ｂ）出力翼を５７枚以下として外側出力翼群（５３Ａ）出力翼を５７枚以下として夫々の段を１鋳造部品として二重反転機関用旋盤（１０Ｃ）と出力翼用研削盤（１０Ｅ）で加工して竪型２段圧縮機（１２Ｔ）具備水蒸気製造機（１１ｓ）とした各種エネルギ保存サイクル合体機関及び合体方法。
【請求項２６７】
内側出力翼群（５３Ｂ）出力翼を５４枚以下として外側出力翼群（５３Ａ）出力翼を５４枚以下として夫々の段を１鋳造部品として二重反転機関用旋盤（１０Ｃ）と出力翼用研削盤（１０Ｅ）で加工して竪型２段圧縮機（１２Ｔ）具備水蒸気製造機（１１ｓ）とした各種エネルギ保存サイクル合体機関及び合体方法。
【請求項２６８】
内側出力翼群（５３Ｂ）出力翼を５１枚以下として外側出力翼群（５３Ａ）出力翼を５１枚以下として夫々の段を１鋳造部品として二重反転機関用旋盤（１０Ｃ）と出力翼用研削盤（１０Ｅ）で加工して竪型２段圧縮機（１２Ｔ）具備水蒸気製造機（１１ｓ）とした各種エネルギ保存サイクル合体機関及び合体方法。
【請求項２６９】
内側出力翼群（５３Ｂ）出力翼を４８枚以下として外側出力翼群（５３Ａ）出力翼を４８枚以下として夫々の段を１鋳造部品として二重反転機関用旋盤（１０Ｃ）と出力翼用研削盤（１０Ｅ）で加工して竪型２段圧縮機（１２Ｔ）具備水蒸気製造機（１１ｓ）とした各種エネルギ保存サイクル合体機関及び合体方法。
【請求項２７０】
内側出力翼群（５３Ｂ）出力翼を４５枚以下として外側出力翼群（５３Ａ）出力翼を４５枚以下として夫々の段を１鋳造部品として二重反転機関用旋盤（１０Ｃ）と出力翼用研削盤（１０Ｅ）で加工して竪型２段圧縮機（１２Ｔ）具備水蒸気製造機（１１ｓ）とした各種エネルギ保存サイクル合体機関及び合体方法。
【請求項２７１】
内側出力翼群（５３Ｂ）出力翼を４２枚以下として外側出力翼群（５３Ａ）出力翼を４２枚以下として夫々の段を１鋳造部品として二重反転機関用旋盤（１０Ｃ）と出力翼用研削盤（１０Ｅ）で加工して竪型２段圧縮機（１２Ｔ）具備水蒸気製造機（１１ｓ）とした各種エネルギ保存サイクル合体機関及び合体方法。
【請求項２７２】
内側出力翼群（５３Ｂ）出力翼を３９枚以下として外側出力翼群（５３Ａ）出力翼を３９枚以下として夫々の段を１鋳造部品として二重反転機関用旋盤（１０Ｃ）と出力翼用研削盤（１０Ｅ）で加工して竪型２段圧縮機（１２Ｔ）具備水蒸気製造機（１１ｓ）とした各種エネルギ保存サイクル合体機関及び合体方法。
【請求項２７３】
内側出力翼群（５３Ｂ）出力翼を３６枚以下として外側出力翼群（５３Ａ）出力翼を３６枚以下として夫々の段を１鋳造部品として二重反転機関用旋盤（１０Ｃ）と出力翼用研削盤（１０Ｅ）で加工して竪型２段圧縮機（１２Ｔ）具備水蒸気製造機（１１ｓ）とした各種エネルギ保存サイクル合体機関及び合体方法。
【請求項２７４】
内側出力翼群（５３Ｂ）出力翼を３３枚以下として外側出力翼群（５３Ａ）出力翼を３３枚以下として夫々の段を１鋳造部品として二重反転機関用旋盤（１０Ｃ）と出力翼用研削盤（１０Ｅ）で加工して竪型２段圧縮機（１２Ｔ）具備水蒸気製造機（１１ｓ）とした各種エネルギ保存サイクル合体機関及び合体方法。
【請求項２７５】
内側出力翼群（５３Ｂ）出力翼を３０枚以下として外側出力翼群（５３Ａ）出力翼を３０枚以下として夫々の段を１鋳造部品として二重反転機関用旋盤（１０Ｃ）と出力翼用研削盤（１０Ｅ）で加工して竪型２段圧縮機（１２Ｔ）具備水蒸気製造機（１１ｓ）とした各種エネルギ保存サイクル合体機関及び合体方法。
【請求項２７６】
内側出力翼群（５３Ｂ）出力翼を６０枚以下として外側出力翼群（５３Ａ）出力翼を６０枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して竪型２段圧縮機（１２Ｔ）具備水蒸気製造機（１１ｓ）とした各種エネルギ保存サイクル合体機関及び合体方法。
【請求項２７７】
内側出力翼群（５３Ｂ）出力翼を５７枚以下として外側出力翼群（５３Ａ）出力翼を５７枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して竪型２段圧縮機（１２Ｔ）具備水蒸気製造機（１１ｓ）とした各種エネルギ保存サイクル合体機関及び合体方法。
【請求項２７８】
内側出力翼群（５３Ｂ）出力翼を５４枚以下として外側出力翼群（５３Ａ）出力翼を５４枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して竪型２段圧縮機（１２Ｔ）具備水蒸気製造機（１１ｓ）とした各種エネルギ保存サイクル合体機関及び合体方法。
【請求項２７９】
内側出力翼群（５３Ｂ）出力翼を５１枚以下として外側出力翼群（５３Ａ）出力翼を５１枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して竪型２段圧縮機（１２Ｔ）具備水蒸気製造機（１１ｓ）とした各種エネルギ保存サイクル合体機関及び合体方法。
【請求項２８０】
内側出力翼群（５３Ｂ）出力翼を４８枚以下として外側出力翼群（５３Ａ）出力翼を４８枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して竪型２段圧縮機（１２Ｔ）具備水蒸気製造機（１１ｓ）とした各種エネルギ保存サイクル合体機関及び合体方法。
【請求項２８１】
内側出力翼群（５３Ｂ）出力翼を４５枚以下として外側出力翼群（５３Ａ）出力翼を４５枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して竪型２段圧縮機（１２Ｔ）具備水蒸気製造機（１１ｓ）とした各種エネルギ保存サイクル合体機関及び合体方法。
【請求項２８２】
内側出力翼群（５３Ｂ）出力翼を４２枚以下として外側出力翼群（５３Ａ）出力翼を４２枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して竪型２段圧縮機（１２Ｔ）具備水蒸気製造機（１１ｓ）とした各種エネルギ保存サイクル合体機関及び合体方法。
【請求項２８３】
内側出力翼群（５３Ｂ）出力翼を３９枚以下として外側出力翼群（５３Ａ）出力翼を３９枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して竪型２段圧縮機（１２Ｔ）具備水蒸気製造機（１１ｓ）とした各種エネルギ保存サイクル合体機関及び合体方法。
【請求項２８４】
内側出力翼群（５３Ｂ）出力翼を３６枚以下として外側出力翼群（５３Ａ）出力翼を３６枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して竪型２段圧縮機（１２Ｔ）具備水蒸気製造機（１１ｓ）とした各種エネルギ保存サイクル合体機関及び合体方法。
【請求項２８５】
内側出力翼群（５３Ｂ）出力翼を３３枚以下として外側出力翼群（５３Ａ）出力翼を３３枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して竪型２段圧縮機（１２Ｔ）具備水蒸気製造機（１１ｓ）とした各種エネルギ保存サイクル合体機関及び合体方法。
【請求項２８６】
内側出力翼群（５３Ｂ）出力翼を３０枚以下として外側出力翼群（５３Ａ）出力翼を３０枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して竪型２段圧縮機（１２Ｔ）具備水蒸気製造機（１１ｓ）とした各種エネルギ保存サイクル合体機関及び合体方法。
【請求項２８７】
内側出力翼群（５３Ｂ）出力翼を６０枚以下として外側出力翼群（５３Ａ）出力翼を６０枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転駆動する竪型２段圧縮機（１２Ｔ）具備水蒸気製造機（１１ｓ）とした各種エネルギ保存サイクル合体機関及び合体方法。
【請求項２８８】
内側出力翼群（５３Ｂ）出力翼を５７枚以下として外側出力翼群（５３Ａ）出力翼を５７枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転駆動する竪型２段圧縮機（１２Ｔ）具備水蒸気製造機（１１ｓ）とした各種エネルギ保存サイクル合体機関及び合体方法。
【請求項２８９】
内側出力翼群（５３Ｂ）出力翼を５４枚以下として外側出力翼群（５３Ａ）出力翼を５４枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転駆動する竪型２段圧縮機（１２Ｔ）具備水蒸気製造機（１１ｓ）とした各種エネルギ保存サイクル合体機関及び合体方法。
【請求項２９０】
内側出力翼群（５３Ｂ）出力翼を５１枚以下として外側出力翼群（５３Ａ）出力翼を５１枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転駆動する竪型２段圧縮機（１２Ｔ）具備水蒸気製造機（１１ｓ）とした各種エネルギ保存サイクル合体機関及び合体方法。
【請求項２９１】
内側出力翼群（５３Ｂ）出力翼を４８枚以下として外側出力翼群（５３Ａ）出力翼を４８枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転駆動する竪型２段圧縮機（１２Ｔ）具備水蒸気製造機（１１ｓ）とした各種エネルギ保存サイクル合体機関及び合体方法。
【請求項２９２】
内側出力翼群（５３Ｂ）出力翼を４５枚以下として外側出力翼群（５３Ａ）出力翼を４５枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転駆動する竪型２段圧縮機（１２Ｔ）具備水蒸気製造機（１１ｓ）とした各種エネルギ保存サイクル合体機関及び合体方法。
【請求項２９３】
内側出力翼群（５３Ｂ）出力翼を４２枚以下として外側出力翼群（５３Ａ）出力翼を４２枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転駆動する竪型２段圧縮機（１２Ｔ）具備水蒸気製造機（１１ｓ）とした各種エネルギ保存サイクル合体機関及び合体方法。
【請求項２９４】
内側出力翼群（５３Ｂ）出力翼を３９枚以下として外側出力翼群（５３Ａ）出力翼を３９枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転駆動する竪型２段圧縮機（１２Ｔ）具備水蒸気製造機（１１ｓ）とした各種エネルギ保存サイクル合体機関及び合体方法。
【請求項２９５】
内側出力翼群（５３Ｂ）出力翼を３６枚以下として外側出力翼群（５３Ａ）出力翼を３６枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転駆動する竪型２段圧縮機（１２Ｔ）具備水蒸気製造機（１１ｓ）とした各種エネルギ保存サイクル合体機関及び合体方法。
【請求項２９６】
内側出力翼群（５３Ｂ）出力翼を３３枚以下として外側出力翼群（５３Ａ）出力翼を３３枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転駆動する竪型２段圧縮機（１２Ｔ）具備水蒸気製造機（１１ｓ）とした各種エネルギ保存サイクル合体機関及び合体方法。
【請求項２９７】
内側出力翼群（５３Ｂ）出力翼を３０枚以下として外側出力翼群（５３Ａ）出力翼を３０枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転駆動する竪型２段圧縮機（１２Ｔ）具備水蒸気製造機（１１ｓ）とした各種エネルギ保存サイクル合体機関及び合体方法。
【請求項２９８】
内側出力翼群（５３Ｂ）出力翼を６０枚以下として外側出力翼群（５３Ａ）出力翼を６０枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転電気駆動する竪型２段圧縮機（１２Ｔ）具備水蒸気製造機（１１ｓ）とした各種エネルギ保存サイクル合体機関及び合体方法。
【請求項２９９】
内側出力翼群（５３Ｂ）出力翼を５７枚以下として外側出力翼群（５３Ａ）出力翼を５７枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転電気駆動する竪型２段圧縮機（１２Ｔ）具備水蒸気製造機（１１ｓ）とした各種エネルギ保存サイクル合体機関及び合体方法。
【請求項３００】
内側出力翼群（５３Ｂ）出力翼を５４枚以下として外側出力翼群（５３Ａ）出力翼を５４枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転電気駆動する竪型２段圧縮機（１２Ｔ）具備水蒸気製造機（１１ｓ）とした各種エネルギ保存サイクル合体機関及び合体方法。
【請求項３０１】
内側出力翼群（５３Ｂ）出力翼を５１枚以下として外側出力翼群（５３Ａ）出力翼を５１枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転電気駆動する竪型２段圧縮機（１２Ｔ）具備水蒸気製造機（１１ｓ）とした各種エネルギ保存サイクル合体機関及び合体方法。
【請求項３０２】
内側出力翼群（５３Ｂ）出力翼を４８枚以下として外側出力翼群（５３Ａ）出力翼を４８枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転電気駆動する竪型２段圧縮機（１２Ｔ）具備水蒸気製造機（１１ｓ）とした各種エネルギ保存サイクル合体機関及び合体方法。
【請求項３０３】
内側出力翼群（５３Ｂ）出力翼を４５枚以下として外側出力翼群（５３Ａ）出力翼を４５枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転電気駆動する竪型２段圧縮機（１２Ｔ）具備水蒸気製造機（１１ｓ）とした各種エネルギ保存サイクル合体機関及び合体方法。
【請求項３０４】
内側出力翼群（５３Ｂ）出力翼を４２枚以下として外側出力翼群（５３Ａ）出力翼を４２枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転電気駆動する竪型２段圧縮機（１２Ｔ）具備水蒸気製造機（１１ｓ）とした各種エネルギ保存サイクル合体機関及び合体方法。
【請求項３０５】
内側出力翼群（５３Ｂ）出力翼を３９枚以下として外側出力翼群（５３Ａ）出力翼を３９枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転電気駆動する竪型２段圧縮機（１２Ｔ）具備水蒸気製造機（１１ｓ）とした各種エネルギ保存サイクル合体機関及び合体方法。
【請求項３０６】
内側出力翼群（５３Ｂ）出力翼を３６枚以下として外側出力翼群（５３Ａ）出力翼を３６枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転電気駆動する竪型２段圧縮機（１２Ｔ）具備水蒸気製造機（１１ｓ）とした各種エネルギ保存サイクル合体機関及び合体方法。
【請求項３０７】
内側出力翼群（５３Ｂ）出力翼を３３枚以下として外側出力翼群（５３Ａ）出力翼を３３枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転電気駆動する竪型２段圧縮機（１２Ｔ）具備水蒸気製造機（１１ｓ）とした各種エネルギ保存サイクル合体機関及び合体方法。
【請求項３０８】
内側出力翼群（５３Ｂ）出力翼を３０枚以下として外側出力翼群（５３Ａ）出力翼を３０枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転電気駆動する竪型２段圧縮機（１２Ｔ）具備水蒸気製造機（１１ｓ）とした各種エネルギ保存サイクル合体機関及び合体方法。
【請求項３０９】
内側出力翼群（５３Ｂ）出力翼を６０枚以下として外側出力翼群（５３Ａ）出力翼を６０枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転駆動して竪型として軸受（１２Ｃ）荷重０接近に反発電磁石永久磁石（９Ｂ）吸引電磁石永久磁石（９Ｃ）具備推力軸受（１３Ｃ）荷重０接近にする竪型２段圧縮機（１２Ｔ）具備水蒸気製造機（１１ｓ）とした各種エネルギ保存サイクル合体機関及び合体方法。
【請求項３１０】
内側出力翼群（５３Ｂ）出力翼を５７枚以下として外側出力翼群（５３Ａ）出力翼を５７枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転駆動して竪型として軸受（１２Ｃ）荷重０接近に反発電磁石永久磁石（９Ｂ）吸引電磁石永久磁石（９Ｃ）具備推力軸受（１３Ｃ）荷重０接近にする竪型２段圧縮機（１２Ｔ）具備水蒸気製造機（１１ｓ）とした各種エネルギ保存サイクル合体機関及び合体方法。
【請求項３１１】
内側出力翼群（５３Ｂ）出力翼を５４枚以下として外側出力翼群（５３Ａ）出力翼を５４枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転駆動して竪型として軸受（１２Ｃ）荷重０接近に反発電磁石永久磁石（９Ｂ）吸引電磁石永久磁石（９Ｃ）具備推力軸受（１３Ｃ）荷重０接近にする竪型２段圧縮機（１２Ｔ）具備水蒸気製造機（１１ｓ）とした各種エネルギ保存サイクル合体機関及び合体方法。
【請求項３１２】
内側出力翼群（５３Ｂ）出力翼を５１枚以下として外側出力翼群（５３Ａ）出力翼を５１枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転駆動して竪型として軸受（１２Ｃ）荷重０接近に反発電磁石永久磁石（９Ｂ）吸引電磁石永久磁石（９Ｃ）具備推力軸受（１３Ｃ）荷重０接近にする竪型２段圧縮機（１２Ｔ）具備水蒸気製造機（１１ｓ）とした各種エネルギ保存サイクル合体機関及び合体方法。
【請求項３１３】
内側出力翼群（５３Ｂ）出力翼を４８枚以下として外側出力翼群（５３Ａ）出力翼を４８枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転駆動して竪型として軸受（１２Ｃ）荷重０接近に反発電磁石永久磁石（９Ｂ）吸引電磁石永久磁石（９Ｃ）具備推力軸受（１３Ｃ）荷重０接近にする竪型２段圧縮機（１２Ｔ）具備水蒸気製造機（１１ｓ）とした各種エネルギ保存サイクル合体機関及び合体方法。
【請求項３１４】
内側出力翼群（５３Ｂ）出力翼を４５枚以下として外側出力翼群（５３Ａ）出力翼を４５枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転駆動して竪型として軸受（１２Ｃ）荷重０接近に反発電磁石永久磁石（９Ｂ）吸引電磁石永久磁石（９Ｃ）具備推力軸受（１３Ｃ）荷重０接近にする竪型２段圧縮機（１２Ｔ）具備水蒸気製造機（１１ｓ）とした各種エネルギ保存サイクル合体機関及び合体方法。
【請求項３１５】
内側出力翼群（５３Ｂ）出力翼を４２枚以下として外側出力翼群（５３Ａ）出力翼を４２枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転駆動して竪型として軸受（１２Ｃ）荷重０接近に反発電磁石永久磁石（９Ｂ）吸引電磁石永久磁石（９Ｃ）具備推力軸受（１３Ｃ）荷重０接近にする竪型２段圧縮機（１２Ｔ）具備水蒸気製造機（１１ｓ）とした各種エネルギ保存サイクル合体機関及び合体方法。
【請求項３１６】
内側出力翼群（５３Ｂ）出力翼を３９枚以下として外側出力翼群（５３Ａ）出力翼を３９枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転駆動して竪型として軸受（１２Ｃ）荷重０接近に反発電磁石永久磁石（９Ｂ）吸引電磁石永久磁石（９Ｃ）具備推力軸受（１３Ｃ）荷重０接近にする竪型２段圧縮機（１２Ｔ）具備水蒸気製造機（１１ｓ）とした各種エネルギ保存サイクル合体機関及び合体方法。
【請求項３１７】
内側出力翼群（５３Ｂ）出力翼を３６枚以下として外側出力翼群（５３Ａ）出力翼を３６枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転駆動して竪型として軸受（１２Ｃ）荷重０接近に反発電磁石永久磁石（９Ｂ）吸引電磁石永久磁石（９Ｃ）具備推力軸受（１３Ｃ）荷重０接近にする竪型２段圧縮機（１２Ｔ）具備水蒸気製造機（１１ｓ）とした各種エネルギ保存サイクル合体機関及び合体方法。
【請求項３１８】
内側出力翼群（５３Ｂ）出力翼を３３枚以下として外側出力翼群（５３Ａ）出力翼を３３枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転駆動して竪型として軸受（１２Ｃ）荷重０接近に反発電磁石永久磁石（９Ｂ）吸引電磁石永久磁石（９Ｃ）具備推力軸受（１３Ｃ）荷重０接近にする竪型２段圧縮機（１２Ｔ）具備水蒸気製造機（１１ｓ）とした各種エネルギ保存サイクル合体機関及び合体方法。
【請求項３１９】
内側出力翼群（５３Ｂ）出力翼を３０枚以下として外側出力翼群（５３Ａ）出力翼を３０枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転駆動して竪型として軸受（１２Ｃ）荷重０接近に反発電磁石永久磁石（９Ｂ）吸引電磁石永久磁石（９Ｃ）具備推力軸受（１３Ｃ）荷重０接近にする竪型２段圧縮機（１２Ｔ）具備水蒸気製造機（１１ｓ）とした各種エネルギ保存サイクル合体機関及び合体方法。
【請求項３２０】
内側出力翼群（５３Ｂ）出力翼を６０枚以下として外側出力翼群（５３Ａ）出力翼を６０枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転電気駆動して竪型として軸受（１２Ｃ）荷重０接近に反発電磁石永久磁石（９Ｂ）吸引電磁石永久磁石（９Ｃ）具備推力軸受（１３Ｃ）荷重０接近にする竪型２段圧縮機（１２Ｔ）具備水蒸気製造機（１１ｓ）とした各種エネルギ保存サイクル合体機関及び合体方法。
【請求項３２１】
内側出力翼群（５３Ｂ）出力翼を５７枚以下として外側出力翼群（５３Ａ）出力翼を５７枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転電気駆動して竪型として軸受（１２Ｃ）荷重０接近に反発電磁石永久磁石（９Ｂ）吸引電磁石永久磁石（９Ｃ）具備推力軸受（１３Ｃ）荷重０接近にする竪型２段圧縮機（１２Ｔ）具備水蒸気製造機（１１ｓ）とした各種エネルギ保存サイクル合体機関及び合体方法。
【請求項３２２】
内側出力翼群（５３Ｂ）出力翼を５４枚以下として外側出力翼群（５３Ａ）出力翼を５４枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転電気駆動して竪型として軸受（１２Ｃ）荷重０接近に反発電磁石永久磁石（９Ｂ）吸引電磁石永久磁石（９Ｃ）具備推力軸受（１３Ｃ）荷重０接近にする竪型２段圧縮機（１２Ｔ）具備水蒸気製造機（１１ｓ）とした各種エネルギ保存サイクル合体機関及び合体方法。
【請求項３２３】
内側出力翼群（５３Ｂ）出力翼を５１枚以下として外側出力翼群（５３Ａ）出力翼を５１枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転電気駆動して竪型として軸受（１２Ｃ）荷重０接近に反発電磁石永久磁石（９Ｂ）吸引電磁石永久磁石（９Ｃ）具備推力軸受（１３Ｃ）荷重０接近にする竪型２段圧縮機（１２Ｔ）具備水蒸気製造機（１１ｓ）とした各種エネルギ保存サイクル合体機関及び合体方法。
【請求項３２４】
内側出力翼群（５３Ｂ）出力翼を４８枚以下として外側出力翼群（５３Ａ）出力翼を４８枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転電気駆動して竪型として軸受（１２Ｃ）荷重０接近に反発電磁石永久磁石（９Ｂ）吸引電磁石永久磁石（９Ｃ）具備推力軸受（１３Ｃ）荷重０接近にする竪型２段圧縮機（１２Ｔ）具備水蒸気製造機（１１ｓ）とした各種エネルギ保存サイクル合体機関及び合体方法。
【請求項３２５】
内側出力翼群（５３Ｂ）出力翼を４５枚以下として外側出力翼群（５３Ａ）出力翼を４５枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転電気駆動して竪型として軸受（１２Ｃ）荷重０接近に反発電磁石永久磁石（９Ｂ）吸引電磁石永久磁石（９Ｃ）具備推力軸受（１３Ｃ）荷重０接近にする竪型２段圧縮機（１２Ｔ）具備水蒸気製造機（１１ｓ）とした各種エネルギ保存サイクル合体機関及び合体方法。
【請求項３２６】
内側出力翼群（５３Ｂ）出力翼を４２枚以下として外側出力翼群（５３Ａ）出力翼を４２枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転電気駆動して竪型として軸受（１２Ｃ）荷重０接近に反発電磁石永久磁石（９Ｂ）吸引電磁石永久磁石（９Ｃ）具備推力軸受（１３Ｃ）荷重０接近にする竪型２段圧縮機（１２Ｔ）具備水蒸気製造機（１１ｓ）とした各種エネルギ保存サイクル合体機関及び合体方法。
【請求項３２７】
内側出力翼群（５３Ｂ）出力翼を３９枚以下として外側出力翼群（５３Ａ）出力翼を３９枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転電気駆動して竪型として軸受（１２Ｃ）荷重０接近に反発電磁石永久磁石（９Ｂ）吸引電磁石永久磁石（９Ｃ）具備推力軸受（１３Ｃ）荷重０接近にする竪型２段圧縮機（１２Ｔ）具備水蒸気製造機（１１ｓ）とした各種エネルギ保存サイクル合体機関及び合体方法。
【請求項３２８】
内側出力翼群（５３Ｂ）出力翼を３６枚以下として外側出力翼群（５３Ａ）出力翼を３６枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転電気駆動して竪型として軸受（１２Ｃ）荷重０接近に反発電磁石永久磁石（９Ｂ）吸引電磁石永久磁石（９Ｃ）具備推力軸受（１３Ｃ）荷重０接近にする竪型２段圧縮機（１２Ｔ）具備水蒸気製造機（１１ｓ）とした各種エネルギ保存サイクル合体機関及び合体方法。
【請求項３２９】
内側出力翼群（５３Ｂ）出力翼を３３枚以下として外側出力翼群（５３Ａ）出力翼を３３枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転電気駆動して竪型として軸受（１２Ｃ）荷重０接近に反発電磁石永久磁石（９Ｂ）吸引電磁石永久磁石（９Ｃ）具備推力軸受（１３Ｃ）荷重０接近にする竪型２段圧縮機（１２Ｔ）具備水蒸気製造機（１１ｓ）とした各種エネルギ保存サイクル合体機関及び合体方法。
【請求項３３０】
内側出力翼群（５３Ｂ）出力翼を３０枚以下として外側出力翼群（５３Ａ）出力翼を３０枚以下として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を電動外軸回転子（１３Ｅ）電動内軸回転子（１３Ｆ）で二重反転電気駆動して竪型として軸受（１２Ｃ）荷重０接近に反発電磁石永久磁石（９Ｂ）吸引電磁石永久磁石（９Ｃ）具備推力軸受（１３Ｃ）荷重０接近にする竪型２段圧縮機（１２Ｔ）具備水蒸気製造機（１１ｓ）とした各種エネルギ保存サイクル合体機関及び合体方法。
【請求項３３１】
太陽光加熱器（２１）で加熱した空気を圧縮比１１以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）具備水蒸気製造機（１１ｓ）で製造する超臨界圧力水蒸気（５Ｈ）とした各種エネルギ保存サイクル合体機関及び合体方法。
【請求項３３２】
太陽光加熱器（２１）で加熱した空気を圧縮比１２以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）具備水蒸気製造機（１１ｓ）で製造する超臨界圧力水蒸気（５Ｈ）とした各種エネルギ保存サイクル合体機関及び合体方法。
【請求項３３３】
太陽光加熱器（２１）で加熱した空気を圧縮比１３以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）具備水蒸気製造機（１１ｓ）で製造する超臨界圧力水蒸気（５Ｈ）とした各種エネルギ保存サイクル合体機関及び合体方法。
【請求項３３４】
太陽光加熱器（２１）で加熱した空気を圧縮比１４以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）具備水蒸気製造機（１１ｓ）で製造する超臨界圧力水蒸気（５Ｈ）とした各種エネルギ保存サイクル合体機関及び合体方法。
【請求項３３５】
太陽光加熱器（２１）で加熱した空気を圧縮比１５以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）具備水蒸気製造機（１１ｓ）で製造する超臨界圧力水蒸気（５Ｈ）とした各種エネルギ保存サイクル合体機関及び合体方法。
【請求項３３６】
太陽光加熱器（２１）で加熱した空気を圧縮比１６以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）具備水蒸気製造機（１１ｓ）で製造する超臨界圧力水蒸気（５Ｈ）とした各種エネルギ保存サイクル合体機関及び合体方法。
【請求項３３７】
太陽光加熱器（２１）で加熱した空気を圧縮比１７以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）具備水蒸気製造機（１１ｓ）で製造する超臨界圧力水蒸気（５Ｈ）とした各種エネルギ保存サイクル合体機関及び合体方法。
【請求項３３８】
太陽光加熱器（２１）で加熱した空気を圧縮比１８以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）具備水蒸気製造機（１１ｓ）で製造する超臨界圧力水蒸気（５Ｈ）とした各種エネルギ保存サイクル合体機関及び合体方法。
【請求項３３９】
太陽光加熱器（２１）で加熱した空気を圧縮比１９以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）具備水蒸気製造機（１１ｓ）で製造する超臨界圧力水蒸気（５Ｈ）とした各種エネルギ保存サイクル合体機関及び合体方法。
【請求項３４０】
太陽光加熱器（２１）で加熱した空気を吸入圧縮比２０以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）具備水蒸気製造機（１１ｓ）で製造する超臨界圧力水蒸気（５Ｈ）とした各種エネルギ保存サイクル合体機関及び合体方法。
【請求項３４１】
太陽光加熱器（２１）で加熱した空気を吸入圧縮２１比以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）具備水蒸気製造機（１１ｓ）で製造する超臨界圧力水蒸気（５Ｈ）とした各種エネルギ保存サイクル合体機関及び合体方法。
【請求項３４２】
太陽光加熱器（２１）で加熱した空気を吸入圧縮比２２以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）具備水蒸気製造機（１１ｓ）で製造する超臨界圧力水蒸気（５Ｈ）とした各種エネルギ保存サイクル合体機関及び合体方法。
【請求項３４３】
太陽光加熱器（２１）で加熱した空気を吸入圧縮比２３以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）具備水蒸気製造機（１１ｓ）で製造する超臨界圧力水蒸気（５Ｈ）とした各種エネルギ保存サイクル合体機関及び合体方法。
【請求項３４４】
太陽光加熱器（２１）で加熱した空気を吸入圧縮比２４以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）具備水蒸気製造機（１１ｓ）で製造する超臨界圧力水蒸気（５Ｈ）とした各種エネルギ保存サイクル合体機関及び合体方法。
【請求項３４５】
太陽光加熱器（２１）で加熱した空気を吸入圧縮比２５以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）具備水蒸気製造機（１１ｓ）で製造する超臨界圧力水蒸気（５Ｈ）とした各種エネルギ保存サイクル合体機関及び合体方法。
【請求項３４６】
太陽光加熱器（２１）で加熱した空気を吸入圧縮比２６以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）具備水蒸気製造機（１１ｓ）で製造する超臨界圧力水蒸気（５Ｈ）とした各種エネルギ保存サイクル合体機関及び合体方法。
【請求項３４７】
太陽光加熱器（２１）で加熱した空気を吸入圧縮比２７以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）具備水蒸気製造機（１１ｓ）で製造する超臨界圧力水蒸気（５Ｈ）とした各種エネルギ保存サイクル合体機関及び合体方法。
【請求項３４８】
太陽光加熱器（２１）で加熱した空気を吸入圧縮比２８以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）具備水蒸気製造機（１１ｓ）で製造する超臨界圧力水蒸気（５Ｈ）とした各種エネルギ保存サイクル合体機関及び合体方法。
【請求項３４９】
太陽光加熱器（２１）で加熱した空気を吸入圧縮比２９以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）具備水蒸気製造機（１１ｓ）で製造する超臨界圧力水蒸気（５Ｈ）とした各種エネルギ保存サイクル合体機関及び合体方法。
【請求項３５０】
太陽光加熱器（２１）で加熱した空気を吸入圧縮比３０以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）具備水蒸気製造機（１１ｓ）で製造する超臨界圧力水蒸気（５Ｈ）とした各種エネルギ保存サイクル合体機関及び合体方法。
【請求項３５１】
太陽光加熱器（２１）で加熱した空気を吸入圧縮比３１以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）具備水蒸気製造機（１１ｓ）で製造する超臨界圧力水蒸気（５Ｈ）とした各種エネルギ保存サイクル合体機関及び合体方法。
【請求項３５２】
太陽光加熱器（２１）で加熱した空気を吸入圧縮比３２以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）具備水蒸気製造機（１１ｓ）で製造する超臨界圧力水蒸気（５Ｈ）とした各種エネルギ保存サイクル合体機関及び合体方法。
【請求項３５３】
太陽光加熱器（２１）で加熱した空気を吸入圧縮比３３以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）具備水蒸気製造機（１１ｓ）で製造する超臨界圧力水蒸気（５Ｈ）とした各種エネルギ保存サイクル合体機関及び合体方法。
【請求項３５４】
太陽光加熱器（２１）で加熱した空気を吸入圧縮比３４以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）具備水蒸気製造機（１１ｓ）で製造する超臨界圧力水蒸気（５Ｈ）とした各種エネルギ保存サイクル合体機関及び合体方法。
【請求項３５５】
太陽光加熱器（２１）で加熱した空気を吸入圧縮比３５以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）具備水蒸気製造機（１１ｓ）で製造する超臨界圧力水蒸気（５Ｈ）とした各種エネルギ保存サイクル合体機関及び合体方法。
【請求項３５６】
太陽光加熱器（２１）で加熱した空気を吸入圧縮比３６以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）具備水蒸気製造機（１１ｓ）で製造する超臨界圧力水蒸気（５Ｈ）とした各種エネルギ保存サイクル合体機関及び合体方法。
【請求項３５７】
太陽光加熱器（２１）で加熱した空気を吸入圧縮比３７以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）具備水蒸気製造機（１１ｓ）で製造する超臨界圧力水蒸気（５Ｈ）とした各種エネルギ保存サイクル合体機関及び合体方法。
【請求項３５８】
太陽光加熱器（２１）で加熱した空気を吸入圧縮比３８以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）具備水蒸気製造機（１１ｓ）で製造する超臨界圧力水蒸気（５Ｈ）とした各種エネルギ保存サイクル合体機関及び合体方法。
【請求項３５９】
太陽光加熱器（２１）で加熱した空気を吸入圧縮比３９以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）具備水蒸気製造機（１１ｓ）で製造する超臨界圧力水蒸気（５Ｈ）とした各種エネルギ保存サイクル合体機関及び合体方法。
【請求項３６０】
太陽光加熱器（２１）で加熱した空気を吸入圧縮比４０以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）具備水蒸気製造機（１１ｓ）で製造する超臨界圧力水蒸気（５Ｈ）とした各種エネルギ保存サイクル合体機関及び合体方法。
【請求項３６１】
太陽光加熱器（２１）で加熱した空気を吸入圧縮比４１以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）具備水蒸気製造機（１１ｓ）で製造する超臨界圧力水蒸気（５Ｈ）とした各種エネルギ保存サイクル合体機関及び合体方法。
【請求項３６２】
太陽光加熱器（２１）で加熱した空気を吸入圧縮比４２以上に圧縮して熱交換し超臨界圧力水蒸気（５Ｈ）等製造使用を可能にした圧縮空気熱交換器（２Ｙ）や発電外軸回転子（１３Ａ）発電内軸回転子（１３Ｂ）で発電して二重反転圧縮機（３ｓ）具備水蒸気製造機（１１ｓ）で製造する超臨界圧力水蒸気（５Ｈ）とした各種エネルギ保存サイクル合体機関及び合体方法。
【請求項３６３】
太陽光加熱器（２１）で加熱した空気を吸入圧縮比４３以上に圧縮して熱交換し超臨界圧力水蒸気（５Ｈ）等製造使用を可能にした圧縮空気熱交換器（２Ｙ）や発電外軸回転子（１３Ａ）発電内軸回転子（１３Ｂ）で発電して二重反転圧縮機（３ｓ）具備水蒸気製造機（１１ｓ）で製造する超臨界圧力水蒸気（５Ｈ）とした各種エネルギ保存サイクル合体機関及び合体方法。
【請求項３６４】
太陽光加熱器（２１）で加熱した空気を吸入圧縮比４４以上に圧縮して熱交換し超臨界圧力水蒸気（５Ｈ）等製造使用を可能にした圧縮空気熱交換器（２Ｙ）や発電外軸回転子（１３Ａ）発電内軸回転子（１３Ｂ）で発電して二重反転圧縮機（３ｓ）具備水蒸気製造機（１１ｓ）で製造する超臨界圧力水蒸気（５Ｈ）とした各種エネルギ保存サイクル合体機関及び合体方法。
【請求項３６５】
太陽光加熱器（２１）で加熱した空気を吸入圧縮比４５以上に圧縮して熱交換し超臨界圧力水蒸気（５Ｈ）等製造使用を可能にした圧縮空気熱交換器（２Ｙ）や発電外軸回転子（１３Ａ）発電内軸回転子（１３Ｂ）で発電して二重反転圧縮機（３ｓ）具備水蒸気製造機（１１ｓ）で製造する超臨界圧力水蒸気（５Ｈ）とした各種エネルギ保存サイクル合体機関及び合体方法。
【請求項３６６】
太陽光加熱器（２１）で加熱した空気を吸入圧縮比４６以上に圧縮して熱交換し超臨界圧力水蒸気（５Ｈ）等製造使用を可能にした圧縮空気熱交換器（２Ｙ）や発電外軸回転子（１３Ａ）発電内軸回転子（１３Ｂ）で発電して二重反転圧縮機（３ｓ）具備水蒸気製造機（１１ｓ）で製造する超臨界圧力水蒸気（５Ｈ）とした各種エネルギ保存サイクル合体機関及び合体方法。
【請求項３６７】
太陽光加熱器（２１）で加熱した空気を吸入圧縮比４７以上に圧縮して熱交換し超臨界圧力水蒸気（５Ｈ）等製造使用を可能にした圧縮空気熱交換器（２Ｙ）や発電外軸回転子（１３Ａ）発電内軸回転子（１３Ｂ）で発電して二重反転圧縮機（３ｓ）具備水蒸気製造機（１１ｓ）で製造する超臨界圧力水蒸気（５Ｈ）とした各種エネルギ保存サイクル合体機関及び合体方法。
【請求項３６８】
太陽光加熱器（２１）で加熱した空気を吸入圧縮比４８以上に圧縮して熱交換し超臨界圧力水蒸気（５Ｈ）等製造使用を可能にした圧縮空気熱交換器（２Ｙ）や発電外軸回転子（１３Ａ）発電内軸回転子（１３Ｂ）で発電して二重反転圧縮機（３ｓ）具備水蒸気製造機（１１ｓ）で製造する超臨界圧力水蒸気（５Ｈ）とした各種エネルギ保存サイクル合体機関及び合体方法。
【請求項３６９】
太陽光加熱器（２１）で加熱した空気を吸入圧縮比４９以上に圧縮して熱交換し超臨界圧力水蒸気（５Ｈ）等製造使用を可能にした圧縮空気熱交換器（２Ｙ）や発電外軸回転子（１３Ａ）発電内軸回転子（１３Ｂ）で発電して二重反転圧縮機（３ｓ）具備水蒸気製造機（１１ｓ）で製造する超臨界圧力水蒸気（５Ｈ）とした各種エネルギ保存サイクル合体機関及び合体方法。
【請求項３７０】
太陽光加熱器（２１）で加熱した空気を圧縮比３０以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して竪型２段圧縮機（１２Ｔ）具備水蒸気製造機（１１ｓ）で製造する超臨界圧力水蒸気（５Ｈ）とした各種エネルギ保存サイクル合体機関及び合体方法。
【請求項３７１】
太陽光加熱器（２１）で加熱した空気を圧縮比３１以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して竪型２段圧縮機（１２Ｔ）具備水蒸気製造機（１１ｓ）で製造する超臨界圧力水蒸気（５Ｈ）とした各種エネルギ保存サイクル合体機関及び合体方法。
【請求項３７２】
太陽光加熱器（２１）で加熱した空気を圧縮比３２以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して竪型２段圧縮機（１２Ｔ）具備水蒸気製造機（１１ｓ）で製造する超臨界圧力水蒸気（５Ｈ）とした各種エネルギ保存サイクル合体機関及び合体方法。
【請求項３７３】
太陽光加熱器（２１）で加熱した空気を圧縮比３３以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して竪型２段圧縮機（１２Ｔ）具備水蒸気製造機（１１ｓ）で製造する超臨界圧力水蒸気（５Ｈ）とした各種エネルギ保存サイクル合体機関及び合体方法。
【請求項３７４】
太陽光加熱器（２１）で加熱した空気を圧縮比３４以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して竪型２段圧縮機（１２Ｔ）具備水蒸気製造機（１１ｓ）で製造する超臨界圧力水蒸気（５Ｈ）とした各種エネルギ保存サイクル合体機関及び合体方法。
【請求項３７５】
太陽光加熱器（２１）で加熱した空気を圧縮比３５以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して竪型２段圧縮機（１２Ｔ）具備水蒸気製造機（１１ｓ）で製造する超臨界圧力水蒸気（５Ｈ）とした各種エネルギ保存サイクル合体機関及び合体方法。
【請求項３７６】
太陽光加熱器（２１）で加熱した空気を圧縮比３６以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して竪型２段圧縮機（１２Ｔ）具備水蒸気製造機（１１ｓ）で製造する超臨界圧力水蒸気（５Ｈ）とした各種エネルギ保存サイクル合体機関及び合体方法。
【請求項３７７】
太陽光加熱器（２１）で加熱した空気を圧縮比３７以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して竪型２段圧縮機（１２Ｔ）具備水蒸気製造機（１１ｓ）で製造する超臨界圧力水蒸気（５Ｈ）とした各種エネルギ保存サイクル合体機関及び合体方法。
【請求項３７８】
太陽光加熱器（２１）で加熱した空気を圧縮比３８以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して竪型２段圧縮機（１２Ｔ）具備水蒸気製造機（１１ｓ）で製造する超臨界圧力水蒸気（５Ｈ）とした各種エネルギ保存サイクル合体機関及び合体方法。
【請求項３７９】
太陽光加熱器（２１）で加熱した空気を圧縮比３９以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して竪型２段圧縮機（１２Ｔ）具備水蒸気製造機（１１ｓ）で製造する超臨界圧力水蒸気（５Ｈ）とした各種エネルギ保存サイクル合体機関及び合体方法。
【請求項３８０】
太陽光加熱器（２１）で加熱した空気を吸入圧縮比４０以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して竪型２段圧縮機（１２Ｔ）具備水蒸気製造機（１１ｓ）で製造する超臨界圧力水蒸気（５Ｈ）とした各種エネルギ保存サイクル合体機関及び合体方法。
【請求項３８１】
太陽光加熱器（２１）で加熱した空気を吸入圧縮比４１以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して竪型２段圧縮機（１２Ｔ）具備水蒸気製造機（１１ｓ）で製造する超臨界圧力水蒸気（５Ｈ）とした各種エネルギ保存サイクル合体機関及び合体方法。
【請求項３８２】
太陽光加熱器（２１）で加熱した空気を吸入圧縮比４２以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して竪型２段圧縮機（１２Ｔ）具備水蒸気製造機（１１ｓ）で製造する超臨界圧力水蒸気（５Ｈ）とした各種エネルギ保存サイクル合体機関及び合体方法。
【請求項３８３】
太陽光加熱器（２１）で加熱した空気を吸入圧縮比４３以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して竪型２段圧縮機（１２Ｔ）具備水蒸気製造機（１１ｓ）で製造する超臨界圧力水蒸気（５Ｈ）とした各種エネルギ保存サイクル合体機関及び合体方法。
【請求項３８４】
太陽光加熱器（２１）で加熱した空気を吸入圧縮比４４以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して竪型２段圧縮機（１２Ｔ）具備水蒸気製造機（１１ｓ）で製造する超臨界圧力水蒸気（５Ｈ）とした各種エネルギ保存サイクル合体機関及び合体方法。
【請求項３８５】
太陽光加熱器（２１）で加熱した空気を吸入圧縮比４５以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して竪型２段圧縮機（１２Ｔ）具備水蒸気製造機（１１ｓ）で製造する超臨界圧力水蒸気（５Ｈ）とした各種エネルギ保存サイクル合体機関及び合体方法。
【請求項３８６】
太陽光加熱器（２１）で加熱した空気を吸入圧縮比４６以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して竪型２段圧縮機（１２Ｔ）具備水蒸気製造機（１１ｓ）で製造する超臨界圧力水蒸気（５Ｈ）とした各種エネルギ保存サイクル合体機関及び合体方法。
【請求項３８７】
太陽光加熱器（２１）で加熱した空気を吸入圧縮比４７以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して竪型２段圧縮機（１２Ｔ）具備水蒸気製造機（１１ｓ）で製造する超臨界圧力水蒸気（５Ｈ）とした各種エネルギ保存サイクル合体機関及び合体方法。
【請求項３８８】
太陽光加熱器（２１）で加熱した空気を吸入圧縮比４８以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して竪型２段圧縮機（１２Ｔ）具備水蒸気製造機（１１ｓ）で製造する超臨界圧力水蒸気（５Ｈ）とした各種エネルギ保存サイクル合体機関及び合体方法。
【請求項３８９】
太陽光加熱器（２１）で加熱した空気を吸入圧縮比４９以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して竪型２段圧縮機（１２Ｔ）具備水蒸気製造機（１１ｓ）で製造する超臨界圧力水蒸気（５Ｈ）とした各種エネルギ保存サイクル合体機関及び合体方法。
【請求項３９０】
太陽光加熱器（２１）で加熱した空気を吸入圧縮比５０以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して竪型２段圧縮機（１２Ｔ）具備水蒸気製造機（１１ｓ）で製造する超臨界圧力水蒸気（５Ｈ）とした各種エネルギ保存サイクル合体機関及び合体方法。
【請求項３９１】
太陽光加熱器（２１）で加熱した空気を吸入圧縮比５１以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して竪型２段圧縮機（１２Ｔ）具備水蒸気製造機（１１ｓ）で製造する超臨界圧力水蒸気（５Ｈ）とした各種エネルギ保存サイクル合体機関及び合体方法。
【請求項３９２】
太陽光加熱器（２１）で加熱した空気を吸入圧縮比５２以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して竪型２段圧縮機（１２Ｔ）具備水蒸気製造機（１１ｓ）で製造する超臨界圧力水蒸気（５Ｈ）とした各種エネルギ保存サイクル合体機関及び合体方法。
【請求項３９３】
太陽光加熱器（２１）で加熱した空気を吸入圧縮比５３以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して竪型２段圧縮機（１２Ｔ）具備水蒸気製造機（１１ｓ）で製造する超臨界圧力水蒸気（５Ｈ）とした各種エネルギ保存サイクル合体機関及び合体方法。
【請求項３９４】
太陽光加熱器（２１）で加熱した空気を吸入圧縮比５４以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して竪型２段圧縮機（１２Ｔ）具備水蒸気製造機（１１ｓ）で製造する超臨界圧力水蒸気（５Ｈ）とした各種エネルギ保存サイクル合体機関及び合体方法。
【請求項３９５】
太陽光加熱器（２１）で加熱した空気を吸入圧縮比５５以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して竪型２段圧縮機（１２Ｔ）具備水蒸気製造機（１１ｓ）で製造する超臨界圧力水蒸気（５Ｈ）とした各種エネルギ保存サイクル合体機関及び合体方法。
【請求項３９６】
太陽光加熱器（２１）で加熱した空気を吸入圧縮比５６以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して竪型２段圧縮機（１２Ｔ）具備水蒸気製造機（１１ｓ）で製造する超臨界圧力水蒸気（５Ｈ）とした各種エネルギ保存サイクル合体機関及び合体方法。
【請求項３９７】
太陽光加熱器（２１）で加熱した空気を吸入圧縮比５７以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して竪型２段圧縮機（１２Ｔ）具備水蒸気製造機（１１ｓ）で製造する超臨界圧力水蒸気（５Ｈ）とした各種エネルギ保存サイクル合体機関及び合体方法。
【請求項３９８】
太陽光加熱器（２１）で加熱した空気を吸入圧縮比５８以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して竪型２段圧縮機（１２Ｔ）具備水蒸気製造機（１１ｓ）で製造する超臨界圧力水蒸気（５Ｈ）とした各種エネルギ保存サイクル合体機関及び合体方法。
【請求項３９９】
太陽光加熱器（２１）で加熱した空気を吸入圧縮比５９以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して竪型２段圧縮機（１２Ｔ）具備水蒸気製造機（１１ｓ）で製造する超臨界圧力水蒸気（５Ｈ）とした各種エネルギ保存サイクル合体機関及び合体方法。
【請求項４００】
太陽光加熱器（２１）で加熱した空気を吸入圧縮比６０以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して竪型２段圧縮機（１２Ｔ）具備水蒸気製造機（１１ｓ）で製造する超臨界圧力水蒸気（５Ｈ）とした各種エネルギ保存サイクル合体機関及び合体方法。
【請求項４０１】
太陽光加熱器（２１）で加熱した空気を吸入圧縮比６１以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して竪型２段圧縮機（１２Ｔ）具備水蒸気製造機（１１ｓ）で製造する超臨界圧力水蒸気（５Ｈ）とした各種エネルギ保存サイクル合体機関及び合体方法。
【請求項４０２】
太陽光加熱器（２１）で加熱した空気を吸入圧縮比６２以上に圧縮して熱交換し超臨界圧力水蒸気（５Ｈ）等製造使用を可能にした圧縮空気熱交換器（２Ｙ）や発電外軸回転子（１３Ａ）発電内軸回転子（１３Ｂ）で発電して竪型２段圧縮機（１２Ｔ）具備水蒸気製造機（１１ｓ）で製造する超臨界圧力水蒸気（５Ｈ）とした各種エネルギ保存サイクル合体機関及び合体方法。
【請求項４０３】
太陽光加熱器（２１）で加熱した空気を吸入圧縮比６３以上に圧縮して熱交換し超臨界圧力水蒸気（５Ｈ）等製造使用を可能にした圧縮空気熱交換器（２Ｙ）や発電外軸回転子（１３Ａ）発電内軸回転子（１３Ｂ）で発電して竪型２段圧縮機（１２Ｔ）具備水蒸気製造機（１１ｓ）で製造する超臨界圧力水蒸気（５Ｈ）とした各種エネルギ保存サイクル合体機関及び合体方法。
【請求項４０４】
太陽光加熱器（２１）で加熱した空気を吸入圧縮比６４以上に圧縮して熱交換し超臨界圧力水蒸気（５Ｈ）等製造使用を可能にした圧縮空気熱交換器（２Ｙ）や発電外軸回転子（１３Ａ）発電内軸回転子（１３Ｂ）で発電して竪型２段圧縮機（１２Ｔ）具備水蒸気製造機（１１ｓ）で製造する超臨界圧力水蒸気（５Ｈ）とした各種エネルギ保存サイクル合体機関及び合体方法。
【請求項４０５】
太陽光加熱器（２１）で加熱した空気を吸入圧縮比６５以上に圧縮して熱交換し超臨界圧力水蒸気（５Ｈ）等製造使用を可能にした圧縮空気熱交換器（２Ｙ）や発電外軸回転子（１３Ａ）発電内軸回転子（１３Ｂ）で発電して竪型２段圧縮機（１２Ｔ）具備水蒸気製造機（１１ｓ）で製造する超臨界圧力水蒸気（５Ｈ）とした各種エネルギ保存サイクル合体機関及び合体方法。
【請求項４０６】
太陽光加熱器（２１）で加熱した空気を吸入圧縮比６６以上に圧縮して熱交換し超臨界圧力水蒸気（５Ｈ）等製造使用を可能にした圧縮空気熱交換器（２Ｙ）や発電外軸回転子（１３Ａ）発電内軸回転子（１３Ｂ）で発電して竪型２段圧縮機（１２Ｔ）具備水蒸気製造機（１１ｓ）で製造する超臨界圧力水蒸気（５Ｈ）とした各種エネルギ保存サイクル合体機関及び合体方法。
【請求項４０７】
太陽光加熱器（２１）で加熱した空気を吸入圧縮比６７以上に圧縮して熱交換し超臨界圧力水蒸気（５Ｈ）等製造使用を可能にした圧縮空気熱交換器（２Ｙ）や発電外軸回転子（１３Ａ）発電内軸回転子（１３Ｂ）で発電して竪型２段圧縮機（１２Ｔ）具備水蒸気製造機（１１ｓ）で製造する超臨界圧力水蒸気（５Ｈ）とした各種エネルギ保存サイクル合体機関及び合体方法。
【請求項４０８】
太陽光加熱器（２１）で加熱した空気を吸入圧縮比６８以上に圧縮して熱交換し超臨界圧力水蒸気（５Ｈ）等製造使用を可能にした圧縮空気熱交換器（２Ｙ）や発電外軸回転子（１３Ａ）発電内軸回転子（１３Ｂ）で発電して竪型２段圧縮機（１２Ｔ）具備水蒸気製造機（１１ｓ）で製造する超臨界圧力水蒸気（５Ｈ）とした各種エネルギ保存サイクル合体機関及び合体方法。
【請求項４０９】
太陽光加熱器（２１）で加熱した空気を吸入圧縮比６９以上に圧縮して熱交換し超臨界圧力水蒸気（５Ｈ）等製造使用を可能にした圧縮空気熱交換器（２Ｙ）や発電外軸回転子（１３Ａ）発電内軸回転子（１３Ｂ）で発電して竪型２段圧縮機（１２Ｔ）具備水蒸気製造機（１１ｓ）で製造する超臨界圧力水蒸気（５Ｈ）とした各種エネルギ保存サイクル合体機関及び合体方法。
【請求項４１０】
垂直落下の垂直揚水発電として水を濾過揚水保存して噴射初速度製造して真空中水の重力加速度で発電する水力発電機とした各種エネルギ保存サイクル合体機関及び合体方法。
【請求項４１１】
垂直落下の垂直揚水発電として冷水を濾過揚水保存して噴射初速度製造して真空中水の重力加速度で発電する水力発電機とした各種エネルギ保存サイクル合体機関及び合体方法。
【請求項４１２】
垂直落下の垂直揚水発電として海水を濾過揚水保存して噴射初速度製造して真空中水の重力加速度で発電する水力発電機とした各種エネルギ保存サイクル合体機関及び合体方法。
【請求項４１３】
垂直落下の垂直揚水発電として海水を逆浸透膜浄水器で濾過揚水保存して噴射初速度製造して真空中水の重力加速度で発電する水力発電機とした各種エネルギ保存サイクル合体機関及び合体方法。
【請求項４１４】
垂直落下の垂直揚水発電として海洋深層水を逆浸透膜浄水器で濾過海洋深層水ビジネス＋揚水保存して噴射初速度製造して真空中水の重力加速度で発電する水力発電機とした各種エネルギ保存サイクル合体機関及び合体方法。
【請求項４１５】
垂直落下の垂直揚水発電として水を濾過揚水逆浸透水（５２Ｄ）とし保存して噴射初速度製造して真空中水の重力加速度で発電する水力発電機とした各種エネルギ保存サイクル合体機関及び合体方法。
【請求項４１６】
垂直落下の垂直揚水発電として冷水を濾過揚水逆浸透水（５２Ｄ）とし保存して噴射初速度製造して真空中水の重力加速度で発電する水力発電機とした各種エネルギ保存サイクル合体機関及び合体方法。
【請求項４１７】
垂直落下の垂直揚水発電として海水を濾過揚水逆浸透水（５２Ｄ）とし保存して噴射初速度製造して真空中水の重力加速度で発電する水力発電機とした各種エネルギ保存サイクル合体機関及び合体方法。
【請求項４１８】
垂直落下の垂直揚水発電として海水を逆浸透膜浄水器で濾過揚水逆浸透水（５２Ｄ）とし保存して噴射初速度製造して真空中水の重力加速度で発電する水力発電機とした各種エネルギ保存サイクル合体機関及び合体方法。
【請求項４１９】
垂直落下の垂直揚水発電として海洋深層水を逆浸透膜浄水器で濾過揚水逆浸透水（５２Ｄ）とし保存して噴射初速度製造して真空中水の重力加速度で発電する水力発電機とした各種エネルギ保存サイクル合体機関及び合体方法。
【請求項４２０】
垂直落下の垂直揚水発電として水を濾過揚水逆浸透水（５２Ｄ）とし保存して噴射超臨界圧力水蒸気（５Ｈ）噴射初速度製造して真空中水の重力加速度で発電する水力発電機とした各種エネルギ保存サイクル合体機関及び合体方法。
【請求項４２１】
垂直落下の垂直揚水発電として冷水を濾過揚水逆浸透水（５２Ｄ）とし保存して噴射超臨界圧力水蒸気（５Ｈ）噴射初速度製造して真空中水の重力加速度で発電する水力発電機とした各種エネルギ保存サイクル合体機関及び合体方法。
【請求項４２２】
垂直落下の垂直揚水発電として海水を濾過揚水逆浸透水（５２Ｄ）とし保存して噴射超臨界圧力水蒸気（５Ｈ）噴射初速度製造して真空中水の重力加速度で発電する水力発電機とした各種エネルギ保存サイクル合体機関及び合体方法。
【請求項４２３】
垂直落下の垂直揚水発電として海水を逆浸透膜浄水器で濾過揚水逆浸透水（５２Ｄ）とし保存して噴射超臨界圧力水蒸気（５Ｈ）噴射初速度製造して真空中水の重力加速度で発電する水力発電機とした各種エネルギ保存サイクル合体機関及び合体方法。
【請求項４２４】
垂直落下の垂直揚水発電として海洋深層水を逆浸透膜浄水器で濾過揚水逆浸透水（５２Ｄ）とし保存して噴射超臨界圧力水蒸気（５Ｈ）噴射初速度製造して真空中水の重力加速度で発電する水力発電機とした各種エネルギ保存サイクル合体機関及び合体方法。
【請求項４２５】
垂直落下の垂直揚水発電として水を濾過揚水逆浸透水（５２Ｄ）とし保存して噴射超臨界圧力水蒸気（５Ｈ）噴射初速度製造して真空中水の重力加速度で発電する１００台以下直列駆動の水力発電機とした各種エネルギ保存サイクル合体機関及び合体方法。
【請求項４２６】
垂直落下の垂直揚水発電として冷水を濾過揚水逆浸透水（５２Ｄ）とし保存して噴射超臨界圧力水蒸気（５Ｈ）噴射初速度製造して真空中水の重力加速度で発電する１００台以下直列駆動の水力発電機とした各種エネルギ保存サイクル合体機関及び合体方法。
【請求項４２７】
垂直落下の垂直揚水発電として海水を濾過揚水逆浸透水（５２Ｄ）とし保存して噴射超臨界圧力水蒸気（５Ｈ）噴射初速度製造して真空中水の重力加速度で発電する１００台以下直列駆動の水力発電機とした各種エネルギ保存サイクル合体機関及び合体方法。
【請求項４２８】
垂直落下の垂直揚水発電として海水を逆浸透膜浄水器で濾過揚水逆浸透水（５２Ｄ）とし保存して噴射超臨界圧力水蒸気（５Ｈ）噴射初速度製造して真空中水の重力加速度で発電する１００台以下直列駆動の水力発電機とした各種エネルギ保存サイクル合体機関及び合体方法。
【請求項４２９】
垂直落下の垂直揚水発電として海洋深層水を逆浸透膜浄水器で濾過揚水逆浸透水（５２Ｄ）とし保存して噴射超臨界圧力水蒸気（５Ｈ）噴射初速度製造して真空中水の重力加速度で発電する１００台以下直列駆動の水力発電機とした各種エネルギ保存サイクル合体機関及び合体方法。
【請求項４３０】
垂直落下の垂直揚水発電として水を濾過揚水逆浸透水（５２Ｄ）とし保存して噴射超臨界圧力水蒸気（５Ｈ）噴射初速度製造して真空中水の重力加速度で発電する１００台以上直列駆動の水力発電機とした各種エネルギ保存サイクル合体機関及び合体方法。
【請求項４３１】
垂直落下の垂直揚水発電として冷水を濾過揚水逆浸透水（５２Ｄ）とし保存して噴射超臨界圧力水蒸気（５Ｈ）噴射初速度製造して真空中水の重力加速度で発電する１００台以上直列駆動の水力発電機とした各種エネルギ保存サイクル合体機関及び合体方法。
【請求項４３２】
垂直落下の垂直揚水発電として海水を濾過揚水逆浸透水（５２Ｄ）とし保存して噴射超臨界圧力水蒸気（５Ｈ）噴射初速度製造して真空中水の重力加速度で発電する１００台以上直列駆動の水力発電機とした各種エネルギ保存サイクル合体機関及び合体方法。
【請求項４３３】
垂直落下の垂直揚水発電として海水を逆浸透膜浄水器で濾過揚水逆浸透水（５２Ｄ）とし保存して噴射超臨界圧力水蒸気（５Ｈ）噴射初速度製造して真空中水の重力加速度で発電する１００台以上直列駆動の水力発電機とした各種エネルギ保存サイクル合体機関及び合体方法。
【請求項４３４】
垂直落下の垂直揚水発電として海洋深層水を逆浸透膜浄水器で濾過揚水逆浸透水（５２Ｄ）とし保存して噴射超臨界圧力水蒸気（５Ｈ）噴射初速度製造して真空中水の重力加速度で発電する１００台以上直列駆動の水力発電機とした各種エネルギ保存サイクル合体機関及び合体方法。
【請求項４３５】
垂直落下の垂直揚水発電として水を濾過揚水逆浸透水（５２Ｄ）とし保存して噴射超臨界圧力水蒸気（５Ｈ）噴射初速度製造して真空中水の重力加速度で発電する１００台以下直列駆動の水力発電機で電力供給可能とした各種エネルギ保存サイクル合体機関及び合体方法。
【請求項４３６】
垂直落下の垂直揚水発電として冷水を濾過揚水逆浸透水（５２Ｄ）とし保存して噴射超臨界圧力水蒸気（５Ｈ）噴射初速度製造して真空中水の重力加速度で発電する１００台以下直列駆動の水力発電機で電力供給可能とした各種エネルギ保存サイクル合体機関及び合体方法。
【請求項４３７】
垂直落下の垂直揚水発電として海水を濾過揚水逆浸透水（５２Ｄ）とし保存して噴射超臨界圧力水蒸気（５Ｈ）噴射初速度製造して真空中水の重力加速度で発電する１００台以下直列駆動の水力発電機で電力供給可能とした各種エネルギ保存サイクル合体機関及び合体方法。
【請求項４３８】
垂直落下の垂直揚水発電として海水を逆浸透膜浄水器で濾過揚水逆浸透水（５２Ｄ）とし保存して噴射超臨界圧力水蒸気（５Ｈ）噴射初速度製造して真空中水の重力加速度で発電する１００台以下直列駆動の水力発電機で電力供給可能とした各種エネルギ保存サイクル合体機関及び合体方法。
【請求項４３９】
垂直落下の垂直揚水発電として海洋深層水を逆浸透膜浄水器で濾過揚水逆浸透水（５２Ｄ）とし保存して噴射超臨界圧力水蒸気（５Ｈ）噴射初速度製造して真空中水の重力加速度で発電する１００台以下直列駆動の水力発電機で電力供給可能とした各種エネルギ保存サイクル合体機関及び合体方法。
【請求項４４０】
垂直落下の垂直揚水発電として水を濾過揚水逆浸透水（５２Ｄ）とし保存して噴射超臨界圧力水蒸気（５Ｈ）噴射初速度製造して真空中水の重力加速度で発電する１００台以上直列駆動の水力発電機で電力供給可能とした各種エネルギ保存サイクル合体機関及び合体方法。
【請求項４４１】
垂直落下の垂直揚水発電として冷水を濾過揚水逆浸透水（５２Ｄ）とし保存して噴射超臨界圧力水蒸気（５Ｈ）噴射初速度製造して真空中水の重力加速度で発電する１００台以上直列駆動の水力発電機で電力供給可能とした各種エネルギ保存サイクル合体機関及び合体方法。
【請求項４４２】
垂直落下の垂直揚水発電として海水を濾過揚水逆浸透水（５２Ｄ）とし保存して噴射超臨界圧力水蒸気（５Ｈ）噴射初速度製造して真空中水の重力加速度で発電する１００台以上直列駆動の水力発電機で電力供給可能とした各種エネルギ保存サイクル合体機関及び合体方法。
【請求項４４３】
垂直落下の垂直揚水発電として海水を逆浸透膜浄水器で濾過揚水逆浸透水（５２Ｄ）とし保存して噴射超臨界圧力水蒸気（５Ｈ）噴射初速度製造して真空中水の重力加速度で発電する１００台以上直列駆動の水力発電機で電力供給可能とした各種エネルギ保存サイクル合体機関及び合体方法。
【請求項４４４】
垂直落下の垂直揚水発電として海洋深層水を逆浸透膜浄水器で濾過揚水逆浸透水（５２Ｄ）とし保存して噴射超臨界圧力水蒸気（５Ｈ）噴射初速度製造して真空中水の重力加速度で発電する１００台以上直列駆動の水力発電機で電力供給可能とした各種エネルギ保存サイクル合体機関及び合体方法。
【請求項４４５】
垂直落下の垂直揚水発電として水を濾過揚水逆浸透水（５２Ｄ）とし保存して噴射超臨界圧力水蒸気（５Ｈ）噴射初速度製造して真空中水の重力加速度で発電する１００台以下直列駆動の水力発電機で電力供給各種電気駆動車両類を駆動可能とした各種エネルギ保存サイクル合体機関及び合体方法。
【請求項４４６】
垂直落下の垂直揚水発電として冷水を濾過揚水逆浸透水（５２Ｄ）とし保存して噴射超臨界圧力水蒸気（５Ｈ）噴射初速度製造して真空中水の重力加速度で発電する１００台以下直列駆動の水力発電機で電力供給各種電気駆動車両類を駆動可能とした各種エネルギ保存サイクル合体機関及び合体方法。
【請求項４４７】
垂直落下の垂直揚水発電として海水を濾過揚水逆浸透水（５２Ｄ）とし保存して噴射超臨界圧力水蒸気（５Ｈ）噴射初速度製造して真空中水の重力加速度で発電する１００台以下直列駆動の水力発電機で電力供給各種電気駆動車両類を駆動可能とした各種エネルギ保存サイクル合体機関及び合体方法。
【請求項４４８】
垂直落下の垂直揚水発電として海水を逆浸透膜浄水器で濾過揚水逆浸透水（５２Ｄ）とし保存して噴射超臨界圧力水蒸気（５Ｈ）噴射初速度製造して真空中水の重力加速度で発電する１００台以下直列駆動の水力発電機で電力供給各種電気駆動車両類を駆動可能とした各種エネルギ保存サイクル合体機関及び合体方法。
【請求項４４９】
垂直落下の垂直揚水発電として海洋深層水を逆浸透膜浄水器で濾過揚水逆浸透水（５２Ｄ）とし保存して噴射超臨界圧力水蒸気（５Ｈ）噴射初速度製造して真空中水の重力加速度で発電する１００台以下直列駆動の水力発電機で電力供給各種電気駆動車両類を駆動可能とした各種エネルギ保存サイクル合体機関及び合体方法。
【請求項４５０】
垂直落下の垂直揚水発電として水を濾過揚水逆浸透水（５２Ｄ）とし保存して噴射超臨界圧力水蒸気（５Ｈ）噴射初速度製造して真空中水の重力加速度で発電する１００台以上直列駆動の水力発電機で電力供給各種電気駆動車両類を駆動可能とした各種エネルギ保存サイクル合体機関及び合体方法。
【請求項４５１】
垂直落下の垂直揚水発電として冷水を濾過揚水逆浸透水（５２Ｄ）とし保存して噴射超臨界圧力水蒸気（５Ｈ）噴射初速度製造して真空中水の重力加速度で発電する１００台以上直列駆動の水力発電機で電力供給各種電気駆動車両類を駆動可能とした各種エネルギ保存サイクル合体機関及び合体方法。
【請求項４５２】
垂直落下の垂直揚水発電として海水を濾過揚水逆浸透水（５２Ｄ）とし保存して噴射超臨界圧力水蒸気（５Ｈ）噴射初速度製造して真空中水の重力加速度で発電する１００台以上直列駆動の水力発電機で電力供給各種電気駆動車両類を駆動可能とした各種エネルギ保存サイクル合体機関及び合体方法。
【請求項４５３】
垂直落下の垂直揚水発電として海水を逆浸透膜浄水器で濾過揚水逆浸透水（５２Ｄ）とし保存して噴射超臨界圧力水蒸気（５Ｈ）噴射初速度製造して真空中水の重力加速度で発電する１００台以上直列駆動の水力発電機で電力供給各種電気駆動車両類を駆動可能とした各種エネルギ保存サイクル合体機関及び合体方法。
【請求項４５４】
垂直落下の垂直揚水発電として海洋深層水を逆浸透膜浄水器で濾過揚水逆浸透水（５２Ｄ）とし保存して噴射超臨界圧力水蒸気（５Ｈ）噴射初速度製造して真空中水の重力加速度で発電する１００台以上直列駆動の水力発電機で電力供給各種電気駆動車両類を駆動可能とした各種エネルギ保存サイクル合体機関及び合体方法。
【請求項４５５】
垂直落下の垂直揚水発電として水を濾過揚水逆浸透水（５２Ｄ）とし保存して噴射超臨界圧力水蒸気（５Ｈ）噴射初速度製造して真空中水の重力加速度で発電する１００台以下直列駆動の水力発電機で電力供給各種蓄電池駆動車両類を駆動可能とした各種エネルギ保存サイクル合体機関及び合体方法。
【請求項４５６】
垂直落下の垂直揚水発電として冷水を濾過揚水逆浸透水（５２Ｄ）とし保存して噴射超臨界圧力水蒸気（５Ｈ）噴射初速度製造して真空中水の重力加速度で発電する１００台以下直列駆動の水力発電機で電力供給各種蓄電池駆動車両類を駆動可能とした各種エネルギ保存サイクル合体機関及び合体方法。
【請求項４５７】
垂直落下の垂直揚水発電として海水を濾過揚水逆浸透水（５２Ｄ）とし保存して噴射超臨界圧力水蒸気（５Ｈ）噴射初速度製造して真空中水の重力加速度で発電する１００台以下直列駆動の水力発電機で電力供給各種蓄電池駆動車両類を駆動可能とした各種エネルギ保存サイクル合体機関及び合体方法。
【請求項４５８】
垂直落下の垂直揚水発電として海水を逆浸透膜浄水器で濾過揚水逆浸透水（５２Ｄ）とし保存して噴射超臨界圧力水蒸気（５Ｈ）噴射初速度製造して真空中水の重力加速度で発電する１００台以下直列駆動の水力発電機で電力供給各種蓄電池駆動車両類を駆動可能とした各種エネルギ保存サイクル合体機関及び合体方法。
【請求項４５９】
垂直落下の垂直揚水発電として海洋深層水を逆浸透膜浄水器で濾過揚水逆浸透水（５２Ｄ）とし保存して噴射超臨界圧力水蒸気（５Ｈ）噴射初速度製造して真空中水の重力加速度で発電する１００台以下直列駆動の水力発電機で電力供給各種蓄電池駆動車両類を駆動可能とした各種エネルギ保存サイクル合体機関及び合体方法。
【請求項４６０】
垂直落下の垂直揚水発電として水を濾過揚水逆浸透水（５２Ｄ）とし保存して噴射超臨界圧力水蒸気（５Ｈ）噴射初速度製造して真空中水の重力加速度で発電する１００台以上直列駆動の水力発電機で電力供給各種蓄電池駆動車両類を駆動可能とした各種エネルギ保存サイクル合体機関及び合体方法。
【請求項４６１】
垂直落下の垂直揚水発電として冷水を濾過揚水逆浸透水（５２Ｄ）とし保存して噴射超臨界圧力水蒸気（５Ｈ）噴射初速度製造して真空中水の重力加速度で発電する１００台以上直列駆動の水力発電機で電力供給各種蓄電池駆動車両類を駆動可能とした各種エネルギ保存サイクル合体機関及び合体方法。
【請求項４６２】
垂直落下の垂直揚水発電として海水を濾過揚水逆浸透水（５２Ｄ）とし保存して噴射超臨界圧力水蒸気（５Ｈ）噴射初速度製造して真空中水の重力加速度で発電する１００台以上直列駆動の水力発電機で電力供給各種蓄電池駆動車両類を駆動可能とした各種エネルギ保存サイクル合体機関及び合体方法。
【請求項４６３】
垂直落下の垂直揚水発電として海水を逆浸透膜浄水器で濾過揚水逆浸透水（５２Ｄ）とし保存して噴射超臨界圧力水蒸気（５Ｈ）噴射初速度製造して真空中水の重力加速度で発電する１００台以上直列駆動の水力発電機で電力供給各種蓄電池駆動車両類を駆動可能とした各種エネルギ保存サイクル合体機関及び合体方法。
【請求項４６４】
垂直落下の垂直揚水発電として海洋深層水を逆浸透膜浄水器で濾過揚水逆浸透水（５２Ｄ）とし保存して噴射超臨界圧力水蒸気（５Ｈ）噴射初速度製造して真空中水の重力加速度で発電する１００台以上直列駆動の水力発電機で電力供給各種蓄電池駆動車両類を駆動可能とした各種エネルギ保存サイクル合体機関及び合体方法。
【請求項４６５】
垂直落下の垂直揚水発電として水を濾過揚水逆浸透水（５２Ｄ）とし保存して噴射超臨界圧力水蒸気（５Ｈ）噴射初速度製造して真空中水の重力加速度で発電する１００台以下直列駆動の水力発電機で電力供給各種工場類全部を電気駆動可能とした各種エネルギ保存サイクル合体機関及び合体方法。
【請求項４６６】
垂直落下の垂直揚水発電として冷水を濾過揚水逆浸透水（５２Ｄ）とし保存して噴射超臨界圧力水蒸気（５Ｈ）噴射初速度製造して真空中水の重力加速度で発電する１００台以下直列駆動の水力発電機で電力供給各種工場類全部を電気駆動可能とした各種エネルギ保存サイクル合体機関及び合体方法。
【請求項４６７】
垂直落下の垂直揚水発電として海水を濾過揚水逆浸透水（５２Ｄ）とし保存して噴射超臨界圧力水蒸気（５Ｈ）噴射初速度製造して真空中水の重力加速度で発電する１００台以下直列駆動の水力発電機で電力供給各種工場類全部を電気駆動可能とした各種エネルギ保存サイクル合体機関及び合体方法。
【請求項４６８】
垂直落下の垂直揚水発電として海水を逆浸透膜浄水器で濾過揚水逆浸透水（５２Ｄ）とし保存して噴射超臨界圧力水蒸気（５Ｈ）噴射初速度製造して真空中水の重力加速度で発電する１００台以下直列駆動の水力発電機で電力供給各種工場類全部を電気駆動可能とした各種エネルギ保存サイクル合体機関及び合体方法。
【請求項４６９】
垂直落下の垂直揚水発電として海洋深層水を逆浸透膜浄水器で濾過揚水逆浸透水（５２Ｄ）とし保存して噴射超臨界圧力水蒸気（５Ｈ）噴射初速度製造して真空中水の重力加速度で発電する１００台以下直列駆動の水力発電機で電力供給各種工場類全部を電気駆動可能とした各種エネルギ保存サイクル合体機関及び合体方法。
【請求項４７０】
垂直落下の垂直揚水発電として水を濾過揚水逆浸透水（５２Ｄ）とし保存して噴射超臨界圧力水蒸気（５Ｈ）噴射初速度製造して真空中水の重力加速度で発電する１００台以上直列駆動の水力発電機で電力供給各種工場類全部を電気駆動可能とした各種エネルギ保存サイクル合体機関及び合体方法。
【請求項４７１】
垂直落下の垂直揚水発電として冷水を濾過揚水逆浸透水（５２Ｄ）とし保存して噴射超臨界圧力水蒸気（５Ｈ）噴射初速度製造して真空中水の重力加速度で発電する１００台以上直列駆動の水力発電機で電力供給各種工場類全部を電気駆動可能とした各種エネルギ保存サイクル合体機関及び合体方法。
【請求項４７２】
垂直落下の垂直揚水発電として海水を濾過揚水逆浸透水（５２Ｄ）とし保存して噴射超臨界圧力水蒸気（５Ｈ）噴射初速度製造して真空中水の重力加速度で発電する１００台以上直列駆動の水力発電機で電力供給各種工場類全部を電気駆動可能とした各種エネルギ保存サイクル合体機関及び合体方法。
【請求項４７３】
垂直落下の垂直揚水発電として海水を逆浸透膜浄水器で濾過揚水逆浸透水（５２Ｄ）とし保存して噴射超臨界圧力水蒸気（５Ｈ）噴射初速度製造して真空中水の重力加速度で発電する１００台以上直列駆動の水力発電機で電力供給各種工場類全部を電気駆動可能とした各種エネルギ保存サイクル合体機関及び合体方法。
【請求項４７４】
垂直落下の垂直揚水発電として海洋深層水を逆浸透膜浄水器で濾過揚水逆浸透水（５２Ｄ）とし保存して噴射超臨界圧力水蒸気（５Ｈ）噴射初速度製造して真空中水の重力加速度で発電する１００台以上直列駆動の水力発電機で電力供給各種工場類全部を電気駆動可能とした各種エネルギ保存サイクル合体機関及び合体方法。
【請求項４７５】
垂直落下の垂直揚水発電として水を濾過揚水逆浸透水（５２Ｄ）とし保存して噴射超臨界圧力水蒸気（５Ｈ）噴射初速度製造して真空中水の重力加速度で発電する１００台以下直列駆動の水力発電機で電力供給各種家庭類全部を電気駆動可能とした各種エネルギ保存サイクル合体機関及び合体方法。
【請求項４７６】
垂直落下の垂直揚水発電として冷水を濾過揚水逆浸透水（５２Ｄ）とし保存して噴射超臨界圧力水蒸気（５Ｈ）噴射初速度製造して真空中水の重力加速度で発電する１００台以下直列駆動の水力発電機で電力供給各種家庭類全部を電気駆動可能とした各種エネルギ保存サイクル合体機関及び合体方法。
【請求項４７７】
垂直落下の垂直揚水発電として海水を濾過揚水逆浸透水（５２Ｄ）とし保存して噴射超臨界圧力水蒸気（５Ｈ）噴射初速度製造して真空中水の重力加速度で発電する１００台以下直列駆動の水力発電機で電力供給各種家庭類全部を電気駆動可能とした各種エネルギ保存サイクル合体機関及び合体方法。
【請求項４７８】
垂直落下の垂直揚水発電として海水を逆浸透膜浄水器で濾過揚水逆浸透水（５２Ｄ）とし保存して噴射超臨界圧力水蒸気（５Ｈ）噴射初速度製造して真空中水の重力加速度で発電する１００台以下直列駆動の水力発電機で電力供給各種家庭類全部を電気駆動可能とした各種エネルギ保存サイクル合体機関及び合体方法。
【請求項４７９】
垂直落下の垂直揚水発電として海洋深層水を逆浸透膜浄水器で濾過揚水逆浸透水（５２Ｄ）とし保存して噴射超臨界圧力水蒸気（５Ｈ）噴射初速度製造して真空中水の重力加速度で発電する１００台以下直列駆動の水力発電機で電力供給各種家庭類全部を電気駆動可能とした各種エネルギ保存サイクル合体機関及び合体方法。
【請求項４８０】
垂直落下の垂直揚水発電として水を濾過揚水逆浸透水（５２Ｄ）とし保存して噴射超臨界圧力水蒸気（５Ｈ）噴射初速度製造して真空中水の重力加速度で発電する１００台以上直列駆動の水力発電機で電力供給各種家庭類全部を電気駆動可能とした各種エネルギ保存サイクル合体機関及び合体方法。
【請求項４８１】
垂直落下の垂直揚水発電として冷水を濾過揚水逆浸透水（５２Ｄ）とし保存して噴射超臨界圧力水蒸気（５Ｈ）噴射初速度製造して真空中水の重力加速度で発電する１００台以上直列駆動の水力発電機で電力供給各種家庭類全部を電気駆動可能とした各種エネルギ保存サイクル合体機関及び合体方法。
【請求項４８２】
垂直落下の垂直揚水発電として海水を濾過揚水逆浸透水（５２Ｄ）とし保存して噴射超臨界圧力水蒸気（５Ｈ）噴射初速度製造して真空中水の重力加速度で発電する１００台以上直列駆動の水力発電機で電力供給各種家庭類全部を電気駆動可能とした各種エネルギ保存サイクル合体機関及び合体方法。
【請求項４８３】
垂直落下の垂直揚水発電として海水を逆浸透膜浄水器で濾過揚水逆浸透水（５２Ｄ）とし保存して噴射超臨界圧力水蒸気（５Ｈ）噴射初速度製造して真空中水の重力加速度で発電する１００台以上直列駆動の水力発電機で電力供給各種家庭類全部を電気駆動可能とした各種エネルギ保存サイクル合体機関及び合体方法。
【請求項４８４】
垂直落下の垂直揚水発電として海洋深層水を逆浸透膜浄水器で濾過揚水逆浸透水（５２Ｄ）とし保存して噴射超臨界圧力水蒸気（５Ｈ）噴射初速度製造して真空中水の重力加速度で発電する１００台以上直列駆動の水力発電機で電力供給各種家庭類全部を電気駆動可能とした各種エネルギ保存サイクル合体機関及び合体方法。
【発明の詳細な説明】
【技術分野】
【０００１】
洗脳で研究停止して宝の山を製造が速度エネルギ利用の技術分野と判明し、運動エネルギ＝質量×速度の２乗に比例する等速度エネルギを利用する技術分野は、既存蒸気タービンが静翼環状具備で蒸気速度を２０回前後堰き止め９０度前後反転減速噴射を繰返して、蒸気速度や回転速度を１／３０以下等に減速して発電し、水力発電機出入力は回転速度の３乗に比例するで計算では最悪で改良を必要として、揚水発電の揚水入力では可変速モーター等を実用化中ですが急務は挑戦皆無の水力発電機発電量の増大とし、既存揚水発電の水速度がマッハ１／７〜１／５のためマッハ５０等での発電に挑戦を必要として、優位性の比較説明倍率の計算ではマッハ５０÷１／５＝２５０倍速度又は２５０倍回転速度のため、回転速度の３乗に比例する発電量＝既存揚水発電の１５６２、５万倍発電量の垂直揚水垂直落下発電となり、実験を必須とし、既存蒸気タービン発電との優位性比較ではマッハ１駆動速度付近の蒸気容積が水の１万倍容積のため、同一音速度同一流路面積既存蒸気タービン発電最終翼群の１万倍発電量の垂直揚水発電となり実験を必要として、垂直揚水発電では真空中水の重力加速度で発電のため落差５００ｍに２００台等の直列同速度発電となり、更に２００倍発電量となって既存蒸気タービン最終翼群の２００万倍発電量の実験が必要な垂直揚水発電とし、利益率が膨大な燃料費０発電のため既存火力発電や原子力発電を０にする洗脳解放として、同様に１００倍回転出力や１００倍噴射出力の船舶や飛行機は圧縮空気で保存燃料噴射燃焼熱交換し、超高圧大量回収熱量の熱交換で製造する超臨界圧力水蒸気５Ｈ製造使用の理論空燃比燃焼熱交換や、超高圧水蒸気の最大膨張比速度等で最大回転出力や最大噴射推進出力や燃料費僅少で駆動にして、船舶速度や飛行機速度を１０倍速度や飛行機は宇宙飛行全盛宇宙往復経費１／５０万狙いにし、地球上何処でも日帰り旅行等の人類史上最大の貢献や地球温暖化防止や利益率抜群世界一にして、一刻も早く安倍総理や政治家全部が利益僅少全部から資金０発明に全力協力する各種実験から出発し、増税では絶対不可能な日本の財政赤字１０００兆円超を最短で０にする等として、利益率が大き過ぎるため米国の退役軍人や自衛隊の退役軍人による極秘発電や極秘運転とし、運転以外の接客等通常の仕事は民間企業の集客接待事業等の合体事業として、極秘運用を中核とした先進国経済成長戦略や政治家戦略とし、世界で極秘発電して船舶や飛行機を極秘運用して、極秘発電極秘運用で改良発明を独占して夫々の利益率を抜群世界一にする地球温暖化防止にし、製造物全部運用し雇用無限増大する外交戦略や政治家戦略をお願いします。
【背景技術】
【０００２】
略７２年で運用利益率抜群世界一のこの発明に到達し、同一労働同一賃金が基本のため先進国維持には利益率最大の仕事を創造する義務があり、人類史上最大の貢献に挑戦を始めて略７２年の過程で日本人は敗戦により米国の高度な技術を知り、物真似改良発明全部により短期間に高度経済成長して世界一に近い経済大国となり、米国の沈没危機を創出し物真似改良発明止まり成長停止にし、利益率の大きい資金０発明等に協力皆無として、平均給与減少を１０年以上継続し、日本の財政赤字１千兆円超を創製して、米国大統領は国民利益率を増大するため私が定年退職金で取得した米国特許に３年３個に１００％協力し、発明の最も重要な優位性説明をビッグスリー経由で教えて本発明に到達させる等国民のために全力疾走して、世界一の経済大国を維持しており日本の政治家も米国クリントン元大統領の物真似改良政治を必要とし、日本の政治家が米国大統領と同様に協力していた場合を予想では１０年以上早くこの発明に到達して、日本の財政赤字が０になっている背景技術予想等人類史上最大の貢献や利益率を人類史上最大とし、既存の発明品略全部が製造品販売で物真似改良が容易等の欠点があるため物真似改良阻止等として、部品数１／１００等超大型部品や工作機械が皆無の実験結果極秘を最良や極秘改良発明極秘製造極秘運用等とし、特に極秘運用については米国の退役軍人や自衛隊の退役軍人による運転操縦や運用点検等極秘として、接客部分等を民間企業に委託する国家経営利益率膨大として財政赤字１千兆円を急速０戦略に使用し、既存水蒸気利用が最悪近傍を利用し超臨界圧力水蒸気５Ｈ噴射で宇宙往還費用１／５０万狙いとして、米国では宇宙利用により地球上何処でも２時間前後で到着可能なため軍事基地等の０を可能にし、民間企業と合体して旅客事業の月旅行等で運用して利益率抜群世界一等先進国用の仕事を創造して、運動エネルギ利用で最も重要な速度利用に挑戦皆無の背景技術を全面的に改良する各種発明とし、水力発電機出入力は回転速度の３乗に比例するで計算実験にして、発電は超臨界圧力水蒸気５Ｈで水初速度製造し、真空中水等の重力加速度で直列多段２００台発電等にして、燃料駆動も超臨界圧力水蒸気５Ｈを製造して保存噴射や燃焼ガス吸引噴射全動翼二重反転ガスタービン駆動し、回転出力や噴射推進出力を既存の１００倍等にする全動翼の各種二重反転機関として、静翼を全廃した全動翼の圧縮機やタービンとして可能な最大速度電気駆動とし、利益率を最大等国民利益率増大に協力する政治家全部にして、国家経営の運用利益率最大や最大多数に挑戦し、利益率最大の仕事を独占無限創造する政治家戦略をお願いします。
【先行技術文献】
【特許文献】
【０００３】
【特許文献１】日本国特許１６０７１５１号、特許１６０９６１７号、特許１６４５３５０号、特許１９２４８８９号、特許１９１２５２２号、特許１９５９３０５号、特許１９８６１１９号、特許２６０４６３６号、１９９２年米国特許５１３３３０５号、１９９３年米国特許５２３０３０７号、１９９５年米国特許５４２９０７８号、１９９７年米国特許５７０１８６４号、ＰＣＴ国際出願番号ＰＣＴ／ＪＰ９７／０１８１４号・米国特許第６１１９６５０号、中国特許第８８１８号、ＥＵ英国特許９０２１７５号、ＰＣＴ国際出願番号ＰＣＴ／ＪＰ９７／０２２５０号・米国特許第６２６３６６４号がある。
【０００４】
【特許文献２】ＰＣＴ国際出願公開ＮＯ．ＷＯ  ２０１０／１０１０１７  ＰＣＴ／ＪＰ２０１０／０５２１７１の出願があり、特願２００７−１７９２０４提出日：平成１９年７月９日より特願２００７−２６５１１５提出日：平成１９年１０月１１日まで５個の出願があり、特願２００８−００６６１２提出日：平成２０年１月１６日より特願２００８−３２７０４５提出日：平成２０年１２月２４日まで４５個の出願があり、特願２００９−０１１６５６提出日：平成２１年１月２２日より特願２００９−２９８００４提出日：平成２１年１２月２８日まで３２２個の出願があり、特願２０１０−０００８４１提出日：平成２２年１月６日より特願２０１０−０３３２２４提出日：平成２２年２月１８日まで３２個の出願があり、特願２０１１−０５５０７８提出日：平成２３年３月１４日より特願２０１１−２６７５０８提出日平成２３年１２月７日まで２２個の出願があり、特願２０１２−０３２２４５提出日：平成２４年２月１７日より特願２０１２−２７１０３５提出日：平成２４年１２月１２日まで２９個の出願があり、特願２０１３−７９７５提出日：平成２５年１月２１日より特願２０１３−２５０６８３提出日：平成２５年１２月４日まで３０個の出願があり、特願２０１４−４６９０提出日：平成２６年１月１５日より特願２０１４−２５２８３４提出日：平成２６年１２月１５日まで７個の出願があります。
【発明の概要】
【発明が解決しようとする課題】
【０００５】
地球温暖化により地震津波が限り無く巨大化して膨大な被害が限り無く増大し、台風や季節風も限り無く巨大化して膨大な被害が限り無く増大して、豪雨や旱魃も限り無く巨大化して膨大な被害が限り無く増大し、日本の政治家は自分の金儲けに専念して人類史上最大の貢献狙う本発明に協力皆無として、日本の財政赤字１千兆円超を製造のため米国クリントン元大統領の物真似改良を必要とし、既存最先端科学技術の最悪部分例えば既存揚水発電は位置エネルギ使用で損失発電として、揚水電力より僅少発電のため垂直揚水発電として落差製造＋初速度製造＋真空製造とし、発電すると落差５００ｍに２００台の直列同速度駆動２００倍発電量になる課題があり、マッハ３０初速度製造では既存揚水発電の３０×５倍＝１５０倍水速度になるため、発電量が１５０倍の２乗に比例しても３乗比例しても膨大な発電量になる課題が有り、火力発電や船舶駆動や飛行機駆動の既存最先端科学技術も速度エネルギ利用前夜のため、実験の最初から大革命は明白ですが部品数１／１００等超大型部品が大部分になるため、工作機械が皆無に近く超大型工作機械の設計製造からの出発となる課題があり、改良発明を無限増大してクリントン米国元大統領同様国民の為資金０発明に無限協力して、利益率抜群世界一の仕事を無限製造し、利益率抜群世界一企業を無限製造して、給料世界一や日本の財政赤字急速０狙いとし、最も効率良く地球温暖化防止して地震津波や台風季節風や旱魃豪雨の巨大化を阻止して、人類史上最大の貢献にする大きな課題があり、アベノミクス成長戦略の中身にする課題がある。
【課題を解決するための手段】
【０００６】
クリントン元大統領と同様に資金０発明に１００％協力政治が前提では、水力発電機出入力は回転速度に比例するで計算しても膨大な出力となり、大学等で既存最先端最悪科学技術も最良と表示等の洗脳で速度エネルギ利用最悪とし、垂直揚水発電の優位性比較説明倍率も膨大となって実験の最初から大革命を予想して、超大型工作機械の設計製造や超高速回転を可能にするバランス調整加工を可能にし、垂直揚水発電機の設計製造過程で部品数１／１００等超大型部品で超高速回転対応して、初速度製造に超臨界圧力水蒸気５Ｈ使用して垂直揚水発電駆動や製造単価を確認し、超臨界圧力水蒸気５Ｈ中核駆動宇宙往還費用１／５０万が可能か等宇宙利用最重要として、大型宇宙往還機になり地球上何処でも２時間程度で到着するため米国軍事基地不要にし、沖縄を宇宙基地として１０倍速度の船舶や飛行機を含めた月旅行等の運用として、運用利益率最大が垂直揚水発電になるか月旅行になるか等の実験にし、超臨界圧力水蒸気５Ｈ製造使用や二重反転を中核として速度エネルギの最良使用にして、最も効率良く地球温暖化防止や日本の財政赤字１千兆円超を急速０にする戦略とし、運用利益率世界一企業の大量創出や製造利益率世界一企業の大量創出にして、給料世界一や日本の財政赤字１千兆円超を急速０にする各種エネルギ保存サイクル合体機関にし、最も効率良く地球温暖化防止して地震津波や台風季節風や旱魃豪雨の巨大化を阻止して、人類史上最大の貢献にする。
【発明の効果】
【０００７】
日本政治家が各種エネルギ保存サイクル合体機関に１００％協力を前提では、洗脳により速度エネルギの研究を皆無にし発明の利益率を膨大にした効果が大きく、垂直揚水発電では燃料費０で無限多に近い発電量や利益率にする効果があり、宇宙利用全盛にして日本の財政赤字１千兆円を短期間で０以下にする効果が有り、運用利益率世界一企業や製造利益率世界一企業を大量創出する効果が大きく、給料を増大する大きな効果が有り、最も効率良く地球温暖化防止して地震津波や台風季節風や旱魃豪雨の巨大化を阻止する効果が大きく、人類史上最大の貢献にする大きな効果がある。
【図面の簡単な説明】
【０００８】
【図１】重力発電建物１２の説明図（実施例１）
【図２】竪型蒸気水発電機２１Ｚの説明図（実施例２）
【図３】竪型蒸気比重大物質発電機２１Ｙの説明図（実施例３）
【図４】太陽光加熱器２１の説明図（実施例４）
【図５】水蒸気製造機１１ｓの説明図（実施例５）
【図６】電気自動車１１ｃの説明図（実施例６）
【発明を実施するための形態】
【０００９】
既存最先端科学技術が洗脳により速度エネルギ利用で最重要部に挑戦皆無のため、優位性比較倍率２倍で大革命が無限増大する等実験が必要全部に加えて、回転出力や噴射出力が無限増大する過程で改良発明も無限増大して、人類史上最大の貢献に挑戦のため非常に容易な物真似改良発明の阻止を最重要とし、人類で最も重要な機関類の速度エネルギ利用に挑戦皆無を利用例えば静翼を動翼として、互いに反対方向に回転する全動翼二重反転として右回転出力と左回転出力の大出力とし、塞き止反転噴射を全廃して３０倍速度２７０００倍水力発電機発電量等実験を必要として、既存発電と全く違う右回転発電と左回転発電での発電戦略に専門家の協力を必要とし、動力伝達装置に換えて電気駆動全部にすることで超高速右回転や超高速左回転に対応して、物質夫々の速度利用の限界に挑戦の過程で改良発明無限増大を極秘で独占狙いとし、極秘発明や極秘製造や極秘運用全部等で利益率永遠世界一の地球温暖化防止を独占して、工作機械が皆無や製造物全部運用や雇用無限多や極秘全部等大企業でも挑戦不可を利用し、国家経営として人類史上最大の貢献を狙う、発明を実施するための形態にする。
【実施例１】
【００１０】
図１の重力発電建物１２の垂直落下の垂直揚水発電は、図２竪型蒸気水発電機２１Ｚや、図３竪型蒸気比重大物質発電機２１Ｙ等を具備し、多数の柱管１２Ｂにステンレス管等酸化防止して研磨剤製造不可とした比重大物質上昇装置２Ｆを取付過程で、揚水高さを多数に分割して多数の可変速揚水ポンプ１１ｔを揚水量に合せて多数具備した揚水として、水力発電機出入力は回転速度の３乗に比例するに対応した可変速揚水ポンプ１１ｔ多数の入力とし、１０倍速度で発電の場合は１０倍揚水量とし垂直落差を製造し水力発電機１００台等の直列駆動にして、例えば落差２００ｍで１００台駆動や落差５００ｍで２００台駆動１００倍発電量や２００倍発電量とし、同一水質量同一水落差既存揚水発電の１００〜２００倍発電量を狙う垂直揚水や垂直落差製造として、水の初速度製造は大気圧膨張容積１７００倍で最も膨張速度の大きい超臨界圧力水蒸気５Ｈ噴射とし、水の真空中重力加速を製造も超臨界圧力水蒸気５Ｈ噴射既存蒸気タービン発電同様の真空製造として、水の初速度マッハ３０〜５０製造して真空中の重力で加速する過程で発電して同速度同容積発電とし、水力発電機タービン翼の同形同面積を可能や水力発電機多数の垂直直列駆動する発電量の大増大として、水速度マッハ３０〜５０での発電量を既存揚水発電の水速度マッハ１／５前後との比較計算では、同一水質量既存揚水発電の１５０〜２５０倍水速度や回転数のため発電量が回転数の３乗で計算では、同一水質量既存揚水発電の３３７５０００〜１５６２５０００倍発電量となり可能な実験を必要とし、最先端科学技術が最も重要な運動エネルギを利用する技術分野に挑戦が非常に僅少が判明して、重力発電建物１２に多数の可変速揚水ポンプ１１ｔを具備し垂直揚水保存使用する垂直落差の製造にし、水力発電機多数を垂直連結駆動し発電量の大増大にする運動エネルギを有効利用する出発点にして、速度エネルギ利用無限多改良発明無限多の各種エネルギ保存サイクル合体機関発電及び各種合体方法発電にする。
【実施例２】
【００１１】
図２の竪型蒸気水発電機２１Ｚの垂直落下の垂直揚水発電は、内側軸装置６０Ａに発電内軸回転子１３Ｂや外側軸装置６０Ｂに発電外軸回転子１３Ａ具備して、発電機固定子１３により右回転発電や左回転発電し、各種磁気利用で超高速回転対応等、船舶や飛行機等駆動の各種二重反転機関の設計製造基礎研究に最適の発電実験とし、反発電磁石永久磁石９Ｂ中核具備や吸引電磁石永久磁石９Ｃ具備し推力軸受１３Ｃ荷重０接近として、無接触の超高速回転含有とし、水力発電機出入力は回転速度の３乗に比例するで発電量の計算として、初速度製造は既存の蒸気タービン発電静翼全廃で蒸気速度が３０倍を超えるため、超臨界圧力水蒸気５Ｈ製造噴射して逆浸透水５２Ｄを吸引噴射加速してマッハ３０等の初速度製造にし、真空製造も蒸気速度利用の物真似として超臨界圧力水蒸気５Ｈを噴射して空気を外部に吸引噴射して、真空製造し逆浸透水５２Ｄを海洋深層水等低温水で製造して低温高真空製造や海洋深層水利用の各種研究とし、揚水発電の物真似改良を可変速揚水ポンプ１１ｔ垂直揚水として、落差製造保存して初速製造部６ａ比重大物質加速器６Ｗ開放し超臨界圧力水蒸気５Ｈを噴射し、逆浸透水５２Ｄを吸引噴射して初速製造過程で既存の発電機等全部利用の場合はマッハ１前後にして、真空中の水重力により加速の過程に発電機外箱７７ｃを具備して水速度を加速する水力発電機にし、同形同面積のタービン翼を全部動翼の二重反転にする竪型蒸気水発電機２１Ｚ多数を直列駆動にして、落差２００ｍで１００台駆動や落差５００ｍで２００台駆動等最適台数を駆動し発電量の大増大にし、同一落差同一水質量既存揚水発電の１００倍発電量や２００倍発電量等にする垂直落差の製造にして、マッハ１初速度製造し真空中水重力で加速して発電では既存揚水発電の５倍速度１２５倍発電量とし、実験が必要ですが静翼を全廃した速度エネルギ利用では既存回転速度でも１００倍回転出力を発生して、静翼を外側動翼にすると飛行機や船舶も１０倍速度が可能か等専門家による設計製造や実験を必要とし、極秘改良発明・極秘製造・極秘運用により過去の高度経済成長を大きく超える高度経済成長として、資金０発明のため日本政治家の１００％協力の場合は日本の財政赤字１千兆円超を最短で０以下にし、世界中の発電全部を竪型蒸気水発電機２１Ｚ発電等や、飛行機や船舶等全部を全動翼二重反転機関駆動に変換する大革命にして、速度エネルギ利用無限多改良発明無限多の各種エネルギ保存サイクル合体機関発電及び各種合体方法発電にする。
【実施例３】
【００１２】
図３の竪型蒸気比重大物質発電機２１Ｙの垂直落下の垂直揚水発電は、内側軸装置６０Ａに発電内軸回転子１３Ｂや外側軸装置６０Ｂに発電外軸回転子１３Ａ具備して、発電機固定子１３により右回転発電や左回転発電し、各種磁気利用で超高速回転対応等、反発電磁石永久磁石９Ｂ中核具備や吸引電磁石永久磁石９Ｃ具備し推力軸受１３Ｃ荷重０接近として、無接触の超高速回転含有とし、水力発電機出入力は回転速度の３乗に比例するで発電量の計算として、初速度製造は既存の蒸気タービン発電静翼全廃で蒸気速度が３０倍を超えるため、超臨界圧力水蒸気５Ｈ製造噴射して逆浸透水５２Ｄを吸引噴射加速してマッハ３０等の初速度製造にし、真空製造も蒸気速度利用の物真似として超臨界圧力水蒸気５Ｈを噴射して空気を外部に吸引噴射して、真空製造し逆浸透水５２Ｄを海洋深層水等低温水で製造して低温高真空製造や海洋深層水利用の各種研究とし、揚水発電の物真似改良を可変速揚水ポンプ１１ｔ垂直揚水として、落差製造保存して初速製造部６ａ比重大物質加速器６Ｗ開放し超臨界圧力水蒸気５Ｈを噴射し、逆浸透水５２Ｄ等比重大物質３Ｇを吸引噴射して初速製造過程で既存の発電機等全部利用の場合はマッハ１前後にして、真空中の水重力により加速の過程に発電機外箱７７ｃ具備比重大物質３Ｇを加速する水力発電機にし、同形同面積のタービン翼を全部動翼の二重反転にする竪型蒸気水発電機２１Ｚ多数を直列駆動にして、落差２００ｍで１００台駆動や落差５００ｍで２００台駆動等最適台数を駆動し発電量の大増大にし、同一落差同一水質量既存揚水発電の１００倍発電量や２００倍発電量等にする垂直落差の製造にして、マッハ１初速度製造し真空中比重大物質３Ｇ重力で加速し加速過程で発電する１台発電量の計算では、同一比重大物質３Ｇ質量既存揚水発電の５倍速度１２５倍発電量とし、同一流路面積水発電量では既存蒸気タービン発電最終翼群の１万倍水質量駆動の１万倍水発電量として、例えば白金球を含めると同一容積質量が水の２１倍のため発電量が２１倍に近付き小型化を可能にして、小型発電機の各種用途に使用する竪型蒸気比重大物質発電機２１Ｙとし、速度エネルギ利用無限多改良発明無限多の各種エネルギ保存サイクル合体機関発電及び各種合体方法発電にする。
【００１３】
図２の竪型蒸気水発電機２１Ｚや図３の竪型蒸気比重大物質発電機２１Ｙ設計製造過程では、部品数１／１００等として超高速回転に対応する設計製造から出発のため、工作機械が皆無に近く不可能を可能にする各種実験が必要で、タービン翼群８Ｆ段数も最少で最大速度に対応する狙いにして、外側動翼６０ｄ外入口翼６０ｅタービン翼群８Ｆには、軸受１２Ｃ推力軸受１３Ｃや吸引電磁石永久磁石９Ｃを具備竪型により軸受荷重０接近にし、内側動翼６０ｃ内入口翼６０ｆタービン翼群８Ｆには、推力軸受１３Ｃや吸引電磁石永久磁石９Ｃを具備して軸受荷重０接近にし、外側動翼６０ｄ外中間翼６０ｇタービン翼群８Ｆは外側軸装置６０Ｂの接続具備にして、内側動翼６０ｃ図に無い内中間翼６０ｈタービン翼群８Ｆは内側軸装置６０Ａの接続具備にし、用途や状況により外中間翼６０ｇと同数の増減として、中間翼０接近で最大速度駆動対応とし、内側動翼６０ｃ内出口翼６０ｊタービン翼群８Ｆには、推力軸受１３Ｃや反発電磁石永久磁石９Ｂを具備して軸受荷重０接近にして、外側動翼６０ｄ外出口翼６０ｋタービン翼群８Ｆには推力軸受１３Ｃや反発電磁石永久磁石９Ｂを具備し、軸受荷重０接近にする過程では夫々の吸引電磁石や反発電磁石を複数具備して、出力に合せて磁力の強さを電力により増減可能に複数固定部に環状に固定具備にし、出力に対応した軸受荷重０接近にして、タービン翼群８Ｆ嵌合組立部９Ｍ等夫々を二重反転機関立型旋盤１０Ｂで加工し、夫々のタービン翼群８Ｆをタービン翼用研削盤１０Ｆ加工として、内側軸装置６０Ａ外側軸装置６０Ｂ夫々の両端に軸受１２Ｃ具備別々に嵌合組立部９Ｍ仮組立とし、夫々の両端を二重反転機関立型旋盤１０Ｂで保持超高速回転バランス調整加工して、バランス加工良好な周速度や回転数での設計製造の実験として分解本組立てに移行し、タービン外箱７７ａを水平継手の角フランジ１２Ｄを多段具備して、重力発電建物１２で多段支持することで重量や振動や共振等僅少狙いにし、垂直継手も適宜に具備して分解や組立てを可能や容易にして、製造物全部を極秘製造極秘運用極秘改良発明永遠独占狙いにする、燃料費０発電や運用利益率抜群世界一の地球温暖化防止発電にし、日本の財政赤字１０００兆円超を最短で０にする、速度エネルギ利用無限多改良発明無限多の各種エネルギ保存サイクル合体機関発電及び合体方法発電にする。
【実施例４】
【００１４】
図４太陽光加熱器２１燃料０の超臨界圧力水蒸気５Ｈ製造は、空気温度２０℃が圧縮比８で１３倍の２６０℃になるを極限まで利用するもので、図５水蒸気製造機１１ｓにより、太陽光加熱器２１で１０倍温度等に加熱した空気２８ａを圧力比４４等に圧縮の過程で、二重反転圧縮機３ｓの水冷却圧縮翼で熱交換圧縮や直接水噴射冷却圧縮で水加熱と空気冷却し、超臨界圧力水蒸気５Ｈ製造用水加熱や空気容積縮小入力低減して圧縮空気熱交換器２Ｙで熱交換して、超臨界圧力水蒸気５Ｈを製造して竪型蒸気水発電機２１Ｚ等の初速度製造に使用や各種用途に使用し、燃料費０発電電気駆動で大気温度の１３０倍熱量等の超臨界圧力水蒸気５Ｈ製造の実験にして、８０ＭＰａ超臨界圧力水蒸気５Ｈ噴射で逆浸透水５２Ｄ吸引噴射加速マッハ３０初速度製造にし、竪型蒸気水発電機２１Ｚを駆動し同一水質量既存揚水発電の１５０倍水速度を真空加速中発電にして、３３７５０００倍発電量になるか等正確な計算法を確立する実験に参加する太陽光加熱器２１にし、安価熱製造の太陽光加熱器２１を水面に浮力を設けて具備又は平地に円形鉄道を設けて具備して、太陽光を東から西に直角維持回転制御する図に無い水上装置として具備や陸上装置として具備し、太陽光加熱器２１には回転支持部４ｆを設けて歯車装置４ｄやローラー４ｅを具備して、円筒回転部７７Ｇとし、太陽光を上下方向直角維持回転制御して、浮力や円形鉄道利用により東西方向直角維持回転制御する装置とし、太陽光を２方向直角維持回転制御して、加熱保存熱量最大狙う熱吸収管４Ｈ内空気温度を最高にする装置とし、地球最大熱量の太陽光を矩形長レンズ２ｄにより直線状に集めて、焦点距離付近に熱吸収管４Ｈ具備内部空気路２８Ａ空気２８ａ温度を最高にして、外部空気路２８Ａ空気２８ａ温度も上昇し、既存のレンズ断面を直線状に延長矩形の長レンズ２ｄとして、レンズ材質全部を使用可能とし、発泡プラスチック等の断熱材２ｃを円筒回転部７７Ｇ等で囲って円筒等の長大な筒として、長大な長レンズ２ｄを継手８０Ａ＋締付具８０Ｂで密封し、上部を外部空気路２８Ａとし熱吸収管４Ｈ内部を内部空気路２８Ａとして、２空気路２８Ａ選択吸入の太陽光加熱器２１にする、速度エネルギ利用無限多改良発明無限多の各種エネルギ保存サイクル合体機関発電及び合体方法発電にする。
【実施例５】
【００１５】
図５の水蒸気製造機１１ｓは、膨張容積最大や膨張速度が最大の超臨界圧力水蒸気５Ｈを製造し各種中核噴射として、垂直揚水発電の水初速度製造や船舶や飛行機を中核駆動１０倍速度等にするもので、竪型として軸受１２Ｃ軸受荷重０接近や竪型２段圧縮機１２Ｔ連結で超高圧圧縮とし、反発電磁石永久磁石９Ｂや吸引電磁石永久磁石９Ｃ具備して、推力軸受１３Ｃ軸受荷重０接近により超高速回転に対応とし、人工衛星で実証のように宇宙飛行して、燃料費０の宇宙飛行全盛や各種速度エネルギにする超臨界圧力水蒸気５Ｈ製造の実験にし、飛行機や船舶等にも具備する圧縮空気熱交換器２Ｙの炭素繊維で軽量化の実験にして、断熱圧縮の空気温度２０℃が圧縮比８で１３倍の２６０℃になるを極限まで利用し、図３の太陽光加熱器２１で１０倍温度の２００℃等に加熱した空気２８ａを圧縮して、二重反転圧縮機３ｓ又は竪型２段圧縮機１２Ｔにより圧縮圧縮比５０等の空気圧縮にし、水冷却圧縮の水を８０ＭＰａ圧縮して、圧縮空気熱交換器２Ｙで圧縮空気２８ａと熱交換燃料０で超臨界圧力水蒸気５Ｈ製造実験し、空気タービン３ｔ駆動する水蒸気製造機１１ｓにして、空気タービン３ｔの発電外軸回転子１３Ａと発電内軸回転子１３Ｂを二重反転にし、夫々右回転や左回転して発電機固定子１３により右回転発電や左回転発電として、夫々二重反転圧縮機３ｓの外軸用や内軸用の電動機固定子１３Ｄに夫々送電し、電動外軸回転子１３ｅや電動内軸回転子１３Ｆを右回転駆動と左回転駆動にして、不足電力を竪型蒸気水発電機２１Ｚより供給駆動電力にする水蒸気製造機１１ｓにし、圧縮翼や出力翼を３０〜６０枚の段落毎１鋳造部品の二重反転超高速回転対応にして、内側軸装置６０Ａ外側軸装置６０Ｂ夫々の嵌合組立部９Ｍ等夫々を二重反転機関立型旋盤１０Ｂで加工し、夫々の圧縮翼や出力翼を圧縮翼立型研削盤１０Ｋや出力翼立型研削盤１０Ｌ加工として、内側軸装置６０Ａ外側軸装置６０Ｂ夫々別々に嵌合組立部９Ｍ仮組立とし、夫々の両端軸受１２Ｃ部を二重反転機関立型旋盤１０Ｂで保持超高速回転バランス調整加工して、バランス加工良好な周速度や回転数として分解本組立てに移行し、二重反転圧縮機３ｓや空気タービン３ｔにして、極秘製造極秘運用極秘改良発明を最重要とする水蒸気製造機１１ｓにする、速度エネルギ利用無限多改良発明無限多の各種エネルギ保存サイクル合体機関発電及び合体方法発電にする。
【実施例６】
【００１６】
図６の電気自動車１１ｃは垂直揚水発電電気駆動の一例表示で、タクシー運転手等の給料増大雇用を増大する一例表示で政治家全員の協力を必要として、運用利益率最大が重要で宇宙利用全盛の利益率も大きく身近な垂直揚水発電で説明すると、垂直揚水発電の初速度製造＋真空中水の重力加速度で発電の発電原価優位性比較では、既存蒸気タービン発電最終翼群と同一流路面積同一速度での優位性を比較すると、蒸気タービン発電最終翼群駆動の蒸気容積が水の略１万倍で１万倍水発電量に近付き、加えて落差５００ｍに２００台直列駆動で２００万倍水発電量接近の燃料費０発電となり、洗脳で最先端科学技術が速度エネルギ利用に挑戦皆無のため実験を必要として、実験の最初から速度エネルギ利用の大革命や発電原価革命や地球温暖化防止を確実にし、既存蒸気タービン発電の１万倍発電量以上の垂直揚水発電として、サイクル数複数を選択可能な超高速回転垂直揚水発電の発電原価を０円近傍とし、世界の蓄電池駆動や電気駆動車両類全部を垂直揚水発電の電気駆動全部狙いとして、この発明が大学教育等を中核とした洗脳探しや短所探しのため小学校卒業で挑戦し、人類史上最大の貢献が可能なエンジン発明となったためアイディア止まりとして、専門家の協力による極秘協力発明を最良や洗脳により速度エネルギ研究皆無を利用とし、人類史上最も実験が必要な発電方法や人類史上最大の貢献をする地球温暖化防止にして、各種車両類を安価電気駆動や安価蓄電池駆動にする各種垂直揚水発電とし、蓄電池駆動は蓄電池１Ａに蓄電して蓄電池駆動車輪４Ｊを駆動する電気自動車１１ｃ等にして、直接電気駆動の各種車両類の安価電気駆動を最良とし、極秘製造極秘運用極秘改良発明や人類史上最大の貢献を最重要とする、速度エネルギ利用無限多改良発明無限多の各種エネルギ保存サイクル合体機関及び合体方法にする。
【産業上の利用可能性】
【００１７】
既存最先端科学技術が簡単に金儲け全部や洗脳全部や、静翼で堰き止め減速して使用する機関類全部や、超高速回転バランス調整加工が必要な機関類が皆無等、物理基礎の運動エネルギ＝質量×速度の２乗に比例するに挑戦皆無や、水力発電機出入力は回転速度の３乗に比例するに挑戦皆無や、回転速度の増大に挑戦皆無や、火力発電は静翼を具備して堰き止め９０度反転速度低減噴射を繰返す速度利用を辞退全部のため、発電量が回転速度に比例するで計算しても技術分野に記載の如く優位性比較倍率が増大し、垂直揚水発電発電量を同一音速度同一流路面積既存火力発電最終翼群の２００万倍発電量として、世界の発電所全部を垂直揚水発電として既存の火力発電や原子力発電を自然淘汰し、世界の船舶駆動や飛行機駆動全部を全動翼二重反転駆動にし１０倍速度前後にして、飛行機は宇宙利用全盛にして宇宙往還費用を既存宇宙往還費用の１／５０万狙いとし、洗脳で速度エネルギ利用を０接近のため宇宙利用全盛になる可能性がある。
【符号の説明】
【００１８】
０：優位性比較説明倍率（実験の必要倍率）  ０：各種エネルギ保存サイクル合体機関（各種熱エネルギは空気温度として熱ポンプで圧縮熱回収熱製造使用して、重力エネルギは上昇保存噴射真空中重力加速度加速して発電し電気駆動や電気製造物駆動等各種関連機関）  １：発電機、  １ｃ：液体燃料、  1ｅ：工場発電、  １ｆ：横軸軸受０接近（横軸軸受＋推力軸受＋電磁石等で軸受荷重０接近）  １ｈ：横軸（外側軸装置と内側軸装置の回転方向交互にする軸）  １ｇ：重力加速部、  １Ａ：蓄電池、  １Ｄ：燃料噴射ポンプ、  １Ｅ：交換容易蓄電池、  １Ｇ：充電容易蓄電池、  １Ｈ：自家発電、  １Ｋ：液体燃料制御弁、  １Ｌ：高圧燃料加熱管、  ２Ａ：耐熱材、    ２Ｃ：１〜複数段圧縮熱回収器（熱エネルギを空気温度とし熱ポンプで複数回圧縮熱交換器で複数回熱回収して残りを温熱５０＋液体冷熱２８ａに分割保存）    ２Ｅ：比重大物質（合金含む、白金球・金球・タングステン合金粉末焼結球・銀球・銅球・錫球・鉛球・亜鉛球・アルミニウム球・インジウム・カドミウム・ガリウム・タリウム・ビスマス等比重の大きい物質）  ２Ｅ：比重大物質（製造法は小径程衝撃エネルギが低減するため例えば溶融鋼を大気中に噴射高速衝突粉砕空気冷却水冷却で超小径鋼球等製造）  ２Ｅ：比重大物質（シリコン樹脂被覆やケイ素樹脂被覆の被覆白金合金球・被覆金合金球・被覆タングステン合金粉末焼結球・被覆銀合金球・被覆ビスマス合金球・被覆銅合金球・被覆錫合金球・被覆鉛合金球・被覆亜鉛合金球・被覆アルミニウム合金球）  ２Ｆ：比重大物質上昇装置、  ２Ｗ：低温空気熱交換器、  ２Ｙ：圧縮空気熱交換器（高圧空気２８ａ冷熱＋過熱蒸気５０温熱製造）    ２ｂ：水抵抗僅少（船底に空気や燃焼ガスや過熱蒸気等を高速噴射して水抵抗僅少にする）  ２ｃ：断熱材、  ２ｄ：長レンズ（凸レンズ断面を直線状に延長矩形とし、複数使用で焦点距離最短レンズ幅最大狙う）    ３ｄ：合体タービン、  ３ｅ：２段圧縮機、  ３ｓ：二重反転圧縮機、  ３ｔ：空気タービン、  ３ｕ：タービン、  ３Ｄ：電気熱供給設備、  ３Ｅ：比重大物質（水銀や水等常温で液体の比重大物質）    ３Ｅ：比重大物質（金属を球形として弾性物質の被覆を具備した物質）  ３Ｇ：比重大物質（比重大物質２Ｅ３Ｅの各種混合物）  ３Ｑ：理論膨張機関（ボイルの法則で最良狙う）  ３Ｒ：理論ガスタービン、  ３Ｓ：理論蒸気タービン、  ３Ｔ：理論気体圧縮機、  ３Ｕ：理論タービン、  ４Ｃ：対向同期歯車、  ４Ｄ：直列同回転歯車、  ４Ｈ：熱吸収管（長レンズ２ｄで太陽光を熱吸収管に直線状に集めて管内空気温度を最高に加熱して菅外空気温度も上昇する）  ４Ｊ：蓄電池駆動車輪、  ４Ｌ：理論膨張機関自動車、  ４Ｍ：理論タービン自動車、  ４Ｑ：理論燃焼室（過熱蒸気製造で理論空燃比燃焼既存の４倍燃焼量等や２０倍圧力過熱蒸気噴射狙う燃焼室）、  ４Ｔ：軸流二重反転圧縮機、  ４Ｖ：軸流二重反転タービン、  ４ｄ：歯車装置、  ４ｅ：ローラー、  ４ｆ：回転支持部、  ５：空気噴射ノズル、  ５ｂ：圧縮空気路、  ５Ｇ：水蒸気加熱管、  ５Ｇ：水管、  ５Ｈ：超臨界圧力水蒸気、  ５Ｈ：超臨界圧力水蒸気管、  ５Ｊ：圧縮空気過熱管、  ５Ｋ：液体酸素、  ５Ｌ：液体窒素室、  ５Ｌ：液体窒素、  ５Ｍ：高圧高温燃焼室、  ５Ｑ：高圧高温水制御弁、  ５Ｓ：圧縮空気加熱管、  ５Ｖ：圧縮空気制御弁、  ５Ｚ：水ポンプ、  ６：最終圧縮翼、  ６ａ：初速製造部（水を５Ｈ加速する）  ６ｂ：初速製造部（水等各種２Ｅや３Ｅを５Ｈ加速する）  ６Ａ：過熱蒸気ロケット噴口（用途により逆噴射可能にした噴口）  ６Ｂ：圧縮空気噴射ノズル、  ６Ｆ：水噴射ノズル、  ６Ｇ：外箱噴口、  ６Ｈ：排水管、  ６Ｗ：比重大物質加速機、  ６Ｘ：燃料噴射ノズル、  ６Ｙ：燃焼ガス噴射ノズル、  ６Ｚ：水蒸気噴射ノズル、  ７Ａ：プロペラ、  ７Ｂ：回転翼、  ７Ｃ：スクリュー、  ８ａ：タービン翼、  ８ｄ：上側膨張翼群、  ８ｅ：下側膨張翼群、  ８ｆ：組立タービン翼群、  ８ｇ：上側圧縮翼群、  ８ｈ：下側圧縮翼群、  ８ｊ：組立圧縮翼群、  ８ｋ：内側圧縮翼（両側中心支持内側軸装置具備）  ８ｍ：外側圧縮翼（両側中心支持外側軸装置具備）、  ８ｎ：内側出力翼（両側中心支持内側軸装置具備）、  ８ｐ：外側出力翼（両側中心支持外側軸装置具備）  ８ｑ：内側圧縮翼（回転速度や周速度に合せた角度や曲線や回転半径二重反転とした圧縮翼）  ８ｒ：外側圧縮翼（回転速度や周速度に合せた角度や曲線や回転半径二重反転とした圧縮翼）、  ８ｓ：内側出力翼（回転速度や周速度に合せた角度や曲線や回転半径二重反転とした出力翼）、  ８ｔ：外側出力翼（回転速度や周速度に合せた角度や曲線や回転半径二重反転とした出力翼）  ８Ｆ：タービン翼群（運動エネルギ＝質量×速度の２乗に比例する。を利用超高速駆動物質速度記録に挑戦最大発電量にする）  ８Ｇ：一体タービン翼群（可変速発電電動機では一定周波交流で可変速となり、入出力が回転数の３乗に比例して変化する。を利用超高速周速度記録に挑戦最大発電量にする）    ９Ｂ：反発電磁石永久磁石、  ９Ｃ：吸引電磁石永久磁石、  ９Ｄ：空気圧部、  ９Ｅ：空気圧部、  ９Ｍ：嵌合組立部、  ９Ｑ：垂直平行板、  ９ｂ：上吸引下反発磁石（反発磁石中核補助吸引磁石）  ９ｃ：吸引磁石、  ９ｄ：反発磁石、  ９ｅ：上吸引下左右反発磁石、  １０Ｂ：二重反転機関立型旋盤、  １０Ｃ：二重反転機関旋盤、  １０Ｄ：圧縮翼研削盤、  １０Ｅ：出力翼研削盤、  １０Ｆ：タービン翼研削盤、  １０Ｇ：タービン翼立型研削盤、  １０Ｈ：超大型旋盤、  １０Ｊ：一体タービン翼研削盤、  １０Ｋ：圧縮翼立型研削盤、  １０Ｌ：出力翼立型研削盤、  １１：全動翼蒸気タービン、  １１ａ：リニア噴射車両、  １１ｂ：噴射車両、  １１ｃ：電気自動車、  １１ｄ：二重反転船舶、  １１ｅ：空気噴射船舶、  １１ｆ：横型機関飛行機、  １１ｇ：横型噴射飛行機、  １１ｈ：竪型機関飛行機、  １１ｉ：竪型噴射飛行機、  １１ｊ：横型オスプレイ、  １１ｋ：噴射オスプレイ、  １１ｍ：竪型反転船舶、  １１ｎ：竪型噴射船舶、  １１ｐ：竪型オスプレイ、  １１ｑ：竪型噴射オスプレイ、  １１ｒ：電気車両、  １１ｓ：水蒸気製造機、  １１Ｂ：二重反転自動車、  １１Ｃ：二重反転船舶、  １１Ｄ：復水器、  １１Ｅ：二重反転飛行機、  １１Ｆ：二重反転噴射船舶、  １１Ｇ：二重反転噴射飛行機、  １１Ｉ：回転翼飛行機、  １１Ｊ：回転翼噴射飛行機、  １１Ｍ：オスプレイ特大、  １１Ｎ：オスプレイ大型、  １１Ｗ：横型全動翼蒸気比重大物質重力タービン、  １１Ｘ：横型全動翼���気水重力タービン、  １１Ｙ：竪型全動翼蒸気比重大物質重力タービン、  １１Ｚ：竪型全動翼蒸気水重力タービン、  １２：重力発電建物、  １２Ａ：鉄骨骨組、  １２Ｂ：柱管、  １２Ｃ：軸受（反発磁石中核として各種磁力利用で軸受荷重０接近にする）  １２Ｄ：角フランジ、  １２Ｅ：二重反転噴射機関、  １２Ｆ：二重反転空気噴射機関、  １２Ｇ：二重反転機関、  １２Ｎ：２段圧縮機、  １２Ｔ：竪型２段圧縮機、  １２Ｕ：横型２段圧縮機、  １２Ｙ：対向２段圧縮機、  １２Ｚ：対向２段圧縮機、  １３：発電機固定子、  １３ａ：発電機回転子、  １３Ａ：発電外軸回転子、  １３Ｂ：発電内軸回転子、  １３Ｃ：推力軸受（反発磁石中核として各種磁力利用で軸受荷重０接近にする）  １３Ｄ：電動機固定子、  １３Ｅ：電動外軸回転子、  １３Ｆ：電動内軸回転子、  １４Ｅ：竪型噴射機関、  １４Ｆ：竪型空気噴射機関、  １４Ｇ：竪型機関、  １４Ｈ：竪型酸素製造機、  １４Ｊ：横型噴射機関、  １４Ｋ：横型空気噴射機関、  １４Ｌ：横型機関、  １４Ｍ：横型酸素製造機、  １６：水平軸板（精密組立を容易にする円盤）  １６Ａ：水平軸、  ２１：太陽光加熱器（吸入空気路を熱吸収管４Ｈ内にも設けて主使用する）    ２１Ｗ：横型蒸気比重大物質発電機、  ２１Ｘ：横型蒸気水発電機、  ２１Ｙ：竪型蒸気比重大物質発電機、  ２１Ｚ：竪型蒸気水発電機、  ２４Ａ：圧縮空気制御弁、  ２５：過熱蒸気制御弁、  ２５ｂ：高圧燃料制御弁、  ２５ｃ：燃料管、  ２８Ａ：吸入空気路、  ２８ａ：空気、  ２８ｂ：吸入空気路、  ２９ａ：超高圧空気、  ３８Ｈ：理論スクリュー船舶、  ３８Ｊ：理論噴射船舶、  ３８Ｔ：理論噴射飛行機、  ３８Ｕ：理論プロペラ飛行機、  ４９：燃焼ガス、  ５０：過熱蒸気、  ５０：過熱蒸気室、  ５０Ａ：高圧高温水、  ５０ａ：過熱蒸気噴射管、  ５２Ａ：水、  ５２Ｂ：水管、  ５２Ｃ：アルコール、  ５２Ｃ：アルコール管、  ５２Ｄ：逆浸透水（固形物除去タービン翼群８Ｆの摩耗量を僅少にする水）、  ５２Ｄ：逆浸透水管、  ５２Ｅ：蒸留水、  ５２Ｅ：蒸留水管、  ５２ａ：水、  ５２ｂ：高温水、  ５３Ａ：外側出力翼群（駆動流体速度の１／１０前後外周速度狙う出力翼）  ５３Ｂ：内側出力翼群（駆動流体速度に近い外周速度狙う出力翼）  ５３Ｃ：外側圧縮翼群（５Ｈ製造用の逆浸透水５２Ｄ冷却翼）  ５３Ｄ：内側圧縮翼群、  ６０Ａ：内側軸装置、  ６０Ｂ：外側軸装置、  ６０Ｃ：円筒内側動翼群、  ６０Ｄ：円筒外側動翼群、  ６０Ｇ：外側環状翼群、  ６０Ｈ：内側環状翼群、  ６０ｃ：内側動翼群、  ６０ｄ：外側動翼群、  ６０ｅ：外入口翼群、  ６０ｆ：内入口翼群、  ６０ｇ：外中間翼群、  ６０ｈ：内中間翼群、  ６０ｊ：内出口翼群、  ６０ｋ：外出口翼群、  ７７Ａ：ガスタービン外箱、  ７７Ｂ：ロケット外箱、  ７７Ｃ：二重反転機外箱、  ７７Ｇ：円筒回転部、  ７７ａ：タービン外箱、  ７７ｂ：圧縮機外箱、  ７７ｃ：発電機外箱、  ８０：軸受（磁力＋空気圧利用で可能な限り軸受荷重を０に近付ける）  ８０Ａ：継手、  ８０Ｂ：締付具、  ８０ａ：推力軸受（磁力＋空気圧利用で可能な限り軸受荷重を０に近付ける）    ８５：二重反転磁気装置（磁石利用歯車高さ僅少から無接触にし横軸１ｈ歯車により相互逆回転にする）  ８５Ｙ：二重反転歯車装置（横軸１ｈ歯車により相互逆回転にする）  ８８Ｂ：蒸気合体空気噴射部、  ８８Ｃ：理論空気噴射部、  ８８Ｌ：蒸気合体水噴射部、  ８８Ｍ：理論水噴射部、  ８９Ａ：液体酸素製造機
【図１】
2016205222.tif 000003
【図２】
2016205222.tif 000004
【図３】
2016205222.tif 000005
【図４】
2016205222.tif 000006
【図５】
2016205222.tif 000007
【図６】
2016205222.tif 000008